(57)【特許請求の範囲】
【請求項１】
無線通信システムにおいてユーザー機器によってＡＣＫ／ＮＡＣＫ（ＡＣＫｎｏｗｌｅｄｇｅｍｅｎｔ／ＮｅｇａｔｉｖｅＡＣＫ）情報を伝送する方法であって、前記方法は、
ＰＤＣＣＨ（Ｐｈｙｓｉｃａｌ  Ｄｏｗｎｌｉｎｋ  Ｃｏｎｔｒｏｌ  ＣＨａｎｎｅｌ）を受信することと、
ＡＣＫ／ＮＡＣＫ反復のためのＰＵＣＣＨ（Ｐｈｙｓｉｃａｌ  Ｕｐｌｉｎｋ  Ｃｏｎｔｒｏｌ  ＣＨａｎｎｅｌ）リソース情報を受信することと、
第１のサブフレームにおいて第１のアンテナポートおよび第２のアンテナポートを通して前記ＡＣＫ／ＮＡＣＫ情報の初期伝送を行うことと、
前記ＰＵＣＣＨリソース情報に基づいて前記第１のサブフレームに後続する１つ以上の連続したサブフレームにおいて前記第１のアンテナポートおよび前記第２のアンテナポートを通して前記ＡＣＫ／ＮＡＣＫ情報の反復伝送を行うことと
を含み、
前記ＡＣＫ／ＮＡＣＫ情報の初期伝送は、第１のＰＵＣＣＨリソースｎ（１）ＰＵＣＣＨ，１を用いて前記第１のアンテナポートを通して、および、第２のＰＵＣＣＨリソースｎ（１）ＰＵＣＣＨ，２を用いて前記第２のアンテナポートを通して、行われ、ｎ（１）ＰＵＣＣＨ，１＝ｎＣＣＥ＋Ｎ（１）ＰＵＣＣＨであり、ｎ（１）ＰＵＣＣＨ，２＝ｎＣＣＥ＋１＋Ｎ（１）ＰＵＣＣＨであり、ｎＣＣＥは、前記ＰＤＣＣＨのＣＣＥ（Ｃｏｎｔｒｏｌ  Ｃｈａｎｎｅｌ  Ｅｌｅｍｅｎｔ）インデックスの中の最も低いＣＣＥインデックスであり、Ｎ（１）ＰＵＣＣＨは、上位レイヤーによって設定され、
前記ＡＣＫ／ＮＡＣＫ情報の反復伝送は、第３のＰＵＣＣＨリソースｎ（１）ＰＵＣＣＨ，３を用いて前記第１のアンテナポートを通して、および、第４のＰＵＣＣＨリソースｎ（１）ＰＵＣＣＨ，４を用いて前記第２のアンテナポートを通して、行われ、ｎ（１）ＰＵＣＣＨ，３、ｎ（１）ＰＵＣＣＨ，４は、前記ＰＵＣＣＨリソース情報によって、それぞれ、前記第１のアンテナポート、前記第２のアンテナポートに対して設定される、方法。
【請求項２】
ＡＣＫ／ＮＡＣＫ反復の数Ｎｒｅｐを指示する情報を受信することをさらに含み、
前記ＡＣＫ／ＮＡＣＫ情報の反復伝送は、前記第１のサブフレームに後続する「Ｎｒｅｐ−１」個の連続したサブフレームにおいて、前記第３のＰＵＣＣＨリソースｎ（１）ＰＵＣＣＨ，３を用いて前記第１のアンテナポートを通して、および、前記第４のＰＵＣＣＨリソースｎ（１）ＰＵＣＣＨ，４を用いて前記第２のアンテナポートを通して、「Ｎｒｅｐ−１」回だけ行われる、請求項１に記載の方法。
【請求項３】
前記ＡＣＫ／ＮＡＣＫ反復の数Ｎｒｅｐを指示する情報および前記ＰＵＣＣＨリソース情報は、ＲＲＣ（Ｒａｄｉｏ  Ｒｅｓｏｕｒｃｅ  Ｃｏｎｔｒｏｌ）メッセージを通じて受信される、請求項２に記載の方法。
【請求項４】
前記ＰＤＣＣＨが特定のＰＤＳＣＨ（Ｐｈｙｓｉｃａｌ  Ｄｏｗｎｌｉｎｋ  Ｓｈａｒｅｄ  ＣＨａｎｎｅｌ）を指示するＰＤＣＣＨである場合、前記ＡＣＫ／ＮＡＣＫ情報は、前記特定のＰＤＳＣＨに関し、
前記ＰＤＣＣＨが半−持続的スケジューリング（ＳＰＳ）解除を指示するＰＤＣＣＨである場合、前記ＡＣＫ／ＮＡＣＫ情報は、前記ＳＰＳ解除を指示するＰＤＣＣＨに関する、請求項１〜３のいずれか１項に記載の方法。
【請求項５】
前記第１のアンテナポートおよび前記第２のアンテナポートを通して前記ＡＣＫ／ＮＡＣＫ情報を伝送するように前記ユーザー機器に命令する情報を受信することをさらに含む、請求項１〜３のいずれか１項に記載の方法。
【請求項６】
無線通信システムにおいて基地局によってＡＣＫ／ＮＡＣＫ（ＡＣＫｎｏｗｌｅｄｇｅｍｅｎｔ／ＮｅｇａｔｉｖｅＡＣＫ）情報を受信する方法であって、前記方法は、
ユーザー機器にＰＤＣＣＨ（Ｐｈｙｓｉｃａｌ  Ｄｏｗｎｌｉｎｋ  Ｃｏｎｔｒｏｌ  ＣＨａｎｎｅｌ）を伝送することと、
前記ユーザー機器に、ＡＣＫ／ＮＡＣＫ反復のためのＰＵＣＣＨ（Ｐｈｙｓｉｃａｌ  Ｕｐｌｉｎｋ  Ｃｏｎｔｒｏｌ  ＣＨａｎｎｅｌ）リソース情報を伝送することと、
第１のサブフレームにおいて前記ユーザー機器の第１のアンテナポートおよび前記ユーザー機器の第２のアンテナポートから前記ＡＣＫ／ＮＡＣＫ情報の初期受信を行うことと、
前記ＰＵＣＣＨリソース情報に基づいて前記第１のサブフレームに後続する１つ以上の連続したサブフレームにおいて前記第１のアンテナポートおよび前記第２のアンテナポートから前記ＡＣＫ／ＮＡＣＫ情報の受信の反復受信を行うことと
を含み、
前記ＡＣＫ／ＮＡＣＫ情報の初期受信は、第１のＰＵＣＣＨリソースｎ（１）ＰＵＣＣＨ，１を用いて前記第１のアンテナポートから、および、第２のＰＵＣＣＨリソースｎ（１）ＰＵＣＣＨ，２を用いて前記第２のアンテナポートから、受信され、ｎ（１）ＰＵＣＣＨ，１＝ｎＣＣＥ＋Ｎ（１）ＰＵＣＣＨであり、ｎ（１）ＰＵＣＣＨ，２＝ｎＣＣＥ＋１＋Ｎ（１）ＰＵＣＣＨであり、ｎＣＣＥは、前記ＰＤＣＣＨのＣＣＥ（Ｃｏｎｔｒｏｌ  Ｃｈａｎｎｅｌ  Ｅｌｅｍｅｎｔ）インデックスの中の最も低いＣＣＥインデックスであり、Ｎ（１）ＰＵＣＣＨは、上位レイヤーによって設定され、
前記ＡＣＫ／ＮＡＣＫ情報の反復受信は、第３のＰＵＣＣＨリソースｎ（１）ＰＵＣＣＨ，３を用いて前記第１のアンテナポートから、および、第４のＰＵＣＣＨリソースｎ（１）ＰＵＣＣＨ，４を用いて前記第２のアンテナポートから、受信され、ｎ（１）ＰＵＣＣＨ，３、ｎ（１）ＰＵＣＣＨ，４は、前記ＰＵＣＣＨリソース情報によって、それぞれ、前記第１のアンテナポート、前記第２のアンテナポートに対して設定される、方法。
【請求項７】
前記ユーザー機器にＡＣＫ／ＮＡＣＫ反復の数Ｎｒｅｐを指示する情報を伝送することをさらに含み、
前記ＡＣＫ／ＮＡＣＫ情報の反復受信は、前記第１のサブフレームに後続する「Ｎｒｅｐ−１」個の連続したサブフレームにおいて、前記第３のＰＵＣＣＨリソースｎ（１）ＰＵＣＣＨ，３および前記第４のＰＵＣＣＨリソースｎ（１）ＰＵＣＣＨ，４を用いて、「Ｎｒｅｐ−１」回だけ行われる、請求項６に記載の方法。
【請求項８】
前記ＡＣＫ／ＮＡＣＫ反復の数Ｎｒｅｐを指示する情報および前記ＰＵＣＣＨリソース情報を、ＲＲＣ（Ｒａｄｉｏ  Ｒｅｓｏｕｒｃｅ  Ｃｏｎｔｒｏｌ）メッセージを通じて前記ユーザー機器に伝送することをさらに含む、請求項７に記載の方法。
【請求項９】
前記ＰＤＣＣＨが特定のＰＤＳＣＨ（Ｐｈｙｓｉｃａｌ  Ｄｏｗｎｌｉｎｋ  Ｓｈａｒｅｄ  ＣＨａｎｎｅｌ）を指示するＰＤＣＣＨである場合、前記ＡＣＫ／ＮＡＣＫ情報は、前記特定のＰＤＳＣＨに関し、
前記ＰＤＣＣＨが半−持続的スケジューリング（ＳＰＳ）解除を指示するＰＤＣＣＨである場合、前記ＡＣＫ／ＮＡＣＫ情報は、前記ＳＰＳ解除を指示するＰＤＣＣＨに関する、請求項６〜８のいずれか１項に記載の方法。
【請求項１０】
前記第１のアンテナポートおよび前記第２のアンテナポートを通して前記ＡＣＫ／ＮＡＣＫ情報を伝送するように前記ユーザー機器に命令する情報を前記ユーザー機器に伝送することをさらに含む、請求項６〜８のいずれか１項に記載の方法。
【請求項１１】
無線通信システムにおいてＡＣＫ／ＮＡＣＫ（ＡＣＫｎｏｗｌｅｄｇｅｍｅｎｔ／ＮｅｇａｔｉｖｅＡＣＫ）情報を伝送するユーザー機器であって、前記ユーザー機器は、
受信器と、
送信器と、
前記受信器および前記送信器を制御するプロセッサと
を備え、
前記プロセッサは、ＰＤＣＣＨ（Ｐｈｙｓｉｃａｌ  Ｄｏｗｎｌｉｎｋ  Ｃｏｎｔｒｏｌ  ＣＨａｎｎｅｌ）を受信することと、ＡＣＫ／ＮＡＣＫ反復のためのＰＵＣＣＨ（Ｐｈｙｓｉｃａｌ  Ｕｐｌｉｎｋ  Ｃｏｎｔｒｏｌ  ＣＨａｎｎｅｌ）リソース情報を受信することとを行うように前記受信器を制御し、
前記プロセッサは、第１のサブフレームにおいて第１のアンテナポートおよび第２のアンテナポートを通して前記ＡＣＫ／ＮＡＣＫ情報の初期伝送を行うように前記送信器を制御し、
前記プロセッサは、前記ＰＵＣＣＨリソース情報に基づいて前記第１のサブフレームに後続する１つ以上の連続したサブフレームにおいて前記第１のアンテナポートおよび前記第２のアンテナポートを通して前記ＡＣＫ・ＮＡＣＫ情報の反復伝送を行うように前記送信器を制御し、
前記ＡＣＫ／ＮＡＣＫ情報の初期伝送は、第１のＰＵＣＣＨリソースｎ（１）ＰＵＣＣＨ，１を用いて前記第１のアンテナポートを通して、および、第２のＰＵＣＣＨリソースｎ（１）ＰＵＣＣＨ，２を用いて前記第２のアンテナポートを通して、行われ、ｎ（１）ＰＵＣＣＨ，１＝ｎＣＣＥ＋Ｎ（１）ＰＵＣＣＨであり、ｎ（１）ＰＵＣＣＨ，２＝ｎＣＣＥ＋１＋Ｎ（１）ＰＵＣＣＨであり、ｎＣＣＥは、前記ＰＤＣＣＨのＣＣＥ（Ｃｏｎｔｒｏｌ  Ｃｈａｎｎｅｌ  Ｅｌｅｍｅｎｔ）インデックスの中の最も低いＣＣＥインデックスであり、Ｎ（１）ＰＵＣＣＨは、上位レイヤーによって設定され、
前記ＡＣＫ／ＮＡＣＫ情報の反復伝送は、第３のＰＵＣＣＨリソースｎ（１）ＰＵＣＣＨ，３を用いて前記第１のアンテナポートを通して、および、第４のＰＵＣＣＨリソースｎ（１）ＰＵＣＣＨ，４を用いて前記第２のアンテナポートを通して、行われ、ｎ（１）ＰＵＣＣＨ，３、ｎ（１）ＰＵＣＣＨ，４は、前記ＰＵＣＣＨリソース情報によって、それぞれ、前記第１のアンテナポート、前記第２のアンテナポートに対して設定される、ユーザー機器。
【請求項１２】
前記受信器は、ＡＣＫ／ＮＡＣＫ反復の数Ｎｒｅｐを指示する情報を受信し、前記プロセッサは、前記第１のサブフレームに後続する「Ｎｒｅｐ−１」個の連続したサブフレームにおいて、前記第３のＰＵＣＣＨリソースｎ（１）ＰＵＣＣＨ，３および前記第４のＰＵＣＣＨリソースｎ（１）ＰＵＣＣＨ，４を用いて「Ｎｒｅｑ−１」回だけ前記ＡＣＫ／ＮＡＣＫ情報の反復伝送を行うように前記送信器を制御する、請求項１１に記載のユーザー機器。
【請求項１３】
前記受信器は、前記ＡＣＫ／ＮＡＣＫ反復の数Ｎｒｅｐを指示する情報および前記ＰＵＣＣＨリソース情報を、ＲＲＣ（Ｒａｄｉｏ  Ｒｅｓｏｕｒｃｅ  Ｃｏｎｔｒｏｌ）メッセージを通じて受信する、請求項１２に記載のユーザー機器。
【請求項１４】
前記ＰＤＣＣＨが特定のＰＤＳＣＨ（Ｐｈｙｓｉｃａｌ  Ｄｏｗｎｌｉｎｋ  Ｓｈａｒｅｄ  ＣＨａｎｎｅｌ）を指示するＰＤＣＣＨである場合、前記ＡＣＫ／ＮＡＣＫ情報は、前記特定のＰＤＳＣＨに関し、
前記ＰＤＣＣＨが半−持続的スケジューリング（ＳＰＳ）解除を指示するＰＤＣＣＨである場合、前記ＡＣＫ／ＮＡＣＫ情報は、前記ＳＰＳ解除を指示するＰＤＣＣＨに関する、請求項１１〜１３のいずれか１項に記載のユーザー機器。
【請求項１５】
前記受信器は、前記第１のアンテナポートおよび前記第２のアンテナポートを通して前記ＡＣＫ／ＮＡＣＫ情報を伝送するように前記ユーザー機器に命令する情報を受信する、請求項１１〜１３のいずれか１項に記載のユーザー機器。
【請求項１６】
無線通信システムにおいてＡＣＫ／ＮＡＣＫ（ＡＣＫｎｏｗｌｅｄｇｅｍｅｎｔ／ＮｅｇａｔｉｖｅＡＣＫ）情報を受信する基地局であって、前記基地局は、
受信器と、
送信器と、
前記受信器および前記送信器を制御するプロセッサと
を備え、
前記プロセッサは、ユーザー機器にＰＤＣＣＨ（Ｐｈｙｓｉｃａｌ  Ｄｏｗｎｌｉｎｋ  Ｃｏｎｔｒｏｌ  ＣＨａｎｎｅｌ）を伝送することと、前記ユーザー機器に、ＡＣＫ／ＮＡＣＫ反復のためのＰＵＣＣＨ（Ｐｈｙｓｉｃａｌ  Ｕｐｌｉｎｋ  Ｃｏｎｔｒｏｌ  ＣＨａｎｎｅｌ）リソース情報を伝送することとを行うように前記送信器を制御し、
前記プロセッサは、第１のサブフレームにおいて前記ユーザー機器の第１のアンテナポートおよび前記ユーザー機器の第２のアンテナポートから前記ＡＣＫ／ＮＡＣＫ情報の初期受信を行うように前記受信器を制御し、
前記プロセッサは、前記ＰＵＣＣＨリソース情報に基づいて前記第１のサブフレームに後続する１つ以上の連続したサブフレームにおいて前記第１のアンテナポートおよび前記第２のアンテナポートから前記ＡＣＫ／ＮＡＣＫ情報の反復受信を行うように前記受信器を制御し、
前記ＡＣＫ／ＮＡＣＫ情報の初期受信は、第１のＰＵＣＣＨリソースｎ（１）ＰＵＣＣＨ，１を用いて前記第１のアンテナポートから、および、第２のＰＵＣＣＨリソースｎ（１）ＰＵＣＣＨ，２を用いて前記第２のアンテナポートから、受信され、ｎ（１）ＰＵＣＣＨ，１＝ｎＣＣＥ＋Ｎ（１）ＰＵＣＣＨであり、ｎ（１）ＰＵＣＣＨ，２＝ｎＣＣＥ＋１＋Ｎ（１）ＰＵＣＣＨであり、ｎＣＣＥは、前記ＰＤＣＣＨのＣＣＥ（Ｃｏｎｔｒｏｌ  Ｃｈａｎｎｅｌ  Ｅｌｅｍｅｎｔ）インデックスの中の最も低いＣＣＥインデックスであり、Ｎ（１）ＰＵＣＣＨは、上位レイヤーによって設定され、
前記ＡＣＫ／ＮＡＣＫ情報の反復受信は、第３のＰＵＣＣＨリソースｎ（１）ＰＵＣＣＨ，３を用いて前記第１のアンテナポートから、および、第４のＰＵＣＣＨリソースｎ（１）ＰＵＣＣＨ，４を用いて前記第２のアンテナポートから、受信され、ｎ（１）ＰＵＣＣＨ，３、ｎ（１）ＰＵＣＣＨ，４は、前記ＰＵＣＣＨリソース情報によって、それぞれ、前記第１のアンテナポート、前記第２のアンテナポートに対して設定される、基地局。
【請求項１７】
前記プロセッサは、前記ユーザー機器にＡＣＫ／ＮＡＣＫ反復の数Ｎｒｅｐを指示する情報を伝送するように前記送信器を制御し、前記第１のサブフレームに後続する「Ｎｒｅｐ−１」個の連続したサブフレームにおいて、前記第３のＰＵＣＣＨリソースｎ（１）ＰＵＣＣＨ，３および前記第４のＰＵＣＣＨリソースｎ（１）ＰＵＣＣＨ，４を用いて「Ｎｒｅｑ−１」回だけ前記ＡＣＫ／ＮＡＣＫ情報の反復受信を行うように前記受信器を制御する、請求項１６に記載の基地局。
【請求項１８】
前記プロセッサは、前記ＡＣＫ／ＮＡＣＫ反復の数Ｎｒｅｐを指示する情報および前記ＰＵＣＣＨリソース情報を、ＲＲＣ（Ｒａｄｉｏ  Ｒｅｓｏｕｒｃｅ  Ｃｏｎｔｒｏｌ）メッセージを通じて前記ユーザー機器に伝送するように前記送信器を制御する、請求項１７に記載の基地局。
【請求項１９】
前記ＰＤＣＣＨが特定のＰＤＳＣＨ（Ｐｈｙｓｉｃａｌ  Ｄｏｗｎｌｉｎｋ  Ｓｈａｒｅｄ  ＣＨａｎｎｅｌ）を指示するＰＤＣＣＨである場合、前記ＡＣＫ／ＮＡＣＫ情報は、前記ＰＤＳＣＨに関し、
前記ＰＤＣＣＨが半−持続的スケジューリング（ＳＰＳ）解除を指示するＰＤＣＣＨである場合、前記ＡＣＫ／ＮＡＣＫ情報は、前記ＳＰＳ解除を指示する、請求項１６〜１８のいずれか１項に記載の基地局。
【請求項２０】
前記プロセッサは、前記第１のアンテナポートおよび前記第２のアンテナポートによって引き起こされるＡＣＫ／ＮＡＣＫ情報の伝送を指示する情報を前記ユーザー機器に伝送する、請求項１６〜１８のいずれか１項に記載の基地局。
【発明の詳細な説明】
【技術分野】
【０００１】
本発明は、無線通信システムに関する。特に、本発明は、上りリンク制御情報を伝送する方法及び装置に関する。
【背景技術】
【０００２】
無線通信システムが音声やデータのような種々の通信サービスを提供するために広範囲に展開されている。一般に、無線通信システムは、可用のシステムリソース（帯域幅、伝送パワーなど）を共有してマルチユーザーとの通信を支援し得る多重接続（ｍｕｌｔｉｐｌｅ  ａｃｃｅｓｓ）システムのことをいう。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明は、従来技術の制約及び短所に起因する問題点を解消する、ＡＣＫ／ＮＡＣＫ情報を伝送する方法及びユーザー機器、並びにＡＣＫ／ＮＡＣＫ情報を受信する方法及び基地局に関する。
【０００４】
本発明の目的は、無線通信システムにおいて制御情報を效率的に伝送する方法及びそのための装置を提供することにある。本発明の他の目的は、制御情報を效率的に伝送するためのチャネルフォーマット、信号処理、及びそのための装置を提供することにある。本発明のさらに他の目的は、制御情報を伝送するためのリソースを效率的に割り当てる方法及びそのための装置を提供することにある。
【０００５】
本発明が達成しようとする技術的課題は、上記の技術的課題に制限されず、言及していない他の技術的課題は、以下の発明の詳細な説明から、本発明の属する技術の分野における通常の知識を有する者には明確に理解されるであろう。
【課題を解決するための手段】
【０００６】
本発明の一態様として、無線通信システムにおいてユーザー機器が基地局にＡＣＫ／ＮＡＣＫ（ＡＣＫｎｏｗｌｅｇｅｍｅｎｔ／ＮｅｇａｔｉｖｅＡＣＫ）情報を伝送する方法であって、前記基地局から少なくとも一つのＰＤＣＣＨ（Ｐｈｙｓｉｃａｌ  Ｄｏｗｎｌｉｎｋ  Ｃｏｎｔｒｏｌ  ＣＨａｎｎｅｌ）を受信することと、前記基地局から、ＡＣＫ／ＮＡＣＫ反復のための、第１アンテナポートのための第１ＰＵＣＣＨリソース及び第２アンテナポートのための第２ＰＵＣＣＨリソースを指示する情報を含むＰＵＣＣＨ（Ｐｈｙｓｉｃａｌ  Ｕｐｌｉｎｋ  Ｃｏｎｔｒｏｌ  ＣＨａｎｎｅｌ）リソース情報を受信することと、前記ＰＤＣＣＨのＣＣＥ（Ｃｏｎｔｒｏｌ  Ｃｈａｎｎｅｌ  Ｅｌｅｍｅｎｔ）インデックスのうち、最も低いＣＣＥインデックスｎＣＣＥから誘導されたＰＵＣＣＨリソースを用いて、前記ＡＣＫ／ＮＡＣＫ情報を前記第１アンテナポートを通して前記基地局に伝送し、ｎＣＣＥ＋１から誘導されたＰＵＣＣＨリソースを用いて、前記ＡＣＫ／ＮＡＣＫ情報を前記第２アンテナポートを通して前記基地局に伝送する、初期伝送を行うことと、前記第１ＰＵＣＣＨリソースを用いて、前記ＡＣＫ／ＮＡＣＫ情報を前記第１アンテナポートを通して前記基地局に反復して伝送し、前記第２ＰＵＣＣＨリソースを用いて、前記ＡＣＫ／ＮＡＣＫ情報を前記第２アンテナポートを通して前記基地局に反復して伝送する、反復伝送を行うことと、を具備する、ＡＣＫ／ＮＡＣＫ情報伝送方法が提供される。
【０００７】
本発明の他の態様として、無線通信システムにおいて基地局がユーザー機器からＡＣＫ／ＮＡＣＫ（ＡＣＫｎｏｗｌｅｇｅｍｅｎｔ／ＮｅｇａｔｉｖｅＡＣＫ）情報を受信する方法であって、前記ユーザー機器に少なくとも一つのＰＤＣＣＨ（Ｐｈｙｓｉｃａｌ  Ｄｏｗｎｌｉｎｋ  Ｃｏｎｔｒｏｌ  ＣＨａｎｎｅｌ）を伝送することと、前記ユーザー機器に、ＡＣＫ／ＮＡＣＫ反復のための、前記ユーザー機器の第１アンテナポートのための第１ＰＵＣＣＨリソース及び前記ユーザー機器の第２アンテナポートのための第２ＰＵＣＣＨリソースを指示する情報を含むＰＵＣＣＨ（Ｐｈｙｓｉｃａｌ  Ｕｐｌｉｎｋ  Ｃｏｎｔｒｏｌ  ＣＨａｎｎｅｌ）リソース情報を伝送することと、前記ＰＤＣＣＨのＣＣＥ（Ｃｏｎｔｒｏｌ  Ｃｈａｎｎｅｌ  Ｅｌｅｍｅｎｔ）インデックスのうち、最も低いＣＣＥインデックスｎＣＣＥから誘導されたＰＵＣＣＨリソースを用いて、前記第１アンテナポートから前記ＡＣＫ／ＮＡＣＫ情報を受信し、ｎＣＣＥ＋１から誘導されたＰＵＣＣＨリソースを用いて、前記第２アンテナポートから前記ＡＣＫ／ＮＡＣＫ情報を受信する、初期受信を行うことと、前記第１ＰＵＣＣＨリソースを用いて、前記第１アンテナポートから前記ＡＣＫ／ＮＡＣＫ情報を反復して受信し、前記第２ＰＵＣＣＨリソースを用いて、前記第２アンテナポートから前記ＡＣＫ／ＮＡＣＫ情報を反復して受信する、反復受信を行うことと、を具備するＡＣＫ／ＮＡＣＫ情報受信方法が提供される。
【０００８】
本発明のさらに他の態様として、無線通信システムにおいて基地局にＡＣＫ／ＮＡＣＫ（ＡＣＫｎｏｗｌｅｇｅｍｅｎｔ／ＮｅｇａｔｉｖｅＡＣＫ）情報を伝送するユーザー機器であって：受信器と；送信器と；前記受信器及び前記送信器を制御するプロセッサと；を備え、前記受信器は、前記基地局から少なくとも一つのＰＤＣＣＨ（Ｐｈｙｓｉｃａｌ  Ｄｏｗｎｌｉｎｋ  Ｃｏｎｔｒｏｌ  ＣＨａｎｎｅｌ）を受信し、前記基地局から、ＡＣＫ／ＮＡＣＫ反復のための、第１アンテナポートのための第１ＰＵＣＣＨリソース及び第２アンテナポートのための第２ＰＵＣＣＨリソースを指示する情報を含むＰＵＣＣＨ（Ｐｈｙｓｉｃａｌ  Ｕｐｌｉｎｋ  Ｃｏｎｔｒｏｌ  ＣＨａｎｎｅｌ）リソース情報を受信するように構成され；前記プロセッサは、前記ＰＤＣＣＨのＣＣＥ（Ｃｏｎｔｒｏｌ  Ｃｈａｎｎｅｌ  Ｅｌｅｍｅｎｔ）インデックスのうち、最も低いＣＣＥインデックスｎＣＣＥから誘導されたＰＵＣＣＨリソースを用いて、前記ＡＣＫ／ＮＡＣＫ情報を前記第１アンテナポートを通して前記基地局に伝送し、ｎＣＣＥ＋１から誘導されたＰＵＣＣＨリソースを用いて、前記ＡＣＫ／ＮＡＣＫ情報を前記第２アンテナポートを通して前記基地局に伝送する、初期伝送を行うように前記送信器を制御し；前記第１ＰＵＣＣＨリソースを用いて、前記ＡＣＫ／ＮＡＣＫ情報を前記第１アンテナポートを通して前記基地局に反復して伝送し、前記第２ＰＵＣＣＨリソースを用いて、前記ＡＣＫ／ＮＡＣＫ情報を前記第２アンテナポートを通して前記基地局に反復して伝送する、反復伝送を行うように前記送信器を制御する；ユーザー機器が提供される。
【０００９】
本発明のさらに他の態様として、無線通信システムにおいてユーザー機器からＡＣＫ／ＮＡＣＫ（ＡＣＫｎｏｗｌｅｇｅｍｅｎｔ／ＮｅｇａｔｉｖｅＡＣＫ）情報を受信する基地局であって：受信器と；送信器と；前記受信器及び前記送信器を制御するように構成されたプロセッサ；を備え、前記プロセッサは、前記ユーザー機器に少なくとも一つのＰＤＣＣＨ（Ｐｈｙｓｉｃａｌ  Ｄｏｗｎｌｉｎｋ  Ｃｏｎｔｒｏｌ  ＣＨａｎｎｅｌ）を伝送するように前記送信器を制御し、前記ユーザー機器に、ＡＣＫ／ＮＡＣＫ反復のための、前記ユーザー機器の第１アンテナポートのための第１ＰＵＣＣＨリソース及び前記ユーザー機器の第２アンテナポートのための第２ＰＵＣＣＨリソースを指示する情報を含むＰＵＣＣＨ（Ｐｈｙｓｉｃａｌ  Ｕｐｌｉｎｋ  Ｃｏｎｔｒｏｌ  ＣＨａｎｎｅｌ）リソース情報を伝送するように前記送信器を制御し；前記ＰＤＣＣＨのＣＣＥ（Ｃｏｎｔｒｏｌ  Ｃｈａｎｎｅｌ  Ｅｌｅｍｅｎｔ）インデックスのうち、最も低いＣＣＥインデックスｎＣＣＥから誘導されたＰＵＣＣＨリソースを用いて、前記第１アンテナポートから前記ＡＣＫ／ＮＡＣＫ情報を受信し、ｎＣＣＥ＋１から誘導されたＰＵＣＣＨリソースを用いて、前記第２アンテナポートから前記ＡＣＫ／ＮＡＣＫ情報を受信する、初期受信を行うように前記受信器を制御し；前記第１ＰＵＣＣＨリソースを用いて、前記第１アンテナポートから前記ＡＣＫ／ＮＡＣＫ情報を反復して受信し、前記第２ＰＵＣＣＨリソースを用いて、前記第２アンテナポートから前記ＡＣＫ／ＮＡＣＫ情報を反復して受信する、反復受信を行うように前記受信器を制御する；基地局が提供される。
【００１０】
本発明の各態様において、前記基地局から前記ユーザー機器に、前記ＡＣＫ／ＮＡＣＫ反復の回数を表す情報が伝送され、前記ユーザー機器から前記基地局に、前記第１ＰＵＣＣＨリソース及び前記第２ＰＵＣＣＨリソースを用いて前記回数−１回前記反復伝送が行われてもよい。
【００１１】
本発明の各態様において、前記ＡＣＫ／ＮＡＣＫ反復の回数と前記ＰＵＣＣＨリソース情報が、ＲＲＣ（Ｒａｄｉｏ  Ｒｅｓｏｕｒｃｅ  Ｃｏｎｔｒｏｌ）メッセージを通じて、前記基地局から前記ユーザー機器に伝送されてもよい。
【００１２】
本発明の各態様において、前記ＰＤＣＣＨが特定ＰＤＳＣＨを指示するＰＤＣＣＨであれば、前記ＡＣＫ／ＮＡＣＫ情報は、前記ＰＤＳＣＨに関するものであり、前記ＰＤＣＣＨが下りリンク半−持続的スケジューリング（Ｓｅｍｉ−Ｓｔａｔｉｃ  Ｓｃｈｅｄｕｌｉｎｇ、ＳＰＳ）解除を指示するＰＤＣＣＨであれば、前記ＡＣＫ／ＮＡＣＫ情報は、前記ＳＰＳ解除を指示する前記ＰＤＣＣＨに関するものであってもよい。
【００１３】
本発明の各態様において、前記２個のアンテナポートによるＡＣＫ／ＮＡＣＫ情報の伝送を指示する情報が前記基地局から前記ユーザー機器に伝送されてもよい。
【００１４】
上記の課題の解決方法は、本発明の実施例の一部に過ぎず、本願発明の技術的特徴が反映された種々の実施例が、当該技術の分野における通常の知識を有する者にとっては、以下に記載される本発明の詳細な説明から導出され理解されるであろう。
本願明細書は、例えば、以下の項目も提供する。
（項目１）
無線通信システムにおいてユーザー機器が基地局にＡＣＫ／ＮＡＣＫ（ＡＣＫｎｏｗｌｅｇｅｍｅｎｔ／ＮｅｇａｔｉｖｅＡＣＫ）情報を伝送する方法であって、
前記基地局から少なくとも一つのＰＤＣＣＨ（Ｐｈｙｓｉｃａｌ  Ｄｏｗｎｌｉｎｋ  Ｃｏｎｔｒｏｌ  ＣＨａｎｎｅｌ）を受信することと、
前記基地局から、ＡＣＫ／ＮＡＣＫ反復のための、第１アンテナポートのための第１ＰＵＣＣＨリソース及び第２アンテナポートのための第２ＰＵＣＣＨリソースを指示する情報を含むＰＵＣＣＨ（Ｐｈｙｓｉｃａｌ  Ｕｐｌｉｎｋ  Ｃｏｎｔｒｏｌ  ＣＨａｎｎｅｌ）リソース情報を受信することと、
前記ＰＤＣＣＨのＣＣＥ（Ｃｏｎｔｒｏｌ  Ｃｈａｎｎｅｌ  Ｅｌｅｍｅｎｔ）インデックスのうち、最も低いＣＣＥインデックスｎＣＣＥから誘導されたＰＵＣＣＨリソースを用いて、前記ＡＣＫ／ＮＡＣＫ情報を前記第１アンテナポートを通して前記基地局に伝送し、ｎＣＣＥ＋１から誘導されたＰＵＣＣＨリソースを用いて、前記ＡＣＫ／ＮＡＣＫ情報を前記第２アンテナポートを通して前記基地局に伝送する、初期伝送を行うことと、
前記第１ＰＵＣＣＨリソースを用いて、前記ＡＣＫ／ＮＡＣＫ情報を前記第１アンテナポートを通して前記基地局に反復して伝送し、前記第２ＰＵＣＣＨリソースを用いて、前記ＡＣＫ／ＮＡＣＫ情報を前記第２アンテナポートを通して前記基地局に反復して伝送する、反復伝送を行うことと、
を具備する、ＡＣＫ／ＮＡＣＫ情報伝送方法。
（項目２）
前記基地局から、前記ＡＣＫ／ＮＡＣＫ反復の回数を表す情報を受信することをさらに具備し、
前記反復伝送は、前記第１ＰＵＣＣＨリソース及び前記第２ＰＵＣＣＨリソースを用いて前記回数−１回前記ＡＣＫ／ＮＡＣＫ情報を伝送する、
項目１に記載のＡＣＫ／ＮＡＣＫ情報伝送方法。
（項目３）
前記ＡＣＫ／ＮＡＣＫ反復の回数と前記ＰＵＣＣＨリソース情報を、ＲＲＣ（Ｒａｄｉｏ  Ｒｅｓｏｕｒｃｅ  Ｃｏｎｔｒｏｌ）メッセージを通じて前記基地局から受信することをさらに具備する、項目２に記載のＡＣＫ／ＮＡＣＫ情報伝送方法。
（項目４）
前記ＰＤＣＣＨが特定ＰＤＳＣＨを指示するＰＤＣＣＨであれば、前記ＡＣＫ／ＮＡＣＫ情報は、前記ＰＤＳＣＨに関するものであり、
前記ＰＤＣＣＨが下りリンク半−持続的スケジューリング（Ｓｅｍｉ−Ｓｔａｔｉｃ  Ｓｃｈｅｄｕｌｉｎｇ、ＳＰＳ）解除を指示するＰＤＣＣＨであれば、前記ＡＣＫ／ＮＡＣＫ情報は、前記ＳＰＳ解除を指示する前記ＰＤＣＣＨに関するものである、項目１〜３のいずれか１項に記載のＡＣＫ／ＮＡＣＫ情報伝送方法。
（項目５）
前記基地局から、前記２個のアンテナポートによるＡＣＫ／ＮＡＣＫ情報の伝送を指示する情報を受信することをさらに具備する、項目１〜３のいずれか１項に記載のＡＣＫ／ＮＡＣＫ情報伝送方法。
（項目６）
無線通信システムにおいて基地局がユーザー機器からＡＣＫ／ＮＡＣＫ（ＡＣＫｎｏｗｌｅｇｅｍｅｎｔ／ＮｅｇａｔｉｖｅＡＣＫ）情報を受信する方法であって、
前記ユーザー機器に少なくとも一つのＰＤＣＣＨ（Ｐｈｙｓｉｃａｌ  Ｄｏｗｎｌｉｎｋ  Ｃｏｎｔｒｏｌ  ＣＨａｎｎｅｌ）を伝送することと、
前記ユーザー機器に、ＡＣＫ／ＮＡＣＫ反復のための、前記ユーザー機器の第１アンテナポートのための第１ＰＵＣＣＨリソース及び前記ユーザー機器の第２アンテナポートのための第２ＰＵＣＣＨリソースを指示する情報を含むＰＵＣＣＨ（Ｐｈｙｓｉｃａｌ  Ｕｐｌｉｎｋ  Ｃｏｎｔｒｏｌ  ＣＨａｎｎｅｌ）リソース情報を伝送することと、
前記ＰＤＣＣＨのＣＣＥ（Ｃｏｎｔｒｏｌ  Ｃｈａｎｎｅｌ  Ｅｌｅｍｅｎｔ）インデックスのうち、最も低いＣＣＥインデックスｎＣＣＥから誘導されたＰＵＣＣＨリソースを用いて、前記第１アンテナポートから前記ＡＣＫ／ＮＡＣＫ情報を受信し、ｎＣＣＥ＋１から誘導されたＰＵＣＣＨリソースを用いて、前記第２アンテナポートから前記ＡＣＫ／ＮＡＣＫ情報を受信する、初期受信を行うことと、
前記第１ＰＵＣＣＨリソースを用いて、前記第１アンテナポートから前記ＡＣＫ／ＮＡＣＫ情報を反復して受信し、前記第２ＰＵＣＣＨリソースを用いて、前記第２アンテナポートから前記ＡＣＫ／ＮＡＣＫ情報を反復して受信する、反復受信を行うことと、
を具備するＡＣＫ／ＮＡＣＫ情報受信方法。
（項目７）
前記ユーザー機器に前記ＡＣＫ／ＮＡＣＫ反復の回数を表す情報を伝送することをさらに具備し、
前記反復受信は、前記第１ＰＵＣＣＨリソース及び前記第２ＰＵＣＣＨリソースを用いて前記回数−１回前記ＡＣＫ／ＮＡＣＫ情報を受信する、項目６に記載のＡＣＫ／ＮＡＣＫ情報受信方法。
（項目８）
前記ＡＣＫ／ＮＡＣＫ反復の回数と前記ＰＵＣＣＨリソース情報を、ＲＲＣ（Ｒａｄｉｏ  Ｒｅｓｏｕｒｃｅ  Ｃｏｎｔｒｏｌ）メッセージを通じて前記ユーザー機器に伝送することをさらに具備する、項目７に記載のＡＣＫ／ＮＡＣＫ情報受信方法。
（項目９）
前記ＰＤＣＣＨが特定ＰＤＳＣＨを指示するＰＤＣＣＨであれば、前記ＡＣＫ／ＮＡＣＫ情報は、前記ＰＤＳＣＨに関するものであり、
前記ＰＤＣＣＨが下りリンク半−持続的スケジューリング（Ｓｅｍｉ−Ｓｔａｔｉｃ  Ｓｃｈｅｄｕｌｉｎｇ、ＳＰＳ）解除を指示するＰＤＣＣＨであれば、前記ＡＣＫ／ＮＡＣＫ情報は、前記ＳＰＳ解除を指示する前記ＰＤＣＣＨに関するものである、項目６〜８のいずれか１項に記載のＡＣＫ／ＮＡＣＫ情報受信方法。
（項目１０）
前記２個のアンテナポートによるＡＣＫ／ＮＡＣＫ情報の伝送を指示する情報を前記ユーザー機器に伝送することをさらに具備する、項目６〜８のいずれか１項に記載のＡＣＫ／ＮＡＣＫ情報受信方法。
（項目１１）
無線通信システムにおいて基地局にＡＣＫ／ＮＡＣＫ（ＡＣＫｎｏｗｌｅｇｅｍｅｎｔ／ＮｅｇａｔｉｖｅＡＣＫ）情報を伝送するユーザー機器であって、
受信器と、
送信器と、
前記受信器及び前記送信器を制御するプロセッサと、を備え、
前記受信器は、前記基地局から少なくとも一つのＰＤＣＣＨ（Ｐｈｙｓｉｃａｌ  Ｄｏｗｎｌｉｎｋ  Ｃｏｎｔｒｏｌ  ＣＨａｎｎｅｌ）を受信し、前記基地局から、ＡＣＫ／ＮＡＣＫ反復のための、第１アンテナポートのための第１ＰＵＣＣＨリソース及び第２アンテナポートのための第２ＰＵＣＣＨリソースを指示する情報を含むＰＵＣＣＨ（Ｐｈｙｓｉｃａｌ  Ｕｐｌｉｎｋ  Ｃｏｎｔｒｏｌ  ＣＨａｎｎｅｌ）リソース情報を受信するように構成され、
前記プロセッサは、
前記ＰＤＣＣＨのＣＣＥ（Ｃｏｎｔｒｏｌ  Ｃｈａｎｎｅｌ  Ｅｌｅｍｅｎｔ）インデックスのうち、最も低いＣＣＥインデックスｎＣＣＥから誘導されたＰＵＣＣＨリソースを用いて、前記ＡＣＫ／ＮＡＣＫ情報を前記第１アンテナポートを通して前記基地局に伝送し、ｎＣＣＥ＋１から誘導されたＰＵＣＣＨリソースを用いて、前記ＡＣＫ／ＮＡＣＫ情報を前記第２アンテナポートを通して前記基地局に伝送する、初期伝送を行うように前記送信器を制御し、
前記第１ＰＵＣＣＨリソースを用いて、前記ＡＣＫ／ＮＡＣＫ情報を前記第１アンテナポートを通して前記基地局に反復して伝送し、前記第２ＰＵＣＣＨリソースを用いて、前記ＡＣＫ／ＮＡＣＫ情報を前記第２アンテナポートを通して前記基地局に反復して伝送する、反復伝送を行うように前記送信器を制御する、
ユーザー機器。
（項目１２）
前記受信器は、前記基地局から前記ＡＣＫ／ＮＡＣＫ反復の回数を表す情報を受信し、
前記プロセッサは、前記第１ＰＵＣＣＨリソース及び前記第２ＰＵＣＣＨリソースを用いて前記回数−１回前記反復伝送を行うように前記送信器を制御する、項目１１に記載のユーザー機器。
（項目１３）
前記受信器は、前記ＡＣＫ／ＮＡＣＫ反復の回数と前記ＰＵＣＣＨリソース情報を、ＲＲＣ（Ｒａｄｉｏ  Ｒｅｓｏｕｒｃｅ  Ｃｏｎｔｒｏｌ）メッセージを通じて前記基地局から受信する、項目１２に記載のユーザー機器。
（項目１４）
前記ＰＤＣＣＨが特定ＰＤＳＣＨを指示するＰＤＣＣＨであれば、前記ＡＣＫ／ＮＡＣＫ情報は、前記ＰＤＳＣＨに関するものであり、
前記ＰＤＣＣＨが下りリンク半−持続的スケジューリング（Ｓｅｍｉ−Ｓｔａｔｉｃ  Ｓｃｈｅｄｕｌｉｎｇ、ＳＰＳ）解除を指示するＰＤＣＣＨであれば、前記ＡＣＫ／ＮＡＣＫ情報は、前記ＳＰＳ解除を指示する前記ＰＤＣＣＨに関するものである、
項目１１〜１３のいずれか１項に記載のユーザー機器。
（項目１５）
前記受信器は、前記基地局から前記２個のアンテナポートによるＡＣＫ／ＮＡＣＫ情報の伝送を指示する情報を受信する、項目１１〜１３のいずれか１項に記載のユーザー機器。
（項目１６）
無線通信システムにおいてユーザー機器からＡＣＫ／ＮＡＣＫ（ＡＣＫｎｏｗｌｅｇｅｍｅｎｔ／ＮｅｇａｔｉｖｅＡＣＫ）情報を受信する基地局であって、
受信器と、
送信器と、
前記受信器及び前記送信器を制御するように構成されたプロセッサと、を備え、
前記プロセッサは、
前記ユーザー機器に少なくとも一つのＰＤＣＣＨ（Ｐｈｙｓｉｃａｌ  Ｄｏｗｎｌｉｎｋ  Ｃｏｎｔｒｏｌ  ＣＨａｎｎｅｌ）を伝送するように前記送信器を制御し、前記ユーザー機器に、ＡＣＫ／ＮＡＣＫ反復のための、前記ユーザー機器の第１アンテナポートのための第１ＰＵＣＣＨリソース及び前記ユーザー機器の第２アンテナポートのための第２ＰＵＣＣＨリソースを指示する情報を含むＰＵＣＣＨ（Ｐｈｙｓｉｃａｌ  Ｕｐｌｉｎｋ
Ｃｏｎｔｒｏｌ  ＣＨａｎｎｅｌ）リソース情報を伝送するように前記送信器を制御し、
前記ＰＤＣＣＨのＣＣＥ（Ｃｏｎｔｒｏｌ  Ｃｈａｎｎｅｌ  Ｅｌｅｍｅｎｔ）インデックスのうち、最も低いＣＣＥインデックスｎＣＣＥから誘導されたＰＵＣＣＨリソースを用いて、前記第１アンテナポートから前記ＡＣＫ／ＮＡＣＫ情報を受信し、ｎＣＣＥ＋１から誘導されたＰＵＣＣＨリソースを用いて、前記第２アンテナポートから前記ＡＣＫ／ＮＡＣＫ情報を受信する、初期受信を行うように前記受信器を制御し、
前記第１ＰＵＣＣＨリソースを用いて、前記第１アンテナポートから前記ＡＣＫ／ＮＡＣＫ情報を反復して受信し、前記第２ＰＵＣＣＨリソースを用いて、前記第２アンテナポートから前記ＡＣＫ／ＮＡＣＫ情報を反復して受信する、反復受信を行うように前記受信器を制御する、
基地局。
（項目１７）
前記プロセッサは、前記ユーザー機器に前記ＡＣＫ／ＮＡＣＫ反復の回数を表す情報を伝送するように前記送信器を制御し、
前記第１ＰＵＣＣＨリソース及び前記第２ＰＵＣＣＨリソースを用いて前記回数−１回前記ＡＣＫ／ＮＡＣＫ情報を反復的に受信するように前記受信器を制御する、項目６に記載の基地局。
（項目１８）
前記プロセッサは、前記ＡＣＫ／ＮＡＣＫ反復の回数と前記ＰＵＣＣＨリソース情報を、ＲＲＣ（Ｒａｄｉｏ  Ｒｅｓｏｕｒｃｅ  Ｃｏｎｔｒｏｌ）メッセージを通じて前記ユーザー機器に伝送するように前記送信器を制御する、項目１７に記載の基地局。
（項目１９）
前記ＰＤＣＣＨが特定ＰＤＳＣＨを指示するＰＤＣＣＨであれば、前記ＡＣＫ／ＮＡＣＫ情報は、前記ＰＤＳＣＨに関するものであり、
前記ＰＤＣＣＨが下りリンク半−持続的スケジューリング（Ｓｅｍｉ−Ｓｔａｔｉｃ  Ｓｃｈｅｄｕｌｉｎｇ、ＳＰＳ）解除を指示するＰＤＣＣＨであれば、前記ＡＣＫ／ＮＡＣＫ情報は、前記ＳＰＳ解除を指示する前記ＰＤＣＣＨに関するものである、項目１６〜１８のいずれか１項に記載の基地局。
（項目２０）
前記プロセッサは、前記２個のアンテナポートによるＡＣＫ／ＮＡＣＫ情報の伝送を指示する情報を前記ユーザー機器に伝送するように前記送信器を制御する、項目１６〜１８のいずれか１項に記載の基地局。
【発明の効果】
【００１５】
本発明の実施例は、下記の効果を奏する。
【００１６】
本発明によれば、無線通信システムにおいて制御情報を效率的に伝送することができる。また、制御情報を效率的に伝送するためのチャネルフォーマット、信号処理方法を提供することができる。また、制御情報伝送のためのリソースを效率的に割り当てることができる。
【００１７】
本発明から得られる効果は、以上に言及した効果に制限されず、言及していない別の効果は、下の記載から、本発明の属する技術の分野における通常の知識を有する者には明確に理解されるであろう。
【図面の簡単な説明】
【００１８】
本発明に関する理解を助けるために詳細な説明の一部として含まれる添付図面は、本発明の実施例を提供し、詳細な説明と共に本発明の技術的思想を説明する。
【図１】図１は、本発明を実行するユーザー機器（ＵＥ）及び基地局（ＢＳ）の構成要素を示すブロック図である。
【図２】図２は、ユーザー機器及び基地局内の送信器構造の一例を示す図である。
【図３】図３は、単一搬送波特性を満たしながら、入力シンボルを周波数ドメインで副搬送波にマッピングする例を示す図である。
【図４】図４は、クラスタ（ｃｌｕｓｔｅｒｅｄ）ＤＦＴ−ｓ−ＯＦＤＭにより入力シンボルが単一搬送波にマッピングされる例を示す図である。
【図５】図５及び図６は、クラスタＳＣ−ＦＤＭＡにおいてＤＦＴプロセス出力サンプルが多重搬送波（ｍｕｌｔｉ−ｃａｒｒｉｅｒ）にマッピングされる信号処理過程を示す図である。
【図６】図５及び図６は、クラスタＳＣ−ＦＤＭＡにおいてＤＦＴプロセス出力サンプルが多重搬送波（ｍｕｌｔｉ−ｃａｒｒｉｅｒ）にマッピングされる信号処理過程を示す図である。
【図７】図７は、セグメント（ｓｅｇｍｅｎｔｅｄ）ＳＣ−ＦＤＭＡの信号処理過程を示す図である。
【図８】図８は、無線通信システムで用いられる無線フレーム構造の例を示す図である。
【図９】図９は、無線通信システムにおいてＤＬ／ＵＬスロット構造の一例を示す図である。
【図１０】図１０は、無線通信システムにおいて下りリンクサブフレーム構造の一例を示す図である。
【図１１】図１１は、無線通信システムにおいて上りリンクサブフレーム構造の一例を示す図である。
【図１２】図１２は、ＡＣＫ／ＮＡＣＫのためのＰＵＣＣＨリソースを決定する例を示す図である。
【図１３】図１３は、ＰＵＣＣＨリソースインデックスとＰＵＣＣＨリソースとのマッピングを示す図である。
【図１４】図１４は、単一搬送波状況で通信を行う例を示す図である。
【図１５】図１５は、多重搬送波状況下で通信を行う例を示す図である。
【図１６】図１６は、基地局で一つのＭＡＣが多重搬送波を管理する概念を説明する図である。
【図１７】図１７は、ユーザー機器で一つのＭＡＣが多重搬送波を管理する概念を説明する図である。
【図１８】図１８は、基地局で複数のＭＡＣが多重搬送波を管理する概念を説明する図である。
【図１９】図１９は、ユーザー機器で複数のＭＡＣが多重搬送波を管理する概念を説明する図である。
【図２０】図２０は、基地局で複数のＭＡＣが多重搬送波を管理する他の概念を説明する図である。
【図２１】図２１は、ユーザー機器で複数のＭＡＣが多重搬送波を管理する他の概念を説明する図である。
【図２２】図２２及び図２３は、ＡＣＫ／ＮＡＣＫ伝送のためのＰＵＣＣＨフォーマット１ａ及び１ｂのスロットレベル構造を例示する図である。
【図２３】図２２及び図２３は、ＡＣＫ／ＮＡＣＫ伝送のためのＰＵＣＣＨフォーマット１ａ及び１ｂのスロットレベル構造を例示する図である。
【図２４】図２４は、搬送波アグリゲーションが支援される無線通信システムにおいて上りリンク制御情報（Ｕｐｌｉｎｋ  Ｃｏｎｔｒｏｌ  Ｉｎｆｏｒｍａｔｉｏｎ：ＵＣＩ）が伝送されるシナリオを例示する図である。
【図２５】図２５乃至図２８は、本発明で使用可能なＰＵＣＣＨフォーマット３の構造及びそのための信号処理過程を例示する図である。
【図２６】図２５乃至図２８は、本発明で使用可能なＰＵＣＣＨフォーマット３の構造及びそのための信号処理過程を例示する図である。
【図２７】図２５乃至図２８は、本発明で使用可能なＰＵＣＣＨフォーマット３の構造及びそのための信号処理過程を例示する図である。
【図２８】図２５乃至図２８は、本発明で使用可能なＰＵＣＣＨフォーマット３の構造及びそのための信号処理過程を例示する図である。
【図２９】図２９は、ＴＤＤ ＵＬ−ＤＬ構成を示す図である。
【図３０】図３０及び図３１は、チャネル選択によるＡＣＫ／ＮＡＣＫ伝送を示す図である。
【図３１】図３０及び図３１は、チャネル選択によるＡＣＫ／ＮＡＣＫ伝送を示す図である。
【図３２】図３２は、本発明の実施例１に係るＡＣＫ／ＮＡＣＫフィードバックを示す図である。
【図３３】図３３は、本発明の実施例２に係るＡＣＫ／ＮＡＣＫフィードバックを示す図である。
【図３４】図３４は、本発明の実施例３に係るＡＣＫ／ＮＡＣＫフィードバックを示す図である。
【図３５】図３５は、本発明の実施例４に係るＡＣＫ／ＮＡＣＫフィードバックを示す図である。
【図３６】図３６は、本発明の実施例５に係るＡＣＫ／ＮＡＣＫフィードバックを示す図である。
【図３７】図３７は、本発明の実施例６に係るＡＣＫ／ＮＡＣＫフィードバックを示す図である。
【図３８】図３８は、本発明の実施例７に係るＡＣＫ／ＮＡＣＫフィードバックを示す図である。
【図３９】図３９は、本発明の実施例８に係るＡＣＫ／ＮＡＣＫフィードバックを示す図である。
【図４０】図４０は、本発明の実施例９に係るＡＣＫ／ＮＡＣＫフィードバックを示す図である。
【図４１】図４１は、本発明の実施例１０に係るＡＣＫ／ＮＡＣＫフィードバックを示す図である。
【図４２】図４２は、本発明の実施例１１に係るＡＣＫ／ＮＡＣＫフィードバックを示す図である。
【図４３】図４３は、本発明の実施例１２に係るＡＣＫ／ＮＡＣＫフィードバックを示す図である。
【図４４】図４４は、本発明の実施例１３に係るＡＣＫ／ＮＡＣＫフィードバックを示す図である。
【図４５】図４５は、本発明の実施例１４に係るＡＣＫ／ＮＡＣＫフィードバックを示す図である。
【図４６】図４６は、本発明の実施例１５に係るＡＣＫ／ＮＡＣＫフィードバックを示す図である。
【図４７】図４７は、ＡＣＫ／ＮＡＣＫ伝送のタイミングを例示する図である。
【発明を実施するための形態】
【００１９】
以下、本発明の好適な実施形態を、添付の図面を参照して詳細に説明する。添付の図面と共に以下に開示される詳細な説明は、本発明の例示的な実施形態を説明するためのもので、本発明が実施され得る唯一の実施形態を示すためのものではない。以下の詳細な説明は、本発明の完全な理解を提供するために具体的な細部事項を含む。しかし、このような具体的な細部事項なしにも本発明の実施が可能であるということが当業者には理解される。
【００２０】
また、以下に説明される技法（ｔｅｃｈｎｉｑｕｅ）、装置、及びシステムは、様々な無線多重接続システムに適用されてもよい。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）又はＣＤＭＡ２０００のような無線技術（ｔｅｃｈｎｏｌｏｇｙ）で具現されている。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）、ＧＰＲＳ（Ｇｅｎｅｒａｌ  Ｐａｃｋｅｔ  Ｒａｄｉｏ  Ｓｅｒｖｉｃｅ）、ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）などのような無線技術で具現されている。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ８０２．１６（ＷｉＭＡＸ）、ＩＥＥＥ ８０２−２０、Ｅ−ＵＴＲＡ（ｅｖｏｌｖｅｄ−ＵＴＲＡ）などのような無線技術で具現されている。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部であり、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡを用いるＥ−ＵＭＴＳの一部である。３ＧＰＰ ＬＴＥは、下りリンクではＯＦＤＭＡを採択し、上りリンクではＳＣ−ＦＤＭＡを採択している。ＬＴＥ−Ａ（ＬＴＥ−ａｄｖａｎｃｅｄ）は、３ＧＰＰＬＴＥの進展した形態である。説明の便宜のために、以下では、本発明が３ＧＰＰ ＬＴＥ／ＬＴＥ−Ａに適用される場合を挙げて説明する。しかし、本発明の技術的特徴がこれに制限されるものではない。例えば、以下の詳細な説明が、３ＧＰＰＬＴＥ／ＬＴＥ−Ａシステムに対応する移動通信システムに基づいて説明されても、３ＧＰＰ ＬＴＥ／ＬＴＥ−Ａ特有の事項以外は、他の任意の移動通信システムにも同様の適用が可能である。
【００２１】
場合によっては、本発明の概念が曖昧になることを避けるために、公知の構造及び装置が省略されたり、各構造及び装置の核心機能を中心にしたブロック図の形式で図示されたりすることもある。また、本明細書全体を通じて同一の構成要素には同一の図面符号を付して説明する。
【００２２】
本発明において、ユーザー機器（ＵＥ:Ｕｓｅｒ  Ｅｑｕｉｐｍｅｎｔ）は、固定されていても、移動性を有してもよいもので、基地局と通信してユーザーデータ及び／又は各種の制御情報を送受信する各種機器であればよい。ユーザー機器は、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ばれることもある。また、本発明において、基地局（Ｂａｓｅ  Ｓｔａｔｉｏｎ、ＢＳ）は、一般に、ユーザー機器及び／又は他の基地局と通信する固定された地点（ｆｉｘｅｄ  ｓｔａｔｉｏｎ）のことを指し、ユーザー機器及び他の基地局と通信して各種データ及び制御情報を交換する。基地局は、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）などの他の用語と呼ばれることもある。
【００２３】
本発明において、特定信号がフレーム／サブフレーム／スロット／搬送波／副搬送波に割り当てられるということは、当該特定信号が該当のフレーム／サブフレーム／スロット／シンボルの期間／タイミングの間に、該当の搬送波／副搬送波を通じて伝送されるということを意味する。
【００２４】
本発明でいうランク或いは伝送ランクは、１ ＯＦＤＭシンボル或いは１データＲＥ（Ｒｅｓｏｕｒｃｅ  Ｅｌｅｍｅｎｔ）上に多重化された／割り当てられたレイヤーの個数を意味する。
【００２５】
本発明においてＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  ＣＨａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを運ぶリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／ランダムアクセス信号を運ぶリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれらに属したリソース要素（Ｒｅｓｏｕｒｃｅ  Ｅｌｅｍｅｎｔ、ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。
【００２６】
そのため、本発明において、ユーザー機器がＰＵＣＣＨ／ＰＵＳＣＨ／ＰＲＡＣＨを伝送するという表現は、それぞれ、ＰＵＳＣＨ／ＰＵＣＣＨ／ＰＲＡＣＨ上で上りリンク制御情報／上りリンクデータ／ランダムアクセス信号を伝送するということと同じ意味で使われる。また、基地局がＰＤＣＣＨ／ＰＣＦＩＣＨ／ＰＨＩＣＨ／ＰＤＳＣＨを伝送するという表現は、それぞれ、ＰＤＣＣＨ／ＰＣＦＩＣＨ／ＰＨＩＣＨ／ＰＤＳＣＨ上で下りリンクデータ／制御情報を伝送するということと同じ意味で使われる。
【００２７】
一方、本発明において、ＡＣＫ／ＮＡＣＫ情報を特定のコンステレーションポイント（ｃｏｎｓｔｅｌｌａｔｉｏｎ  ｐｏｉｎｔ）にマッピングするということは、ＡＣＫ／ＮＡＣＫ情報を特定の複素変調シンボルにマッピングするということと同じ意味で使われる。また、ＡＣＫ／ＮＡＣＫ情報を特定複素変調シンボルにマッピングするということは、ＡＣＫ／ＮＡＣＫ情報を特定の複素変調シンボルに変調するということと同じ意味で使われる。
【００２８】
図１は、本発明を実行するユーザー機器（ＵＥ）及び基地局（ＢＳ）の構成要素を示すブロック図である。
【００２９】
ＵＥは、上りリンクでは送信装置として動作し、下りリンクでは受信装置として動作する。一方、ＢＳは、上りリンクでは受信装置として動作し、下りリンクでは送信装置で動作する。
【００３０】
ＵＥ及びＢＳは、情報及び／又はデータ、信号、メッセージなどを受信できるアンテナ５００ａ，５００ｂ、アンテナを制御してメッセージを伝送する送信器（Ｔｒａｎｓｍｉｔｔｅｒ）１００ａ，１００ｂ、アンテナを制御してメッセージを受信する受信器（Ｒｅｃｅｉｖｅｒ）３００ａ，３００ｂ、無線通信システム内の通信に関連した各種の情報を保存するメモリー２００ａ，２００ｂを備える。また、ＵＥ及びＢＳは、ＵＥ又はＢＳに備えられた送信器、受信器、メモリーなどの構成要素と連動し、それらの構成要素を制御して本発明を実行するように構成されたプロセッサ４００ａ，４００ｂをそれぞれ備える。ＵＥ内の送信器１００ａ、受信器３００ａ、メモリー２００ａ、プロセッサ４００ａはそれぞれ、別個のチップ（ｃｈｉｐ）により独立した構成要素として具現されてもよく、２つ以上が一つのチップ（ｃｈｉｐ）により具現されてもよい。同様に、ＢＳ内の送信器１００ｂ、受信器３００ｂ、メモリー２００ｂ、プロセッサ４００ｂもそれぞれ、別個のチップにより独立した構成要素として具現されてもよく、２つ以上が一つのチップにより具現されてもよい。送信器と受信器とを統合してＵＥ又はＢＳ内で単一の送受信器（ｔｒａｎｓｃｅｉｖｅｒ）にしてもよい。
【００３１】
アンテナ５００ａ，５００ｂは、送信器１００ａ，１００ｂで生成された信号を外部に伝送したり、外部から無線信号を受信して受信器３００ａ，３００ｂに伝達する機能を果たす。アンテナ５００ａ，５００ｂはアンテナポートと呼ばれることもある。各アンテナポートは一つの物理アンテナに相当してもよく、一つよりも多い物理アンテナ要素（ｅｌｅｍｅｎｔ）の組み合わせにより構成されてもよい。各アンテナポートから伝送された信号はＵＥ内の受信器３００ａでそれ以上分解されることはない。該当のアンテナポートに対応して伝送された参照信号はＵＥの観点からのアンテナポートを定義し、チャネルが一物理アンテナからの単一（ｓｉｎｇｌｅ）無線チャネルなのか、或いは、当該アンテナポートを含む複数の物理アンテナ要素（ｅｌｅｍｅｎｔ）からの合成（ｃｏｍｐｏｓｉｔｅ）チャネルなのかにかからわず、ＵＥが当該アンテナポートに対するチャネル推定を行えるようにする。すなわち、アンテナポートは、当該アンテナポート上のシンボルを伝達するチャネルが、同アンテナポート上の他のシンボルが伝達されるチャネルから導出され得るように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援する送受信器は２個以上のアンテナに接続可能である。
【００３２】
プロセッサ４００ａ，４００ｂは、一般に、ＵＥ又はＢＳ内の各種モジュールの動作全般を制御する。特に、プロセッサ４００ａ，４００ｂは、本発明を実行するための各種の制御機能、サービス特性及び伝播環境によるＭＡＣ（Ｍｅｄｉｕｍ  Ａｃｃｅｓｓ  Ｃｏｎｔｒｏｌ）フレーム可変制御機能、遊休モード動作を制御するための電力節約モード機能、ハンドオーバー（Ｈａｎｄｏｖｅｒ）機能、認証及び暗号化機能などを実行することができる。プロセッサ４００ａ，４００ｂは、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ばれることもある。一方、プロセッサ４００ａ，４００ｂを、ハードウェア（ｈａｒｄｗａｒｅ）、ファームウェア（ｆｉｒｍｗａｒｅ）、ソフトウェア、又はこれらの結合により具現することができる。ハードウェアを用いて本発明を具現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、又はＦＰＧＡｓ（ｆｉｅｌｄ  ｐｒｏｇｒａｍｍａｂｌｅ  ｇａｔｅ  ａｒｒａｙｓ）などをプロセッサ４００ａ，４００ｂに備えることができる。一方、ファームウェアやソフトウェアを用いて本発明を具現する場合には、本発明の機能又は動作を行うモジュール、手順又は関数などを含むようにファームウェアやソフトウェアを構成することができ、本発明を実行し得るように構成されたファームウェア又はソフトウェアは、プロセッサ４００ａ，４００ｂ内に備えられてもよく、メモリー２００ａ，２００ｂに保存されてプロセッサ４００ａ，４００ｂにより駆動されてもよい。
【００３３】
送信器１００ａ，１００ｂは、プロセッサ４００ａ，４００ｂ又は該プロセッサに接続したスケジューラからスケジューリングされて外部に伝送される信号及び／又はデータに所定の符号化（ｃｏｄｉｎｇ）及び変調（ｍｏｄｕｌａｔｉｏｎ）を行ってからアンテナ５００ａ，５００ｂに伝達する。例えば、送信器１００ａ，１００ｂは、伝送しようとするデータ列に逆多重化、チャネル符号化及び変調過程などを行ってＫ個のレイヤーに変換する。Ｋ個のレイヤーは送信器内の送信処理器を経て送信アンテナ５００ａ，５００ｂから伝送される。ＵＥ及びＢＳの送信器１００ａ，１００ｂ及び受信器３００ａ，３００ｂは、送信信号及び受信信号を処理する過程によって異なる構成とすることができる。
【００３４】
メモリー２００ａ，２００ｂは、プロセッサ４００ａ，４００ｂの処理及び制御のためのプログラムを保存することができ、入出力される情報を臨時保存することができる。メモリー２００ａ，２００ｂはバッファーとして用いられてもよい。メモリーは、フラッシュメモリータイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）又はカードタイプのメモリー（例えば、ＳＤ又はＸＤメモリーなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリー、磁気ディスク、光ディスクなどを用いて具現することができる。
【００３５】
図２は、ユーザー機器及び基地局内の送信器構造の一例を示す図である。図２を参照して、送信器１００ａ，１００ｂの動作についてより具体的に説明する。
【００３６】
図２を参照すると、ＵＥ又は基地局内の送信器１００ａ，１００ｂは、スクランブラ３０１、変調マッパー３０２、レイヤーマッパー３０３、プリコーダ３０４、リソース要素マッパー３０５、及びＯＦＤＭ信号生成器３０６を備えることができる。
【００３７】
送信器１００ａ，１００ｂは、一つ以上のコードワード（ｃｏｄｅｗｏｒｄ）を送信することができる。各コードワード内の符号化されたビット（ｃｏｄｅｄ  ｂｉｔｓ）はそれぞれ、スクランブラ３０１によりスクランブリングされて物理チャネル上で伝送される。コードワードは、データ列と呼ばれることもあり、ＭＡＣ層が提供するデータブロックと等価である。ＭＡＣ層が提供するデータブロックは伝送ブロックと呼ばれることもある。
【００３８】
スクランブルされたビットは、変調マッパー３０２により複素変調シンボル（ｃｏｍｐｌｅｘ−ｖａｌｕｅｄ  ｍｏｄｕｌａｔｉｏｎ  ｓｙｍｂｏｌｓ）に変調される。変調マッパー３０２は、スクランブルされたビットを既に決定された変調方式によって変調して、信号コンステレーション（ｓｉｇｎａｌ  ｃｏｎｓｔｅｌｌａｔｉｏｎ）上の位置を表現する複素変調シンボルに配置することができる。変調方式（ｍｏｄｕｌａｔｉｏｎ  ｓｃｈｅｍｅ）には制限がなく、ｍ−ＰＳＫ（ｍ−Ｐｈａｓｅ  Ｓｈｉｆｔ  Ｋｅｙｉｎｇ）又はｍ−ＱＡＭ（ｍ−Ｑｕａｄｒａｔｕｒｅ  Ａｍｐｌｉｔｕｄｅ  Ｍｏｄｕｌａｔｉｏｎ）などを、上記の符号化されたデータの変調に用いることができる。
【００３９】
複素変調シンボルは、レイヤーマッパー３０３により一つ以上の伝送レイヤーにマッピングされる。
【００４０】
各レイヤー上の複素変調シンボルは、アンテナポート上での伝送のためにプリコーダ３０４によりプリコーディングされる。具体的に、プリコーダ３０４は、複素変調シンボルを多重送信アンテナ５００−１，…，５００−Ｎｔに基づくＭＩＭＯ方式で処理して、アンテナ特定シンボルを出力し、アンテナ特定シンボルを該当のリソース要素マッパー３０５に分配する。すなわち、伝送レイヤーのアンテナポートへのマッピングはプリコーダ３０４により行われる。プリコーダ３０４は、レイヤーマッパー３０３の出力ｘをＮｔ×Ｍｔのプリコーディング行列ＷとかけてＮｔ×ＭＦの行列ｚとして出力することができる。
【００４１】
リソース要素マッパー３０５は、各アンテナポートへの複素変調シンボルを適切なリソース要素（ｒｅｓｏｕｒｃｅ  ｅｌｅｍｅｎｔｓ）にマッピング／割り当てる。リソース要素マッパー３０５は、各アンテナポートに対する複素変調シンボルを適切な副搬送波に割り当て、ユーザーに基づいて多重化することができる。
【００４２】
ＯＦＤＭ信号生成器３０６は、各アンテナポートに対する複素変調シンボル、すなわち、アンテナ特定シンボルを、ＯＦＤＭ又はＳＣ−ＦＤＭ方式で変調し、複素時間ドメイン（ｃｏｍｐｌｅｘ−ｖａｌｕｅｄ  ｔｉｍｅ  ｄｏｍａｉｎ）ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル信号又はＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボル信号を生成する。ＯＦＤＭ信号生成器３０６は、アンテナ特定シンボルにＩＦＦＴ（Ｉｎｖｅｒｓｅ  Ｆａｓｔ  Ｆｏｕｒｉｅｒ  Ｔｒａｎｓｆｏｒｍ）を行うことができ、ＩＦＦＴの行われた時間ドメインシンボルにはＣＰ（Ｃｙｃｌｉｃ  Ｐｒｅｆｉｘ）を挿入することができる。ＯＦＤＭシンボルは、デジタル−アナログ（ｄｉｇｉｔａｌ−ｔｏ−ａｎａｌｏｇ）変換、周波数アップ変換などを経て、各送信アンテナ５００−１，…，５００−Ｎｔから受信装置に送信される。ＯＦＤＭ信号生成器３０６は、ＩＦＦＴモジュール、Ｐ挿入器、ＤＡＣ（Ｄｉｇｉｔａｌ−ｔｏ−Ａｎａｌｏｇ  Ｃｏｎｖｅｒｔｅｒ）、及び周波数アップ変換器（ｆｒｅｑｕｅｎｃｙ  ｕｐｃｏｎｖｅｒｔｅｒ）などを備えることができる。
【００４３】
一方、送信器１００ａ，１００ｂがコードワードの送信にＳＣ−ＦＤＭ接続（ＳＣ−ＦＤＭＡ）方式を採択する場合は、送信器１００ａ，１００ｂが離散フーリエ変換（Ｄｉｓｃｒｅｔｅ  Ｆｏｕｒｉｅｒ  Ｔｒａｎｓｆｏｒｍ）モジュール３０７（或いは、高速フーリエ変換（Ｆａｓｔ  Ｆｏｕｒｉｅｒ  Ｔｒａｎｓｆｏｒｍ）モジュール）を有することができる。この離散フーリエ変換は、アンテナ特定シンボルにＤＦＴ（Ｄｉｓｃｒｅｔｅ  Ｆｏｕｒｉｅｒ  Ｔｒａｎｓｆｏｒｍ）或いはＦＦＴ（Ｆａｓｔ  Ｆｏｕｒｉｅｒ  Ｔｒａｎｓｆｏｒｍ）（以下、ＤＦＴ／ＦＦＴ）を行い、このＤＦＴ／ＦＦＴされたシンボルをリソース要素マッパー３０５に出力する。ＳＣ−ＦＤＭＡ（Ｓｉｎｇｌｅ  ｃａｒｒｉｅｒ  ＦＤＭＡ）は、伝送信号のＰＡＰＲ（Ｐｅａｋ−ｔｏ−Ａｖｅｒａｇｅ  Ｐｏｗｅｒ  Ｒａｔｉｏ）或いはＣＭ（Ｃｕｂｉｃ  Ｍｅｔｒｉｃ）を下げて伝送する方式である。ＳＣ−ＦＤＭＡによれば、伝送される信号が電力増幅器（ｐｏｗｅｒ  ａｍｐｌｉｆｉｅｒ）の非線形（ｎｏｎ−ｌｉｎｅａｒ）歪み区間を避けて伝送されることが可能になる。そのため、送信器が既存のＯＦＤＭ方式に比べてより低い電力で信号を伝送しても、受信器が一定の強度と誤り率を満たす信号を受信することとなる。すなわち、ＳＣ−ＦＤＭＡによれば、送信装置の電力消耗を減らすことができる。
【００４４】
既存のＯＦＤＭ信号生成器では、各副搬送波に載せられていた信号がＩＦＦＴを通過しながら多重搬送波変調（Ｍｕｌｔｉ  Ｃａｒｒｉｅｒ  Ｍｏｄｕｌａｔｉｏｎ、ＭＣＭ）によって同時に並列に伝送されるため、電力増幅器効率が低下する問題があった。これに対し、ＳＣ−ＦＤＭＡでは、副搬送波に信号をマッピングする前にまず情報をＤＦＴ／ＦＦＴする。ＤＦＴ／ＦＦＴモジュール３０７を通過した信号はＤＦＴ／ＦＦＴの効果によりＰＡＰＲが増加する。ＤＦＴ／ＦＦＴされた信号は、リソース要素マッパー３０５により副搬送波にマッピングされた後、再びＩＦＦＴされて時間ドメイン信号に変換される。すなわち、ＳＣ−ＦＤＭＡ送信器は、ＯＦＤＭ信号生成器の前段でＤＦＴ或いはＦＦＴ演算をさらに行うから、ＰＡＰＲがＦＦＴ入力端で増加してから、再びＩＦＦＴを通過しながら最終伝送信号のＰＡＰＲが減るようにする。この形態は、既存のＯＦＤＭ信号生成器の前にＤＦＴモジュール（或いはＦＦＴモジュール）３０７が追加されたのと同様であることから、ＳＣ−ＦＤＭＡは、ＤＦＴ−ｓ−ＯＦＤＭ（ＤＦＴ−ｓｐｒｅａｄ  ＯＦＤＭ）とも呼ばれる。
【００４５】
ＳＣ−ＦＤＭＡは、単一搬送波性質を満たさなければならない。図３は、単一搬送波特性を満たしながら、入力シンボルを周波数ドメインで副搬送波にマッピングする例を示す図である。図３（ａ）及び図３（ｂ）のいずれかによって、ＤＦＴされたシンボルが副搬送波に割り当てられると、単一搬送波性質を満たす伝送信号が得られる。図３（ａ）は局地的（ｌｏｃａｌｉｚｅｄ）マッピング方法を、図３（ｂ）は分散的（ｄｉｓｔｒｉｂｕｔｅｄ）マッピング方法を示している。
【００４６】
一方、クラスタ（ｃｌｕｓｔｅｒｅｄ）ＤＦＴ−ｓ−ＯＦＤＭという方式が送信器１００ａ，１００ｂに採択されてもよい。クラスタＤＦＴ−ｓ−ＯＦＤＭは、既存のＳＣ−ＦＤＭＡ方式の変形であり、ＤＦＴ／ＦＦＴモジュール３０７及びプリコーダ３０４を経た信号を、いくつかのサブブロックに分けた後、副搬送波に不連続的にマッピングする方法である。図４乃至図６は、クラスタＤＦＴ−ｓ−ＯＦＤＭにより入力シンボルが単一搬送波にマッピングされる例を示す図である。
【００４７】
図４は、クラスタＳＣ−ＦＤＭＡにおいてＤＦＴプロセス出力サンプルが単一搬送波にマッピングされる信号処理過程を示す図である。図５及び図６は、クラスタＳＣ−ＦＤＭＡにおいてＤＦＴプロセス出力サンプルが多重搬送波（ｍｕｌｔｉ−ｃａｒｒｉｅｒ）にマッピングされる信号処理過程を示す図である。図４は、イントラ搬送波（ｉｎｔｒａ−ｃａｒｒｉｅｒ）クラスタＳＣ−ＦＤＭＡを適用する例に相当し、図５及び図６は、インター搬送波（ｉｎｔｅｒ−ｃａｒｒｉｅｒ）クラスタＳＣ−ＦＤＭＡを適用する例に相当する。図５は、周波数ドメインで連続的（ｃｏｎｔｉｇｕｏｕｓ）にコンポーネント搬送波（ｃｏｍｐｏｎｅｎｔ  ｃａｒｒｉｅｒ）が割り当てられた状況下で、隣接したコンポーネント搬送波間の副搬送波間隔（ｓｐａｃｉｎｇ）が整列された場合に、単一のＩＦＦＴブロックを用いて信号を生成する場合を示している。図６は、周波数ドメインで不連続的（ｎｏｎ−ｃｏｎｔｉｇｕｏｕｓ）にコンポーネント搬送波が割り当てられた状況下で複数のＩＦＦＴブロックを用いて信号を生成する場合を示している。
【００４８】
図７は、セグメント（ｓｅｇｍｅｎｔｅｄ）ＳＣ−ＦＤＭＡの信号処理過程を示す図である。
【００４９】
セグメントＳＣ−ＦＤＭＡは、任意個数のＤＦＴと同じ個数のＩＦＦＴが適用されてＤＦＴとＩＦＦＴとの関係構成が一対一関係を有するもので、単に既存のＳＣ−ＦＤＭＡのＤＦＴ拡散とＩＦＦＴの周波数副搬送波マッピング構成を拡張したものであることから、ＮｘＳＣ−ＦＤＭＡ又はＮｘＤＦＴ−ｓ−ＯＦＤＭＡと表現されることもある。本明細書は、これらをセグメントＳＣ−ＦＤＭＡと総称する。図７を参照すると、セグメントＳＣ−ＦＤＭＡは、単一搬送波特性条件を緩和するために、全体時間ドメイン変調シンボルをＮ（Ｎは１よりも大きい整数）個のグループに束ねてグループ単位にＤＦＴプロセスを行う。
【００５０】
再び図２を参照すると、受信器３００ａ，３００ｂの信号処理過程は、送信器の信号処理と逆の過程となる。具体的に、受信器３００ａ，３００ｂは、外部からアンテナ５００ａ，５００ｂを介して受信した無線信号に復号（ｄｅｃｏｄｉｎｇ）及び復調（ｄｅｍｏｄｕｌａｔｉｏｎ）を行って該当のプロセッサ４００ａ，４００ｂに伝達する。受信器３００ａ，３００ｂに接続しているアンテナ５００ａ，５００ｂは、Ｎｒ個の多重受信アンテナを有することができ、受信アンテナを介して受信した信号のそれぞれは、基底帯域信号に復元された後、多重化及びＭＩＭＯ復調化を経て、送信器１００ａ，１００ｂが本来伝送しようとしたデータ列に復元される。受信器３００ａ，３００ｂは、受信した信号を基底帯域信号に復元するための信号復元器、受信処理された信号を結合して多重化する多重化器、多重化された信号列を該当のコードワードに復調するチャネル復調器を有することができる。信号復元器、多重化器、及びチャネル復調器は、それらの機能を実行する統合された一つのモジュール又はそれぞれの独立したモジュールにすることができる。さらにいうと、信号復元器は、アナログ信号をデジタル信号に変換するＡＤＣ（ａｎａｌｏｇ−ｔｏ−ｄｉｇｉｔａｌ  ｃｏｎｖｅｒｔｅｒ）、該デジタル信号からＣＰを除去するＣＰ除去器、ＣＰの除去された信号にＦＦＴ（ｆａｓｔ  Ｆｏｕｒｉｅｒ  ｔｒａｎｓｆｏｒｍ）を適用して周波数ドメインシンボルを出力するＦＦＴモジュール、周波数ドメインシンボルをアンテナ特定シンボルに復元するリソース要素デマッパー（ｒｅｓｏｕｒｃｅ  ｅｌｅｍｅｎｔ  ｄｅｍａｐｐｅｒ）／等化器（ｅｑｕａｌｉｚｅｒ）を有することができる。アンテナ特定シンボルは多重化器により伝送レイヤーに復元され、伝送レイヤーは、チャネル復調器により、送信装置が伝送しようとしたコードワードに復元される。
【００５１】
一方、受信器３００ａ，３００ｂが、図３乃至図７で説明したＳＣ−ＦＤＭＡ方式により伝送された信号を受信する場合、受信器は３００ａ，３００ｂは、逆離散フーリエ変換（Ｉｎｖｅｒｓｅ  Ｄｉｓｃｒｅｔｅ  Ｆｏｕｒｉｅｒ  Ｔｒａｎｓｆｏｒｍ、ＩＤＦＴ）モジュール（或いは、ＩＦＦＴモジュール）をさらに有する。ＩＤＦＴ／ＩＦＦＴモジュールは、リソース要素デマッパーにより復元されたアンテナ特定シンボルにＩＤＦＴ／ＩＦＦＴを行い、ＩＤＦＴ／ＩＦＦＴされたシンボルを多重化器に出力する。
【００５２】
参考として、図１乃至図７ではスクランブラ３０１、変調マッパー３０２、レイヤーマッパー３０３、プリコーダ３０４、リソース要素マッパー３０５、及びＯＦＤＭ信号生成器３０６が送信器１００ａ，１００ｂに備えられるとしたが、送信装置のプロセッサ４００ａ，４００ｂが、スクランブラ３０１、変調マッパー３０２、レイヤーマッパー３０３、プリコーダ３０４、リソース要素マッパー３０５、及びＯＦＤＭ信号生成器３０６を有するように構成されてもよい。同様に、図１乃至図７では信号復元器、多重化器、チャネル復調器が受信器３００ａ，３００ｂに備えられるとしたが、受信装置のプロセッサ４００ａ，４００ｂが、信号復元器、多重化器、及びチャネル復調器を有するように構成されてもよい。以下では、説明の便宜のために、スクランブラ３０１、変調マッパー３０２、レイヤーマッパー３０３、プリコーダ３０４、リソース要素マッパー３０５、及びＯＦＤＭ信号生成器３０６（ＳＣ−ＦＤＭＡ方式ではＤＦＴモジュール３０７をさらに含む。）が、それらの動作を制御するプロセッサ４００ａ，４００ｂと分離した送信器１００ａ，１００ｂに備えられ、信号復元器、多重化器、及びチャネル復調器が、それらの動作を制御するプロセッサ４００ａ，４００ｂとは分離した受信器３００ａ，３００ｂに備えられているとして説明する。しかし、スクランブラ３０１、変調マッパー３０２、レイヤーマッパー３０３、プリコーダ３０４、リソース要素マッパー３０５及びＯＦＤＭ信号生成器３０６，３０７がプロセッサ４００ａ，４００ｂに備えられた場合、及び信号復元器、多重化器、チャネル復調器（ＳＣ−ＦＤＭＡ方式ではＩＦＦＴモジュールをさらに含む。）が、プロセッサ４００ａ，４００ｂに備えられた場合にも本発明の実施例を同様に適用することができる。
【００５３】
図８には、無線通信システムで用いられる無線フレーム構造の例を示す。特に、図８（ａ）は、３ＧＰＰＬＴＥ／ＬＴＥ−Ａシステムのフレーム構造タイプ１（ＦＳ−１）による無線フレームを例示しており、図８（ｂ）は、３ＧＰＰ ＬＴＥ／ＬＴＥ−Ａシステムのフレーム構造タイプ２（ＦＳ−２）による無線フレームを例示している。図８（ａ）のフレーム構造は、ＦＤＤ（Ｆｒｅｑｕｅｎｃｙ  Ｄｉｖｉｓｉｏｎ  Ｄｕｐｌｅｘ）モード、及び半（ｈａｌｆ）ＦＤＤ（Ｈ−ＦＤＤ）モードで適用可能である。図８（ｂ）のフレーム構造は、ＴＤＤ（Ｔｉｍｅ  Ｄｉｖｉｓｉｏｎ  Ｄｕｐｌｅｘ）モードで適用可能である。
【００５４】
図８を参照すると、３ＧＰＰ ＬＴＥ／ＬＴＥ−Ａで用いられる無線フレームは、１０ｍｓ（３０７２００Ｔｓ）の長さを有し、１０個の均等なサイズのサブフレームで構成される。１無線フレーム内の１０個のサブフレームにはそれぞれ番号を与えることができる。ここで、Ｔｓは、サンプリング時間を表し、Ｔｓ＝１／（２０４８×１５ｋＨｚ）で表示される。それぞれのサブフレームは１ｍｓの長さを有し、２個のスロットで構成される。１無線フレーム内で２０個のスロットは０から１９まで順にナンバリングされてもよい。各スロットは０．５ｍｓの長さを有する。１サブフレームを伝送するための時間は伝送時間間隔（ＴＴＩ:ｔｒａｎｓｍｉｓｓｉｏｎ  ｔｉｍｅ  ｉｎｔｅｒｖａｌ）で定義される。時間リソースは、無線フレーム番号（或いは無線フレームインデックスともいう。）、サブフレーム番号（或いは、サブフレームインデックスともいう。）、スロット番号（或いは、スロットインデックスともいう。）などにより区別可能である。
【００５５】
無線フレームはデュプレックス（ｄｕｐｌｅｘ）モードによって異なる構成とすることができる。例えば、ＦＤＤモードで、下りリンク伝送及び上りリンク伝送は周波数により区別されるので、無線フレームは、時間ドメインにおいて下りリンクサブフレーム又は上りリンクサブフレームのいずれか一方のみを含む。
【００５６】
一方、ＴＤＤモードでは、下りリンク伝送及び上りリンク伝送が時間によって区別されるため、フレーム内のサブフレームは、下りリンクサブフレームと上りリンクサブフレームとに区別される。表１は、ＴＤＤモードにおいてＵＬ−ＤＬ構成を例示したものである。
【００５７】
【表１】
0005955857.tif 000002
表１で、Ｄは下りリンクサブフレームを、Ｕは上りリンクサブフレームを、Ｓは特異（ｓｐｅｃｉａｌ）サブフレームを表す。特異サブフレームは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）の３つのフィールドを含む。ＤｗＰＴＳは、下りリンク伝送用に留保される時間区間であり、ＵｐＰＴＳは、上りリンク伝送用に留保される時間区間である。
【００５８】
図９は、無線通信システムにおいてＤＬ／ＵＬスロット構造の一例を示す図である。特に、同図には、３ＧＰＰＬＴＥ／ＬＴＥ−Ａシステムのリソース格子（ｒｅｓｏｕｒｃｅ  ｇｒｉｄ）の構造を示す。アンテナポート当たり１個のリソース格子がある。
【００５９】
図９を参照すると、スロットは、時間ドメインで複数のＯＦＤＭシンボルを有し、周波数ドメインで複数のリソースブロック（ｒｅｓｏｕｒｃｅ  ｂｌｏｃｋ、ＲＢ）を有する。ＯＦＤＭシンボルは１シンボル区間を意味することもある。リソースブロックは、周波数ドメインで複数の副搬送波を有する。ＯＦＤＭシンボルを多重接続方式によってＯＦＤＭシンボル、ＳＣ−ＦＤＭシンボルなどと呼ぶこともできる。１スロットに含まれるＯＦＤＭシンボルの数は、チャネル帯域幅、ＣＰ長によって様々に変更可能である。例えば、正規（ｎｏｒｍａｌ）ＣＰの場合には、１スロットが７個のＯＦＤＭシンボルを含み、拡張（ｅｘｔｅｎｄｅｄ）ＣＰの場合には、１スロットが６個のＯＦＤＭシンボルを含む。図８では、説明の便宜のために、１スロットが７ＯＦＤＭシンボルで構成されるサブフレームを例示したが、本発明の実施例は、他の個数のＯＦＤＭシンボルを有するサブフレームにも同一の適用が可能である。参考として、１ＯＦＤＭシンボル及び１副搬送波で構成されたリソースを、リソース要素（ｒｅｓｏｕｒｃｅ  ｅｌｅｍｅｎｔ、ＲＥ）或いはトーン（ｔｏｎｅ）と呼ぶ。
【００６０】
図９を参照すると、各スロットで伝送される信号は、ＮＤＬ／ＵＬＲＢＮＲＢｓｃ個の副搬送波（ｓｕｂｃａｒｒｉｅｒ）とＮＤＬ／ＵＬｓｙｍｂ個のＯＦＤＭ或いはＳＣ−ＦＤＭシンボルとで構成されるリソース格子（ｒｅｓｏｕｒｃｅ  ｇｒｉｄ）で表現することができる。ここで、ＮＤＬＲＢは、下りリンクスロットでのリソースブロック（ｒｅｓｏｕｒｃｅ  ｂｌｏｃｋ、ＲＢ）の個数を表し、ＮＵＬＲＢは、上りリンクスロットでのＲＢの個数を表す。ＮＤＬＲＢとＮＵＬＲＢは、下りリンク伝送帯域幅と上りリンク伝送帯域幅にそれぞれ依存する。各ＯＦＤＭシンボルは、周波数ドメインで、ＮＤＬ／ＵＬＲＢＮＲＢｓｃ個の副搬送波を含む。１搬送波に対する副搬送波の個数は、ＦＦＴ（Ｆａｓｔ  Ｆｏｕｒｉｅｒ  Ｔｒａｎｓｆｏｒｍ）サイズによって決定される。副搬送波の類型は、データ伝送のためのデータ副搬送波、参照信号の伝送のための参照信号副搬送波、ガードバンド（ｇｕａｒｄ  ｂａｎｄ）及びＤＣ成分のためのヌル副搬送波とに分類可能である。ＤＣ成分のためのヌル副搬送波は、未使用のまま残される副搬送波のことであり、ＯＦＤＭ信号生成過程で搬送波周波数（ｃａｒｒｉｅｒ  ｆｒｅｑｕｅｎｃｙ、ｆ０）にマッピングされる。搬送波周波数は中心周波数（ｃｅｎｔｅｒ  ｆｒｅｑｕｅｎｃｙ）とも呼ばれる。ＮＤＬｓｙｍｂは、下りリンクスロット内のＯＦＤＭ或いはＳＣ−ＦＤＭシンボルの個数を表し、ＮＵＬｓｙｍｂは、上りリンクスロット内のＯＦＤＭ或いはＳＣ−ＦＤＭシンボルの個数を表す。ＮＲＢｓｃは、一つのＲＢを構成する副搬送波の個数を表す。
【００６１】
換言すると、物理リソースブロック（ｐｈｙｓｉｃａｌ  ｒｅｓｏｕｒｃｅ  ｂｌｏｃｋ、ＰＲＢ）は、時間ドメインにおいてＮＤＬ／ＵＬｓｙｍｂ個の連続したＯＦＤＭシンボル或いはＳＣ−ＦＤＭシンボルで定義され、周波数ドメインにおいてＮＲＢｓｃ個の連続した副搬送波で定義される。したがって、一つのＰＲＢは、ＮＤＬ／ＵＬｓｙｍｂ×ＮＲＢｓｃ個のリソース要素で構成される。
【００６２】
リソース格子内の各リソース要素は、１スロット内のインデックス対（ｋ，ｌ）により固有に定義可能である。ｋは、周波数ドメインにおいて０からＮＤＬ／ＵＬＲＢＮＲＢｓｃ−１まで与えられるインデックスであり、ｌは、時間ドメインにおいて０からＮＤＬ／ＵＬｓｙｍｂ−１まで与えられるインデックスである。
【００６３】
図１０は、無線通信システムにおいて下りリンクサブフレーム構造の一例を示す図である。
【００６４】
図１０を参照すると、各サブフレームを、制御領域（ｃｏｎｔｒｏｌ  ｒｅｇｉｏｎ）とデータ領域（ｄａｔａ  ｒｅｇｉｏｎ）とに区別することができる。制御領域は、先頭のＯＦＤＭシンボルから始めて一つ以上のＯＦＤＭシンボルを含む。サブフレーム内の制御領域に用いられるＯＦＤＭシンボルの個数はサブフレーム別に独立して設定されればよく、ＯＦＤＭシンボルの個数はＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）により伝送される。基地局は、制御領域を用いて各種の制御情報をユーザー機器に伝送することができる。制御情報の伝送のために、制御領域にはＰＤＣＣＨ（Ｐｈｙｓｉｃａｌ  Ｄｏｗｎｌｉｎｋ  Ｃｏｎｔｒｏｌ  ＣＨａｎｎｅｌ）、ＰＣＦＩＣＨ、ＰＨＩＣＨ（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）などが割り当てられうる。
【００６５】
基地局は、伝送チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）のリソース割当に関する情報、上りリンクスケジューリンググラント（Ｕｐｌｉｎｋ  Ｓｃｈｅｄｕｌｉｎｇ  Ｇｒａｎｔ）、ＨＡＲＱ情報、ＤＡＩ（Ｄｏｗｎｌｉｎｋ  Ａｓｓｉｇｎｍｅｎｔ  Ｉｎｄｅｘ）、ＴＰＣ（Ｔｒａｎｓｍｉｔｔｅｒ  Ｐｏｗｅｒ  Ｃｏｎｔｒｏｌ）コマンドなどをＰＤＣＣＨ上で各ユーザー機器又はユーザー機器グループに伝送することができる。
【００６６】
基地局は、データ領域を用いてユーザー機器或いはユーザー機器グループのためのデータを伝送することができる。データ領域で伝送されるデータをユーザーデータと呼ぶこともできる。ユーザーデータの伝送のために、データ領域にはＰＤＳＣＨ（Ｐｈｙｓｉｃａｌ  Ｄｏｗｎｌｉｎｋ  Ｓｈａｒｅｄ  ＣＨａｎｎｅｌ）が割り当てられうる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）はＰＤＳＣＨを通じて伝送される。ユーザー機器は、ＰＤＣＣＨを通じて伝送される制御情報を復号して、ＰＤＳＣＨを通じて伝送されるデータを読むことができる。ＰＤＳＣＨのデータがどのユーザー機器或いはユーザー機器グループに伝送されるものであるか、ユーザー機器或いはユーザー機器グループがどのようにＰＤＳＣＨデータを受信して復号すべきか、などを表す情報がＰＤＣＣＨに含まれて伝送される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスキング（ｍａｓｋｉｎｇ）されており、「Ｂ」という無線リソース（例、周波数位置）及び「Ｃ」という伝送形式情報（例、伝送ブロックサイズ、変調方式、コーディング情報など）を用いて伝送されるデータに関する情報が特定サブフレームで伝送されると仮定する。該当のセルのＵＥは、自身が持っているＲＮＴＩ情報を用いてＰＤＣＣＨをモニタリングし、「Ａ」のＲＮＴＩを有しているＵＥはＰＤＣＣＨを受信し、受信したＰＤＣＣＨの情報から、「Ｂ」と「Ｃ」により指示されるＰＤＳＣＨを受信する。
【００６７】
複数のＰＤＣＣＨが制御領域で伝送され、ＵＥは、複数のＰＤＣＣＨをモニターして、自身のＰＤＣＣＨを検出することができる。１ＰＤＣＣＨが運ぶＤＣＩは、ＰＵＣＣＨフォーマットによってそのサイズ及び用途が異なり、符号化率によってそのサイズが異なることがある。
【００６８】
ＤＣＩフォーマットは各ＵＥ別に独立して適用され、１サブフレーム中に複数のＵＥのＰＤＣＣＨが多重化されてもよい。各ＵＥのＰＤＣＣＨは独立してチャネルコーディングされてＣＲＣ（ｃｙｃｌｉｃ  ｒｅｄｕｎｄａｎｃｙ  ｃｈｅｃｋ）が付加される。ＣＲＣは、各ＵＥが自身のＰＤＣＣＨを受信できるように、各ＵＥの固有識別子でマスク（ｍａｓｋ）される。しかし、基本的にＵＥは、自身のＰＤＣＣＨが伝送される位置を知っておらず、毎サブフレームごとに該当するＤＣＩフォーマットの全てのＰＤＣＣＨに対して、自身の識別子を有しているＰＤＣＣＨを受信或いは検出するまでブラインド検出（ブラインド復号（ｄｅｃｏｄｉｎｇ）ともいう。）を行う。
【００６９】
図１１は、無線通信システムにおいて上りリンクサブフレーム構造の一例を示す図である。
【００７０】
図１１を参照すると、上りリンクサブフレームは、周波数ドメインで制御領域とデータ領域とに区別可能である。１つ又は複数のＰＵＣＣＨ（ｐｈｙｓｉｃａｌ  ｕｐｌｉｎｋ  ｃｏｎｔｒｏｌｃｈａｎｎｅｌ）がＵＣＩ（ｕｐｌｉｎｋ  ｃｏｎｔｒｏｌ  ｉｎｆｏｒｍａｔｉｏｎ）を運ぶために、制御領域に割り当てられるうる。１つ又は複数のＰＵＳＣＨ（ｐｈｙｓｉｃａｌ  ｕｐｌｉｎｋ  ｓｈａｒｅｄ  ｃｈａｎｎｅｌ）がユーザーデータを運ぶために、データ領域に割り当てられうる。ＵＥが上りリンク伝送にＳＣ−ＦＤＭＡ方式を採択する場合に、単一搬送波特性を維持するために、ＬＴＥリリース８或いはリリース９（Ｒｅｌｅａｓｅ  ８／９）システムでは、ＵＥがＰＵＣＣＨとＰＵＳＣＨを同時に伝送することが許容されない。ＬＴＥ−Ａリリース１０では、ＰＵＣＣＨとＰＵＳＣＨの同時伝送を支援するか否かを上位レイヤーから指示することができる。
【００７１】
一つのＰＵＣＣＨが運ぶＵＣＩは、ＰＵＣＣＨフォーマットによってそのサイズ及び用途が異なり、符号化率によってそのサイズが異なっくることがある。例えば、下記のようにＰＵＣＣＨフォーマットを定義することができる。
【００７２】
【表２】
0005955857.tif 000003
１−ビット或いは２−ビットの伝送ビットが、下記の表に従って複素変調シンボルに変調され、一つのＰＵＣＣＨリソース上で伝送されてもよい。
【００７３】
【表３】
0005955857.tif 000004
上りリンクサブフレームでは、ＤＣ（Ｄｉｒｅｃｔ  Ｃｕｒｒｅｎｔ）副搬送波を基準に遠く離れた副搬送波が制御領域として用いられる。換言すると、上りリンク伝送帯域幅の両端部に位置する副搬送波が、上りリンク制御情報の伝送に割り当てられる。ＤＣ副搬送波は、信号伝送に使用されずに残される成分であって、ＯＦＤＭ／ＳＣ−ＦＤＭ信号生成器３０６による周波数アップ変換過程で搬送波周波数ｆ０にマッピングされる。
【００７４】
一ＵＥに対するＰＵＣＣＨは、１サブフレーム内のＲＢ対に割り当てられ、該ＲＢ対に属したＲＢは２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同じ副搬送波を占有する。周波数ホッピングの有無にかかわらず、一ＵＥに対するＰＵＣＣＨは１サブフレーム内のＲＢ対に割り当てられるので、同一ＰＵＣＣＨが一つのＵＬサブフレーム内の各スロットで１個のＲＢを通じて一回ずつ伝送され、総２回伝送される。
【００７５】
以下では、１サブフレーム内の各ＰＵＣＣＨ伝送に用いられるＲＢ対をＰＵＣＣＨ領域（ＰＵＣＣＨ  ｒｅｇｉｏｎ）又はＰＵＣＣＨリソース（ＰＵＣＣＨ  ｒｅｓｏｕｒｃｅ）ともいう。また、以下では、説明の便宜のために、ＰＵＣＣＨのうち、ＡＣＫ／ＮＡＣＫを運ぶＰＵＣＣＨをＡＣＫ／ＮＡＣＫＰＵＣＣＨ、ＣＱＩ／ＰＭＩ／ＲＩを運ぶＰＵＣＣＨをＣＳＩ（Ｃｈａｎｎｅｌ  Ｓｔａｔｅ  Ｉｎｆｏｒｍａｔｉｏｎ）ＰＵＣＣＨ、ＳＲを運ぶＰＵＣＣＨをＳＲ ＰＵＣＣＨと呼ぶ。
【００７６】
ＵＥには、上位（ｈｉｇｈｅｒ）層シグナリング、或いは明示的（ｅｘｐｌｉｃｉｔ）方式又は暗黙的（ｉｍｐｌｉｃｉｔ）方式によりＢＳからＵＣＩの伝送のためのＰＵＣＣＨリソースが割り当てられる。
【００７７】
ＡＣＫ／ＮＡＣＫ（ＡＣＫｎｏｗｌｅｄｇｍｅｎｔ／ｎｅｇａｔｉｖｅ  ＡＣＫ）、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｆｏｒｍａｔｉｏｎ）、ＳＲ（Ｓｃｈｅｄｕｌｉｎｇ  Ｒｅｑｕｅｓｔ）などの上りリンク制御情報（ＵＣＩ）が、上りリンクサブフレームの制御領域上で伝送されうる。
【００７８】
無線通信システムにおいて、ＢＳとＵＥはデータを相互送信／受信する。ＢＳ／ＵＥがデータをＵＥ／ＢＳに伝送すると、該ＵＥ／ＢＳは、受信したデータを復号（ｄｅｃｏｄｅ）し、そのデータ復号に成功するとＢＳ／ＵＥにＡＣＫを伝送し、データ復号に失敗するとＢＳ／ＵＥにＮＡＣＫを伝送する。基本的に、３ＧＰＰＬＴＥシステムにおいて、ＵＥはＢＳからデータユニット（例えば、ＰＤＳＣＨ）を受信し、該データユニットに関するスケジューリング情報を運ぶＰＤＣＣＨリソースにより決定される暗黙的ＰＵＣＣＨリソースを用いて、各データユニットに対するＡＣＫ／ＮＡＣＫをＢＳに伝送する。
【００７９】
図１２は、ＡＣＫ／ＮＡＣＫのためのＰＵＣＣＨリソースを決定する例を示す図である。
【００８０】
ＬＴＥシステムにおいてＡＣＫ／ＮＡＣＫのためのＰＵＣＣＨリソースは、各ＵＥにあらかじめ割り当てられているのではなく、複数のＰＵＣＣＨリソースをセル内の複数のＵＥが毎時点ごとに分けて使用する。具体的に、ＵＥがＡＣＫ／ＮＡＣＫを伝送するのに使用するＰＵＣＣＨリソースは、該当の下りリンクデータを運ぶＰＤＳＣＨに関するスケジューリング情報を運ぶＰＤＣＣＨに基づいて暗黙的方式で決定される。それぞれのＤＬサブフレームにおいてＰＤＣＣＨが伝送される全体領域は複数のＣＣＥ（Ｃｏｎｔｒｏｌ  Ｃｈａｎｎｅｌ  Ｅｌｅｍｅｎｔ）で構成され、ＵＥに伝送されるＰＤＣＣＨは一つ以上のＣＣＥで構成される。ＣＣＥは、複数（例えば、９個）のＲＥＧ（Ｒｅｓｏｕｒｃｅ  Ｅｌｅｍｅｎｔ  Ｇｒｏｕｐ）を含む。１ＲＥＧは、参照信号（Ｒｅｆｅｒｅｎｃｅ  Ｓｉｇｎａｌ：ＲＳ）を除外した状態で、隣接する４個のＲＥ（Ｒｅｓｏｕｒｃｅ  Ｅｌｅｍｅｎｔ）で構成される。ＵＥは、自身が受信したＰＤＣＣＨを構成するＣＣＥのうち特定ＣＣＥのインデックス（例えば、先頭の或いは最も低いＣＣＥインデックス）の関数により誘導或いは計算される暗黙的ＰＵＣＣＨリソースを用いてＡＣＫ／ＮＡＣＫを伝送する。
【００８１】
図１２を参照すると、それぞれのＰＵＣＣＨリソースインデックスはＡＣＫ／ＮＡＣＫのためのＰＵＣＣＨリソースに対応する。図１２のように、４〜６番ＣＣＥで構成されたＰＤＣＣＨを通じて、ＰＤＳＣＨに関するスケジューリング情報がＵＥに伝送されると仮定すると、ＵＥは、当該ＰＤＣＣＨを構成する最低ＣＣＥである４番ＣＣＥに対応する４番ＰＵＣＣＨを用いてＡＣＫ／ＮＡＣＫをＢＳに伝送する。図１２は、ＤＬに最大Ｍ’個のＣＣＥが存在し、ＵＬに最大Ｍ個のＰＵＣＣＨが存在する場合を例示する。Ｍ’＝Ｍでもよいが、Ｍ’値とＭ値とを異なるように設計し、ＣＣＥとＰＵＣＣＨリソースとのマッピングが重なるようにすることも可能である。
【００８２】
例えば、ＰＵＣＣＨリソースインデックスを、ＣＣＥインデックスから、下記のように誘導することができる。
【００８３】
【数１】
0005955857.tif 000005
ここで、ｎ(１)ＰＵＣＣＨは、ＰＵＣＣＨフォーマット１／１ａ／１ｂのためのＰＵＣＣＨリソースインデックスを表し、Ｎ(１)ＰＵＣＣＨは、上位レイヤーから伝達されたシグナリング値を表す。ｎＣＣＥは、ＰＤＣＣＨ伝送に用いられたＣＣＥインデックスのうち、最も小さい値を表すことができる。
【００８４】
図１３に、ＰＵＣＣＨリソースインデックスとＰＵＣＣＨリソースとのマッピングを例示する。
【００８５】
ＬＴＥシステムでは、最大Ｍ’個のＣＣＥがＤＬサブフレームに存在するとすれば、最大Ｍ個のＰＵＣＣＨリソースインデックスを定義することができる。各ＰＵＣＣＨリソースインデックスは、各ＣＣＥインデックスに暗黙的（ｉｍｐｌｉｃｉｔｌｙ）にリンクされてよい。ＵＥがＰＤＳＣＨスケジューリング或いはＳＰＳ解除のためのＰＤＣＣＨを受信し、該ＰＤＣＣＨを構成するＣＣＥのうち最低（ｌｏｗｅｓｔ）ＣＣＥの数（インデックス）を用いてＰＵＣＣＨリソースを誘導し、該誘導されたＰＵＣＣＨリソース上でＰＵＣＣＨフォーマットに従ってＡＣＫ／ＮＡＣＫなどのＵＣＩを伝送することができる。ここで、ＰＵＣＣＨリソースとは、特定ＰＵＣＣＨフォーマットにおいて用いられる直交コード（すなわち、直交シーケンス）インデックス、或いは当該直交コードと関連したサイクリックシフト（ｃｙｃｌｉｃ  ｓｈｉｆｔ）の他、特定スロット（ｓｌｏｔ）においてＰＵＣＣＨフォーマットを物理リソース（ｐｈｙｓｉｃａｌ  ｒｅｓｏｕｒｃｅ）にマッピングする時における物理リソースブロック（ｐｈｙｓｉｃａｌ  ｒｅｓｏｕｒｃｅ  ｂｌｏｃｋ）も意味することができる。換言すれば、特定ＰＵＣＣＨフォーマットにおいて用いられる直交コードインデックス、或いは当該直交コードと関連したサイクリックシフトだけでなく、特定スロットにおいてＰＵＣＣＨフォーマットを物理リソースにマッピングする時における物理リソースブロックも、当該ＰＤＣＣＨを構成するＣＣＥの番号（インデックス）のうち最低（ｌｏｗｅｓｔ）ＣＣＥ番号（インデックス）から暗黙的に誘導されうる。
【００８６】
ＰＵＣＣＨリソースインデックスとＰＵＣＣＨ物理リソースとのマッピングに用いられる物理リソース変数ｍは、あらかじめ指定されてもよく、基地局からシグナリングされてもよい。一例として、物理リソース変数ｍは、ＰＤＣＣＨを構成するＣＣＥインデックス（例、最小のＣＣＥインデックス）と暗黙的にリンクされてもよい。また、物理リソース変数ｍは、ＰＤＣＣＨ又はＲＲＣシグナリングにより明示的に（ｅｘｐｌｉｃｉｔｌｙ）指定されてもよい。また、物理リソース変数ｍは、ＰＤＣＣＨ又はＲＲＣシグナリングにより指定された値から類推されてもよい。物理リソース変数ｍは、サブフレーム単位、スロット単位、複数のＳＣ−ＦＤＭＡシンボル単位に独立して与えられればよい。好ましくは、物理リソース変数ｍは、サブフレーム単位、スロット単位、複数のＳＣ−ＦＤＭＡシンボル単位に変更されるとよい。すなわち、物理リソース変数ｍは一定の時間区間単位にホッピングされるとよい。
【００８７】
例えば、ＰＵＣＣＨフォーマット１／１ａ／１ｂ、２／２ａ／２ｂ、及び３に対して、物理リソース変数ｍが、式２乃至式４のようにそれぞれ定義されればよい。式２は、ＰＵＣＣＨフォーマット１／１ａ／１ｂに対する物理リソース変数ｍを表し、式３は、ＰＵＣＣＨフォーマット２／２ａ／２ｂに対する物理リソース変数ｍを表し、式４は、ＰＵＣＣＨフォーマット３に対する物理リソース変数ｍを表す。
【００８８】
【数２】
0005955857.tif 000006
【００８９】
【数３】
0005955857.tif 000007
【００９０】
【数４】
0005955857.tif 000008
式２で、Ｎ(２)ＲＢは、ＰＵＣＣＨフォーマット２／２ａ／２ｂにより使用可能な帯域幅を表し、ＮＲＢｓｃの整数倍で表現される。ｎ(１)ＰＵＣＣＨは、ＰＵＣＣＨフォーマット１／１ａ／１ｂのためのＰＵＣＣＨリソースインデックスであって、ＡＣＫ／ＮＡＣＫＰＵＣＣＨについては、式１によって、該当のＰＤＳＣＨのスケジューリング情報を運ぶＰＤＣＣＨ或いはＳＰＳ解除のためのＰＤＣＣＨの最低ＣＣＥインデックスから誘導可能な値である。対応するＰＤＣＣＨのないＰＤＳＣＨに対する応答のためには、ＰＵＣＣＨリソースインデックスが上位レイヤーシグナリングを通じて指示されてもよい。Ｎ(１)ｃｓは、ＰＵＣＣＨフォーマット１／１ａ／１ｂ及び２／２ａ／２ｂの混合と共に、一つのリソースブロックでＰＵＣＣＨフォーマット１／１ａ／１ｂに用いられたサイクリックシフトの個数を表す。式３で、ｎ(２)ＰＵＣＣＨは、ＰＵＣＣＨフォーマット２／２ａ／２ｂのためのＰＵＣＣＨリソースインデックスで、上位レイヤーシグナリングによりＢＳからＵＥに伝送される値である。式４で、ｎ(３)ＰＵＣＣＨは、ＰＵＣＣＨフォーマット３のためのＰＵＣＣＨリソースインデックスで、該当するＰＤＣＣＨの最初のＣＣＥインデックスから誘導されたり、上位レイヤーシグナリングによりＢＳからＵＥに伝送される値である。ＮＰＵＣＣＨＳＦ，Ｏは、サブフレームにおけるスロット０、すなわち、１番目のスロットに適用された直交シーケンスの長さを表す。
【００９１】
ＰＵＣＣＨリソースインデックスｎ(１)ＰＵＣＣＨ、ｎ(２)ＰＵＣＣＨ、ｎ(３)ＰＵＣＣＨによりＰＵＣＣＨフォーマット１／１ａ／１ｂ、ＰＵＣＣＨフォーマット２／２ａ／２ｂ、ＰＵＣＣＨフォーマット３の伝送に用いられるＰＵＣＣＨリソースをそれぞれ識別することができる。すなわち、ＰＵＣＣＨリソースインデックスｎ(１)ＰＵＣＣＨ、ｎ(２)ＰＵＣＣＨ、ｎ(３)ＰＵＣＣＨから、各ＰＵＣＣＨに適用される直交シーケンスインデックス値、サイクリックシフト値、及び物理リソースインデックスｎＰＲＢなどが決定される。
【００９２】
例えば、ＵＥは、ＰＵＣＣＨリソースインデックスを用いて、式２乃至式４のいずれか一つによって物理リソース変数ｍを決定し、該物理リソース変数ｍを用いて一つのＰＵＣＣＨリソースインデックスを、実際ＰＵＣＣＨリソースである一つの物理リソースブロック（Ｐｈｙｓｉｃａｌ  Ｒｅｓｏｕｒｃｅ  Ｂｌｏｃｋ、ＰＲＢ）にマッピングすることができる。
【００９３】
スロットｎｓにおいてＰＵＣＣＨの伝送に用いられる物理リソースブロック（ＰＲＢ）は下記のように与えられる。
【００９４】
【数５】
0005955857.tif 000009
ここで、ＮＵＬＲＢは、上りリンクスロットにおけるＲＢの個数を表す。
【００９５】
図１４は、単一搬送波状況で通信を行う例を示す図である。図１３は、ＬＴＥシステムでの通信例に対応する。
【００９６】
図１４を参照すると、一般的なＦＤＤ方式無線通信システムは、一つの下りリンク帯域とこれに対応する一つの上りリンク帯域を通じてデータ送受信を行う。ＢＳとＵＥは、サブフレーム単位にスケジューリングされたデータ及び／又は制御情報を送受信する。データは、上り／下りリンクサブフレームに設定されたデータ領域を通じて送受信され、制御情報は、上り／下りリンクサブフレームに設定された制御領域を通じて送受信される。そのために、上り／下りリンクサブフレームは種々の物理チャネルを通じて信号を運ぶ。図１４は、便宜上、ＦＤＤ方式を中心に説明したが、上述した内容は、図８の無線フレームを時間領域で上り／下りリンクに区別することによってＴＤＤ方式にも適用可能である。
【００９７】
図１５には、多重搬送波状況下で通信を行う例を示す。
【００９８】
ＬＴＥ−Ａシステムは、より広い周波数帯域を用いるために、複数の上り／下りリンク周波数ブロックを束ねて、より大きい上り／下りリンク帯域幅を用いる搬送波アグリゲーション（ｃａｒｒｉｅｒ  ａｇｇｒｅｇａｔｉｏｎ又はｂａｎｄｗｉｄｔｈ  ａｇｇｒｅｇａｔｉｏｎ）技術を用いる。多重搬送波システム又は搬送波アグリゲーション（ｃａｒｒｉｅｒ  ａｇｇｒｅｇａｔｉｏｎ、ＣＡ）システムは、広帯域支援のために目標帯域（ｂａｎｄｗｉｄｔｈ）よりも小さい帯域を有する複数の搬送波を束ねて用いるシステムのことをいう。目標帯域よりも小さい帯域を有する複数の搬送波を束ねるとき、束ねられる搬送波の帯域は、既存システムとの互換（ｂａｃｋｗａｒｄ  ｃｏｍｐａｔｉｂｉｌｉｔｙ）のために、既存システムで用いる帯域幅に制限されるとよい。例えば、既存のＬＴＥシステムは、１．４、３、５、１０、１５、２０ＭＨｚの帯域幅を支援し、ＬＴＥシステムから進展したＬＴＥ−Ａ（ＬＴＥ−Ａｄｖａｎｃｅｄ）システムは、ＬＴＥで支援する帯域幅のみを用いて２０ＭＨｚよりも大きい帯域幅を支援することができる。又は、既存システムで使用する帯域幅によらず、新しい帯域幅を定義して搬送波アグリゲーションを支援してもよい。多重搬送波は、搬送波アグリゲーション及び帯域幅アグリゲーションと同じ意味で使われる。また、搬送波アグリゲーションは、隣接した（ｃｏｎｔｉｇｕｏｕｓ）搬送波アグリゲーション、隣接していない（ｎｏｎ−ｃｏｎｔｉｇｕｏｕｓ）搬送波アグリゲーションを総称する。参考として、ＴＤＤにおいて１個のコンポーネント搬送波（ｃｏｍｐｏｎｅｎｔ  ｃａｒｒｉｅｒ、ＣＣ）のみが通信に用いられる場合、或いはＦＤＤにおいて１個のＵＬＣＣと１個のＤＬ ＣＣのみが通信に用いられる場合は、図１４の単一搬送波状況（ｎｏｎ−ＣＡ）下における通信に相当する。ここで、ＵＬ ＣＣ及びＤＬ ＣＣはそれぞれ、ＵＬリソース（ＵＬ  ｒｅｓｏｕｒｃｅｓ）及びＤＬリソース（ＤＬ  ｒｅｓｏｕｒｃｅｓ）とも呼ばれる。
【００９９】
例えば、図１５を参照すると、上り／下りリンクにそれぞれ５個の２０ＭＨｚのＣＣが束ねられて１００ＭＨｚ帯域幅を支援することができる。それぞれのＣＣは、周波数領域で互いに隣接していても、非−隣接していてもよい。図１５は、便宜上、ＵＬＣＣの帯域幅とＤＬ ＣＣの帯域幅とがいずれも同一且つ対称である場合を示している。しかし、各ＣＣの帯域幅は独立して定められてもよい。一例として、ＵＬ ＣＣの帯域幅は、５ＭＨｚ（ＵＬＣＣ０）＋２０ＭＨｚ（ＵＬ ＣＣ１）＋２０ＭＨｚ（ＵＬ ＣＣ２）＋２０ＭＨｚ（ＵＬ ＣＣ３）＋５ＭＨｚ（ＵＬ ＣＣ４）のように構成されてもよい。また、ＵＬ ＣＣの個数とＤＬＣＣの個数とが異なる非対称の搬送波アグリゲーションにしてもよい。非対称の搬送波アグリゲーションは、可用周波数帯域の制限により発生することもあり、ネットワーク設定により人為的に発生することもある。一例として、ＢＳがＸ個のＤＬＣＣを管理しても、特定ＵＥが受信可能な周波数帯域はＹ（≦Ｘ）個のＤＬ ＣＣに限定されることがある。この場合、ＵＥは、Ｙ個のＣＣを通じて伝送されるＤＬ信号／データをモニターすればよい。また、ＢＳがＬ個のＵＬＣＣを管理しても、特定ＵＥが送信可能な周波数帯域はＭ（≦Ｌ）個のＵＬ ＣＣに限定されることがある。このように、特定ＵＥに限定されたＤＬ ＣＣ或いはＵＬ ＣＣを、特定ＵＥでの設定された（ｃｏｎｆｉｇｕｒｅｄ）サービング（ｓｅｒｖｉｎｇ）ＵＬ或いはＤＬＣＣと呼ぶことができる。ＢＳは、該ＢＳが管理するＣＣのうち一部又は全部を活性化（ａｃｔｉｖａｔｅ）したり、一部のＣＣを非活性化（ｄｅａｃｔｉｖａｔｅ）することで、ＵＥに所定の個数のＣＣを割り当てることができる。ＢＳは活性化／非活性化されるＣＣを変更することができ、活性化／非活性化されるＣＣの個数を変更することができる。一方、ＢＳは、セル−特定或いはＵＥ−特定にＵＥが優先してモニター／受信すべきＺ個のＤＬＣＣ（ここで、１≦Ｚ≦Ｙ≦Ｘ）を主要（ｍａｉｎ）ＤＬ ＣＣと構成することができる。また、ＢＳは、セル−特定或いはＵＥ−特定にＵＥが優先して送信するＮ個のＵＬ ＣＣ（ここで、１≦Ｎ≦Ｍ≦Ｌ）を主要（ｍａｉｎ）ＵＬＣＣと構成することができる。このように特定ＵＥに限定された主要ＤＬ或いはＵＬ ＣＣを、特定ＵＥでの設定された（ｃｏｎｆｉｇｕｒｅｄ）サービング（ｓｅｒｖｉｎｇ）ＵＬ或いはＤＬＣＣと呼ぶことができる。搬送波アグリゲーションに関する種々のパラメータは、セル−特定（ｃｅｌｌ−ｓｐｅｃｉｆｉｃ）、ＵＥグループ−特定（ＵＥ  ｇｒｏｕｐ−ｓｐｅｃｉｆｉｃ）又はＵＥ−特定（ＵＥ−ｓｐｅｃｉｆｉｃ）に設定することができる。
【０１００】
一応、ＢＳがＵＥに、利用可能なＣＣをセル−特定或いはＵＥ−特定に割り当てると、該ＵＥへのＣＣ割当が全面的に再構成されたり、ＵＥがハンドオーバーしない限り、一応割り当てられたＣＣのうち少なくとも一つは非活性化されない。以下では、ＵＥへのＣＣ割当の全面的な再構成でない限り非活性化されないＣＣをＰＣＣ（Ｐｒｉｍａｒｙ  ＣＣ）と称し、ＢＳが自由に活性化／非活性化し得るＣＣをＳＣＣ（Ｓｅｃｏｎｄａｒｙ  ＣＣ）と称する。単一搬送波通信は、１個のＰＣＣをＵＥとＢＳ間の通信に使用し、ＳＣＣは通信に使用しない。一方、ＰＣＣとＳＣＣは制御情報を基準に区別されてもよい。例えば、特定制御情報は特定ＣＣのみを通じて送受信されるように設定されることがあり、このような特定ＣＣをＰＣＣと呼び、残りのＣＣをＳＣＣ（ｓ）と呼ぶことができる。例えば、ＰＵＣＣＨを通じて伝送される制御情報がこのような特定制御情報に相当する。このように、ＰＵＣＣＨ上で伝送される制御情報がＰＣＣのみを通じてＵＥからＢＳへと伝送可能な場合、該ＵＥのＰＵＣＣＨが存在するＵＬＣＣをＵＬ ＰＣＣと呼び、残りのＵＬ ＣＣはＵＬ ＳＣＣ（ｓ）と呼ぶことができる。他の例として、ＵＥ−特定的ＣＣが用いられる場合に、特定ＵＥは、ＤＬ同期シグナル（ｓｙｎｃｈｒｏｎｉｚａｔｉｏｎ  ｓｉｇｎａｌ、ＳＳ）を特定制御情報としてＢＳから受信することができる。この場合、特定ＵＥがＤＬＳＳを受信して初期ＤＬ時間同期を取ったＤＬ ＣＣ（換言すると、ＢＳのネットワークへの接続を試みるのに用いたＤＬ ＣＣ）をＤＬ ＰＣＣと呼び、残りのＤＬ ＣＣをＤＬＳＣＣ（ｓ）と呼ぶことができる。ＬＴＥ−Ａ ｒｅｌｅａｓｅ−１０に基づく通信システムでは、多重搬送波通信は、各ＵＥ当たり１個のＰＣＣと０個又は１個以上の副ＳＣＣ（ｓ）が通信に用いられる。しかし、これはＬＴＥ−Ａ標準に基づく定義であり、将来は、ＵＥ当たり複数のＰＣＣを通信に用いることが許容されるだろう。ＰＣＣは、プライマリＣＣ（ｐｒｉｍａｒｙ  ＣＣ）、アンカーＣＣ（ａｎｃｈｏｒ  ＣＣ）或いはプライマリ搬送波（ｐｒｉｍａｒｙ  ｃａｒｒｉｅｒ）と呼ぶこともでき、ＳＣＣは、セカンダリＣＣ（ｓｅｃｏｎｄａｒｙ  ＣＣ）或いはセカンダリ搬送波（ｓｅｃｏｎｄａｒｙ  ｃａｒｒｉｅｒ）と呼ぶこともできる。
【０１０１】
ＬＴＥ−Ａは、無線リソースを管理するためにセル（ｃｅｌｌ）の概念を用いる。セルは、下りリンクリソース（ＤＬ  ｒｅｓｏｕｒｃｅｓ）と上りリンクリソース（ＵＬ  ｒｅｓｏｕｒｃｅｓ）との組み合わせ、すなわち、ＤＬＣＣとＵＬ ＣＣとの組み合わせで定義され、上りリンクリソースは必須要素ではない。そのため、セルは、下りリンクリソース単独、又は下りリンクリソースと上りリンクリソースとの組み合わせで構成可能である。しかし、これは、現在ＬＴＥ−Ａ標準における定義であり、将来は、セルが上りリンクリソース単独で構成されることも可能になるだろう。搬送波アグリゲーションが支援される場合に、下りリンクリソース（又は、ＤＬＣＣ）の搬送波周波数（ｃａｒｒｉｅｒ  ｆｒｅｑｕｅｎｃｙ）と上りリンクリソース（又は、ＵＬ ＣＣ）の搬送波周波数とのリンケージ（ｌｉｎｋａｇｅ）をシステム情報で指示することができる。例えば、システム情報ブロックタイプ２（Ｓｙｓｔｅｍ  Ｉｎｆｏｒｍａｔｉｏｎ  Ｂｌｏｃｋ  ｔｙｐｅ２、ＳＩＢ２）リンケージにより、ＤＬリソースとＵＬリソースとの組み合わせを指示することができる。ここで、搬送波周波数とは、各セル或いはＣＣの中心周波数（ｃｅｎｔｅｒ  ｆｒｅｑｕｅｎｃｙ）を意味する。プライマリ周波数（Ｐｒｉｍａｒｙ  ｆｒｅｑｕｅｎｃｙ）（又は、ＰＣＣ）上で動作するセルをプライマリセル（Ｐｒｉｍａｒｙ  Ｃｅｌｌ、ＰＣｅｌｌ）と呼び、セカンダリ周波数（Ｓｅｃｏｎｄａｒｙ  ｆｒｅｑｕｅｎｃｙ）（又は、ＳＣＣ）上で動作するセルをセカンダリセル（Ｓｅｃｏｎｄａｒｙ  Ｃｅｌｌ、ＳＣｅｌｌ）と呼ぶことができる。プライマリ周波数（或いはＰＣＣ）とは、ＵＥが初期接続設定（ｉｎｉｔｉａｌ  ｃｏｎｎｅｃｔｉｏｎ  ｅｓｔａｂｌｉｓｈｍｅｎｔ）過程を行ったり、接続再−設定（ｃｏｎｎｅｃｔｉｏｎ  ｒｅ−ｅｓｔａｂｌｉｓｈｍｅｎｔ）過程を始めるのに用いられる周波数（又はＣＣ）を意味する。ＰＣｅｌｌは、ハンドオーバー過程で指示されたセルのことを指すこともある。ここで、セカンダリ周波数（又はＳＣＣ）とは、ＲＲＣ接続が設定された後に構成可能であり、追加の無線リソースを提供するのに使用可能な周波数（或いはＣＣ）を意味する。ＰＣｅｌｌとＳＣｅｌｌはサービングセル（ｓｅｒｖｉｎｇ  ｃｅｌｌ）と総称されてもよい。したがって、ＲＲＣ＿ＣＯＮＮＥＣＴＥＤ状態にあるが、搬送波アグリゲーションが設定されていないか、搬送波アグリゲーションを支援しないＵＥの場合は、ＰＣｅｌｌのみで構成されたサービングセルが一つのみ存在する。一方、ＲＲＣ＿ＣＯＮＮＥＣＴＥＤ状態にあり、且つ搬送波アグリゲーションが設定されたＵＥの場合は、一つ以上のサービングセルが存在し、一つのＰＣｅｌｌ及び一つ以上のＳＣｅｌｌが全体サービングセルを形成することができる。ただし、将来は、サービングセルが複数のＰＣｅｌｌを含むことが許容されることも可能になるだろう。搬送波アグリゲーションのために、初期保安活性化（ｉｎｉｔｉａｌ  ｓｅｃｕｒｉｔｙ  ａｃｔｉｖａｔｉｏｎ）過程が開始された後、搬送波アグリゲーションを支援するＵＥのために、ネットワークは接続設定過程で初期に構成されたＰＣｅｌｌの他、一つ以上のＳＣｅｌｌを付加することができる。しかし、ＵＥが搬送波アグリゲーションを支援しても、ネットワークはＳＣｅｌｌを付加せずに、ＰＣｅｌｌのみをＵＥのために構成することもできる。ＰＣｅｌｌをプライマリＣｅｌｌ（ｐｒｉｍａｒｙ  Ｃｅｌｌ）、アンカーＣｅｌｌ（ａｎｃｈｏｒ  Ｃｅｌｌ）或いはプライマリ搬送波（ｐｒｉｍａｒｙ  ｃａｒｒｉｅｒ）と呼ぶこともでき、ＳＣｅｌｌを、セカンダリセル（ｓｅｃｏｎｄａｒｙ  Ｃｅｌｌ）或いはセカンダリ搬送波（ｓｅｃｏｎｄａｒｙ  ｃａｒｒｉｅｒ）と呼ぶこともできる。
【０１０２】
多重搬送波システムにおいて、ＢＳは、複数のデータユニットを与えられたセル（或いはＣＣ）上でＵＥに伝送することができ、ＵＥは、サブフレームで当該複数のデータユニットに対するＡＣＫ／ＮＡＣＫを伝送することができる。下りリンクデータ受信のためのＰＤＳＣＨを受信する一つ又は複数のセル（或いはＤＬＣＣ）をＵＥに割り当てることができる。ＵＥのためのセル（或いはＤＬ ＣＣ）は、ＲＲＣシグナリングによって半−静的（ｓｅｍｉ−ｓｔａｔｉｃ）に構成（ｃｏｎｆｉｇｕｒｅ）或いは再構成可能である。また、ＵＥのためのセル（或いはＤＬＣＣ）は、Ｌ１／Ｌ２（ＭＡＣ）制御シグナリングによって動的に活性化／非活性化されてもよい。したがって、ＵＥが伝送するＡＣＫ／ＮＡＣＫビットの最大個数は、ＵＥが利用可能なセル（或いはＤＬＣＣ）によって異なることがある。すなわち、ＵＥが伝送するＡＣＫ／ＮＡＣＫビットの最大個数は、ＲＲＣにより構成／再構成されたり、Ｌ１／Ｌ２シグナリングにより活性化されたＤＬＣＣ（或いは、構成されたサービングセル）によって異なってくる。
【０１０３】
図１６は、基地局で一つのＭＡＣが多重搬送波を管理する概念を説明する。図１７は、ユーザー機器で一つのＭＡＣが多重搬送波を管理する概念を説明する。
【０１０４】
図１６及び図１７を参照すると、一つのＭＡＣが一つ以上の周波数搬送波を管理及び運営して送受信を行う。一つのＭＡＣで管理される周波数搬送波は互いに隣接（ｃｏｎｔｉｇｕｏｕｓ）する必要がないため、リソースの管理面でより柔軟（ｆｌｅｘｉｂｌｅ）であるというメリットがある。図１６及び図１７で、一つのＰＨＹは、便宜上、一つのコンポーネント搬送波を意味するとする。ここで、一つのＰＨＹは必ずしも独立したＲＦ（Ｒａｄｉｏ  Ｆｒｅｑｕｅｎｃｙ）デバイスを意味しない。一般に、一つの独立したＲＦデバイスは一つのＰＨＹを意味するが、必ずしもこれに限定されるわけではなく、一つのＲＦデバイスが複数のＰＨＹを含むこともできる。
【０１０５】
図１８は、基地局で複数のＭＡＣが多重搬送波を管理する概念を説明する。図１９は、ユーザー機器で複数のＭＡＣが多重搬送波を管理する概念を説明する。図２０は、基地局で複数のＭＡＣが多重搬送波を管理する他の概念を説明する。図２１は、ユーザー機器で複数のＭＡＣが多重搬送波を管理する他の概念を説明する。
【０１０６】
図１６及び図１７のような構造の他、図１８乃至図２１のように、複数の搬送波を一つのＭＡＣではなく複数のＭＡＣが制御する構造も可能である。図１８及び図１９のように、それぞれの搬送波をそれぞれのＭＡＣが１:１で制御することもでき、図２０及び図２１のように、一部の搬送波については、それぞれの搬送波をそれぞれのＭＡＣが１:１で制御し、残り１個以上の搬送波を一つのＭＡＣが制御することもできる。
【０１０７】
上記のシステムは、１個からＮ個までの複数の搬送波を含むシステムであり、各搬送波は、隣接又は非隣接（ｎｏｎ−ｃｏｎｔｉｇｕｏｕｓ）するように用いられる。これは、上り／下りリンクを問わず共通に適用可能である。ＴＤＤシステムは、それぞれの搬送波内に下りリンクと上りリンクの伝送を含むＮ個の複数の搬送波を運営するように構成され、ＦＤＤシステムは、複数の搬送波を上りリンクと下りリンクにそれぞれ使用するように構成される。ＦＤＤシステムでは、上りリンクと下りリンクで束ねられる搬送波の数及び／又は搬送波の帯域幅が互いに異なる非対称の搬送波アグリゲーションも支援可能である。
【０１０８】
上りリンクと下りリンクで束ねられるコンポーネント搬送波の個数が同一であると、全てのコンポーネント搬送波を既存システムと互換可能に構成することができる。しかし、互換性を考慮しないコンポーネント搬送波が本発明から除外されるわけではない。
【０１０９】
以下では、説明の便宜のために、ＰＤＣＣＨが下りリンクコンポーネント搬送波＃０で伝送されたとき、該当のＰＤＳＣＨも下りリンクコンポーネント搬送波＃０で伝送されるとして説明するが、交差−搬送波スケジューリング（ｃｒｏｓｓ−ｃａｒｒｉｅｒ  ｓｃｈｅｄｕｌｉｎｇ）が適用されて、該当のＰＤＳＣＨが他の下りリンクコンポーネント搬送波を通じて伝送されてもよいことは明らかである。
【０１１０】
図２２及び図２３は、ＡＣＫ／ＮＡＣＫ伝送のためのＰＵＣＣＨフォーマット１ａ及び１ｂのスロットレベル構造を例示する。
【０１１１】
図２２には、正規ＣＰにおいてのＰＵＣＣＨフォーマット１ａと１ｂを示す。図２３には、拡張ＣＰにおいてのＰＵＣＣＨフォーマット１ａと１ｂを示す。ＰＵＣＣＨフォーマット１ａと１ｂは、同じ内容の制御情報がサブフレーム内でスロット単位に反復される。各ユーザー機器でＡＣＫ／ＮＡＣＫ信号は、ＣＧ−ＣＡＺＡＣ（Ｃｏｍｐｕｔｅｒ−Ｇｅｎｅｒａｔｅｄ  Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスの互いに異なったサイクリックシフト（ｃｙｃｌｉｃ  ｓｈｉｆｔ：ＣＳ）（周波数ドメインコード）と直交カバーコード（ｏｒｔｈｏｇｏｎａｌ  ｃｏｖｅｒ  ｏｒ  ｏｒｔｈｏｇｏｎａｌ  ｃｏｖｅｒ  ｃｏｄｅ：ＯＣ  ｏｒ  ＯＣＣ）（時間ドメイン拡散コード）とで構成された互いに異なったリソースを通じて伝送される。ＯＣは、例えばウォルシュ（Ｗａｌｓｈ）／ＤＦＴ直交コードを含む。ＣＳの個数が６個であり、ＯＣの個数が３であると、単一アンテナを基準に総１８個のユーザー機器を同じＰＲＢ（Ｐｈｙｓｉｃａｌ  Ｒｅｓｏｕｒｃｅ  Ｂｌｏｃｋ）中に多重化できる。直交シーケンスｗ０，ｗ１，ｗ２，ｗ３は、（ＦＦＴ変調後に）任意の時間ドメインで、又は（ＦＦＴ変調前に）任意の周波数ドメインで適用可能である。ＳＲ（Ｓｃｈｅｄｕｌｉｎｇ  Ｒｅｑｕｅｓｔ）伝送のためのＰＵＣＣＨフォーマット１のスロットレベル構造は、変調方法以外は、ＰＵＣＣＨフォーマット１ａ及び１ｂと同一である。
【０１１２】
ＳＲ伝送と半−持続的スケジューリング（ｓｅｍｉ−ｐｅｒｓｉｓｔｅｎｔ  ｓｃｈｅｄｕｌｉｎｇ、ＳＰＳ）に対するＡＣＫ／ＮＡＣＫフィードバックのために、ＣＳ、ＯＣ及びＰＲＢ（Ｐｈｙｓｉｃａｌ  Ｒｅｓｏｕｒｃｅ  Ｂｌｏｃｋ）で構成されたＰＵＣＣＨリソースが、ＲＲＣ（Ｒａｄｉｏ  Ｒｅｓｏｕｒｃｅ  Ｃｏｎｔｒｏｌ）シグナリングを通じてユーザー機器に割り当てられうる。図２２で説明した通り、動的ＡＣＫ／ＮＡＣＫ（或いは、非持続的スケジューリング（ｎｏｎ−ｐｅｒｓｉｓｔｅｎｔ  ｓｃｈｅｄｕｌｉｎｇ）に対するＡＣＫ／ＮＡＣＫ）フィードバック、及びＳＰＳ解除を指示するＰＤＣＣＨに対するＡＣＫ／ＮＡＣＫフィードバックのために、ＰＵＣＣＨリソースは、ＰＤＳＣＨに対応するＰＤＣＣＨ、或いはＳＰＳ解除を指示するＰＤＣＣＨの最小（ｌｏｗｅｓｔ  ｏｒ  ｓｍａｌｌｅｓｔ）のＣＣＥインデックスを用いて暗黙的に（ｉｍｐｌｉｃｉｔｌｙ）ユーザー機器に割り当てられうる。
【０１１３】
図２４は、搬送波アグリゲーションが支援される無線通信システムにおいて、上りリンク制御情報（Ｕｐｌｉｎｋ  Ｃｏｎｔｒｏｌ  Ｉｎｆｏｒｍａｔｉｏｎ:ＵＣＩ）が伝送されるシナリオを例示する。便宜上、本例は、ＵＣＩがＡＣＫ／ＮＡＣＫ（Ａ／Ｎ）である場合を仮定する。しかし、これは説明の便宜のためのもので、これに限定されず、ＵＣＩは、チャネル状態情報（例、ＣＱＩ、ＰＭＩ、ＲＩ）、スケジューリング要請情報（例、ＳＲ）のような制御情報も含むことができる。
【０１１４】
図２４は、５個のＤＬ ＣＣが１個のＵＬ ＣＣとリンクされた非対称の搬送波アグリゲーションを例示する。例示した非対称の搬送波アグリゲーションは、ＵＣＩ伝送観点で設定されたものであってもよい。すなわち、ＵＣＩのためのＤＬＣＣ−ＵＬ ＣＣリンケージとデータのためのＤＬ ＣＣ−ＵＬ ＣＣリンケージとが互いに異なるように設定されることもある。便宜上、各ＤＬ ＣＣが最大２つのコードワード（又は、伝送ブロック）を搬送することができ、各ＣＣに対するＡＣＫ／ＮＡＣＫ応答の個数が、ＣＣ当たりに設定された最大コードワードの個数に依存すると仮定すると（例えば、特定ＣＣで基地局から設定された最大コードワードの個数が２の場合に、該ＣＣで特定ＰＤＣＣＨがコードワードを１個のみ使用しても、これに対するＡＣＫ／ＮＡＣＫ応答は、ＣＣでの最大コードワードの数である２個からなる）、ＵＬＡＣＫ／ＮＡＣＫビットは、各ＤＬ ＣＣ当たり少なくとも２ビットを必要とする。この場合、５個のＤＬ ＣＣを通じて受信したデータに対するＡＣＫ／ＮＡＣＫを一つのＵＬＣＣを用いて伝送するためには、少なくとも１０ビットのＡＣＫ／ＮＡＣＫビットが必要である。もし、ＤＬ ＣＣ別にＤＴＸ（ｄｉｓｃｏｎｔｉｎｕｏｕｓ  ｔｒａｎｓｍｉｓｓｉｏｎ）状態（ｓｔａｔｅ）も別途に区別するためには、ＡＣＫ／ＮＡＣＫ伝送のために少なくとも１２ビット（＝５５＝３１２５＝１１．６１ビット）が必要となる。既存のＰＵＣＣＨフォーマット１ａ／１ｂは２ビットまでＡＣＫ／ＮＡＣＫを送ることができるため、このような構造では、増加したＡＣＫ／ＮＡＣＫ情報を伝送することができない。便宜上、ＵＣＩ情報の量が増加する原因として搬送波アグリゲーションを例示したが、アンテナ個数の増加、ＴＤＤシステム、リレーシステムでのバックホールサブフレームの存在などによってもＵＣＩ情報の量が増加することがある。ＡＣＫ／ＮＡＣＫと同様に、複数のＤＬＣＣに関連した制御情報を一つのＵＬ ＣＣを用いて伝送する場合にも、伝送されるべき制御情報の量が増加する。例えば、複数のＤＬ ＣＣに対するＣＱＩ／ＰＭＩ／ＲＩを伝送しなければならない場合にＵＣＩペイロードが増加することがある。
【０１１５】
図２４で、ＵＬアンカーＣＣ（ＵＬ ＰＣＣ或いはＵＬ主（ｐｒｉｍａｒｙ）ＣＣともいう。）は、ＰＵＣＣＨ或いはＵＣＩが伝送されるＣＣであり、セル−特定／ＵＥ−特定に決定可能である。また、ＤＴＸ状態は、明示的にフィードバックされてもよく、ＮＡＣＫと同じ状態を共有するようにフィードバックされてもよい。
【０１１６】
以下、図面を参照して、増加した上りリンク制御情報を效率的に伝送するための方案を提案する。具体的に、増加した上りリンク制御情報を伝送するための新しいＰＵＣＣＨフォーマット／信号処理過程／リソース割当方法などを提案する。説明のために、本発明で提案する新しいＰＵＣＣＨフォーマットを、ＣＡ（Ｃａｒｒｉｅｒ  Ａｇｇｒｅｇａｔｉｏｎ）ＰＵＣＣＨフォーマット、又は既存ＬＴＥリリース８／９にＰＵＣＣＨフォーマット２まで定義されている点からＰＵＣＣＨフォーマット３と呼ぶ。本発明で提案するＰＵＣＣＨフォーマットの技術的思想は、上りリンク制御情報を伝送し得る任意の物理チャネル（例、ＰＵＳＣＨ）にも同一又は類似の方式で容易に適用可能である。例えば、本発明の実施例は、制御情報を周期的に伝送する周期的ＰＵＳＣＨ構造又は制御情報を非周期的に伝送する非周期的ＰＵＳＣＨ構造にも適用可能である。
【０１１７】
以下の図面及び実施例は、ＰＵＣＣＨフォーマット３に適用されるサブフレーム／スロットレベルのＵＣＩ／ＲＳシンボル構造であり、既存ＬＴＥのＰＵＣＣＨフォーマット１／１ａ／１ｂ（正規ＣＰ）のＵＣＩ／ＲＳシンボル構造を用いる場合を中心に説明する。ただし、図示のＰＵＣＣＨフォーマット３においてサブフレーム／スロットレベルのＵＣＩ／ＲＳシンボル構造は例示のために便宜上定義されたもので、本発明が特定構造に制限されることはない。本発明に係るＰＵＣＣＨフォーマット３においてＵＣＩ／ＲＳシンボルの個数、位置などはシステム設計によって自由に変形可能である。例えば、本発明の実施例に係るＰＵＣＣＨフォーマット３は、既存ＬＴＥのＰＵＣＣＨフォーマット２／２ａ／２ｂのＲＳシンボル構造を用いて定義されてもよい。
【０１１８】
本発明の実施例に係るＰＵＣＣＨフォーマット３は、任意の種類／サイズの上りリンク制御情報を伝送するのに用いることができる。例えば、本発明の実施例に係るＰＵＣＣＨフォーマット３はＨＡＲＱＡＣＫ／ＮＡＣＫ、ＣＱＩ、ＰＭＩ、ＲＩ、ＳＲなどの情報を伝送でき、これらの情報は任意サイズのペイロードを有することができる。説明の便宜上、図面及び実施例では、本発明に係るＰＵＣＣＨフォーマット３がＡＣＫ／ＮＡＣＫ情報を伝送する場合を中心に説明する。
【０１１９】
図２５乃至図２８は、本発明で使用され得るＰＵＣＣＨフォーマット３の構造及びそのための信号処理過程を例示する。特に、図２４乃至図２７は、ＤＦＴ−ベースのＰＵＣＣＨフォーマットの構造を例示する。ＤＦＴ−ベースのＰＵＣＣＨ構造によれば、ＰＵＣＣＨは、ＤＦＴプリコーディングが行われ、ＳＣ−ＦＤＭＡレベルで時間ドメインＯＣ（Ｏｒｔｈｏｇｏｎａｌ  Ｃｏｖｅｒ）が適用されて伝送される。以下では、ＤＦＴ−ベースのＰＵＣＣＨフォーマットをＰＵＣＣＨフォーマット３と総称する。
【０１２０】
図２５は、ＳＦ＝４の直交コード（Ｏｒｔｈｏｇｏｎａｌ  Ｃｏｄｅ、ＯＣ）を用いたＰＵＣＣＨフォーマット３の構造を例示する。図２５を参照すると、チャネルコーディングブロック（ｃｈａｎｎｅｌ  ｃｏｄｉｎｇ  ｂｌｏｃｋ）は、情報ビットａ＿０，ａ＿１，…，ａ＿Ｍ−１（例、多重ＡＣＫ／ＮＡＣＫビット）をチャネルコーディングしてコーディングビット（ｅｎｃｏｄｅｄ  ｂｉｔ、ｃｏｄｅｄ  ｂｉｔ  ｏｒ  ｃｏｄｉｎｇ  ｂｉｔ）（又はコードワード）ｂ＿０，ｂ＿１，…，ｂ＿Ｎ−１を生成する。Ｍは、情報ビットのサイズを表し、Ｎは、コーディングビットのサイズを表す。情報ビットは、上りリンク制御情報（ＵＣＩ）、例えば、複数のＤＬＣＣを通じて受信した複数のデータ（又は、ＰＤＳＣＨ）に対する多重ＡＣＫ／ＮＡＣＫを含む。ここで、情報ビットａ＿０，ａ＿１，…，ａ＿Ｍ−１は、情報ビットを構成するＵＣＩの種類／個数／サイズにかかわらずにジョイントコーディングされる。例えば、情報ビットが複数のＤＬＣＣに対する多重ＡＣＫ／ＮＡＣＫを含む場合に、チャネルコーディングはＤＬ ＣＣ別、個別ＡＣＫ／ＮＡＣＫビット別に行われず、全体ビット情報を対象に行われ、これにより単一コードワードが生成される。チャネルコーディングは、これに制限されるわけではないが、単純反復（ｒｅｐｅｔｉｔｉｏｎ）、単純コーディング（ｓｉｍｐｌｅｘ  ｃｏｄｉｎｇ）、ＲＭ（Ｒｅｅｄ  Ｍｕｌｌｅｒ）コーディング、パンクチャリングされたＲＭコーディング、ＴＢＣＣ（Ｔａｉｌ−ｂｉｔｉｎｇ  ｃｏｎｖｏｌｕｔｉｏｎａｌ  ｃｏｄｉｎｇ）、ＬＤＰＣ（ｌｏｗ−ｄｅｎｓｉｔｙ  ｐａｒｉｔｙ−ｃｈｅｃｋ）或いはターボ−コーディングを含む。図示してはいないが、コーディングビットについて、変調次数とリソース量を考慮してレート−マッチング（ｒａｔｅ−ｍａｔｃｈｉｎｇ）が行われてもよい。レートマッチング機能は、チャネルコーディングブロックの一部として含まれてもよく、別途の機能ブロックを用いて行われてもよい。例えば、チャネルコーディングブロックは複数の制御情報に対して（３２，０）ＲＭコーディングを行って単一コードワードを得、これに対して循環バッファーレート−マッチングを行うことができる。
【０１２１】
変調器（ｍｏｄｕｌａｔｏｒ）は、コーディングビットｂ＿０，ｂ＿１，…，ｂ＿Ｎ−１を変調して、変調シンボルｃ＿０，ｃ＿１，…，ｃ＿Ｌ−１を生成する。Ｌは、変調シンボルのサイズを表す。変調は、伝送信号のサイズと位相を変形することによってなされる。変調方法は、例えば、ｎ−ＰＳＫ（Ｐｈａｓｅ  Ｓｈｉｆｔ  Ｋｅｙｉｎｇ）、ｎ−ＱＡＭ（Ｑｕａｄｒａｔｕｒｅ  Ａｍｐｌｉｔｕｄｅ  Ｍｏｄｕｌａｔｉｏｎ）を含む（ｎは、２以上の整数）。具体的に、変調方法には、ＢＰＳＫ（Ｂｉｎａｒｙ  ＰＳＫ）、ＱＰＳＫ（Ｑｕａｄｒａｔｕｒｅ  ＰＳＫ）、８−ＰＳＫ、ＱＡＭ、１６−ＱＡＭ、６４−ＱＡＭなどを用いることができる。
【０１２２】
分周器（ｄｉｖｉｄｅｒ）は、変調シンボルｃ＿０，ｃ＿１，…，ｃ＿Ｌ−１を各スロットに分周する。変調シンボルを各スロットに分周する順序／パターン／方式は特に制限されない。例えば、分周器は、変調シンボルを前から順にそれぞれのスロットに分周することができる（ローカル型方式）。この場合、図示のように、変調シンボルｃ＿０，ｃ＿１，…，ｃ＿Ｌ／２−１はスロット０に分周し、変調シンボルｃ＿Ｌ／２，ｃ＿Ｌ／２＋１，…，ｃ＿Ｌ−１は、スロット１に分周できる。また、変調シンボルはそれぞれのスロットへの分周時にインタリービング（又はパーミュテーション）されてもよい。例えば、偶数変調シンボルは、スロット０に分周し、奇数変調シンボルはスロット１に分周することができる。変調過程と分周過程は互いに順序が換わってもよい。
【０１２３】
ＤＦＴプリコーダ（ｐｒｅｃｏｄｅｒ）は、単一搬送波波形（ｓｉｎｇｌｅ  ｃａｒｒｉｅｒ  ｗａｖｅｆｏｒｍ）を生成するために、それぞれのスロットに分周された変調シンボルに対してＤＦＴプリコーディング（例、１２−ポイントＤＦＴ）を行う。図２５を参照すると、スロット０に分周された変調シンボルｃ＿０，ｃ＿１，…，ｃ＿Ｌ／２−１は、ＤＦＴシンボルｄ＿０，ｄ＿１，…，ｄ＿Ｌ／２−１にＤＦＴプリコーディングされ、スロット１に分周された変調シンボルｃ＿Ｌ／２，ｃ＿Ｌ／２＋１，…，ｃ＿Ｌ−１は、ＤＦＴシンボルｄ＿Ｌ／２，ｄ＿Ｌ／２＋１，…，ｄ＿Ｌ−１にＤＦＴプリコーディングされる。ＤＦＴプリコーディングは、相応する他の線形演算（ｌｉｎｅａｒ  ｏｐｅｒａｔｉｏｎ）（例、ｗａｌｓｈ  ｐｒｅｃｏｄｉｎｇ）に代替されてもよい。
【０１２４】
拡散ブロック（ｓｐｒｅａｄｉｎｇ  ｂｌｏｃｋ）は、ＤＦＴされた信号を、ＳＣ−ＦＤＭＡシンボルレベルで（時間ドメイン）拡散する。ＳＣ−ＦＤＭＡシンボルレベルの時間ドメイン拡散は、拡散コード（シーケンス）を用いて行われる。拡散コードは、準直交コードと直交コードを含む。準直交コードとしては、これに制限されるわけではないが、ＰＮ（Ｐｓｅｕｄｏ  Ｎｏｉｓｅ）コードを含む。直交コードとしては、これに制限されるわけではないが、ウォルシュコード、ＤＦＴコードを含む。本明細書は、説明の容易性のために、拡散コードの代表例として直交コードを挙げて説明するが、これは例示であり、直交コードは準直交コードに代替されてもよい。拡散コードサイズ（又は、拡散因子（Ｓｐｒｅａｄｉｎｇ  Ｆａｃｔｏｒ：ＳＦ））の最大値は、制御情報伝送に用いられるＳＣ−ＦＤＭＡシンボルの個数によって制限される。一例として、１スロットで４個のＳＣ−ＦＤＭＡシンボルが制御情報伝送に用いられる場合に、スロット別に長さ４の（準）直交コードｗ０，ｗ１，ｗ２，ｗ３を用いることができる。ＳＦは、制御情報の拡散度を意味し、ユーザー機器の多重化次数（ｍｕｌｔｉｐｌｅｘｉｎｉｇ  ｏｒｄｅｒ）又はアンテナ多重化次数と関連を持つことができる。ＳＦは、１→２→３→４…などの順に、システムの要求条件に応じて可変されてもよく、基地局と端末間にあらかじめ定義されたり、ＤＣＩ或いはＲＲＣシグナリングを通じて端末に知らせられてもよい。例えば、ＳＲＳを伝送するために、制御情報用ＳＣ−ＦＤＭＡシンボルのうちの一つをパンクチャリングする場合に、当該スロットの制御情報にはＳＦの縮小した（例、ＳＦ＝４の代わりにＳＦ＝３）拡散コードを適用することができる。
【０１２５】
上の過程を経て生成された信号は、ＰＲＢ内の副搬送波にマッピングされた後に、ＩＦＦＴを経て時間ドメイン信号に変換される。時間ドメイン信号にはＣＰが付加され、生成されたＳＣ−ＦＤＭＡシンボルはＲＦ端を通じて伝送される。
【０１２６】
５個のＤＬ ＣＣに対するＡＣＫ／ＮＡＣＫを伝送する場合を挙げて、各過程をより具体的に説明する。それぞれのＤＬＣＣが２個のＰＤＳＣＨを伝送できる場合に、これに対するＡＣＫ／ＮＡＣＫビットは、ＤＴＸ状態を含む場合に１２ビットでよい。ＱＰＳＫ変調とＳＦ＝４時間拡散を想定する場合に、（レートマッチング後の）コーディングブロックサイズは４８ビットでよい。コーディングビットは２４個のＱＰＳＫシンボルに変調され、生成されたＱＰＳＫシンボルは１２個ずつ各スロットに分周される。各スロットで１２個のＱＰＳＫシンボルは１２−ポイントＤＦＴ演算を通じて１２個のＤＦＴシンボルに変換される。各スロットにおいて１２個のＤＦＴシンボルは時間ドメインでＳＦ＝４拡散コードを用いて４個のＳＣ−ＦＤＭＡシンボルに拡散されてマッピングされる。１２個のビットが［２ビット＊１２個の副搬送波＊８個のＳＣ−ＦＤＭＡシンボル］を通じて伝送されるので、コーディングレートは０．０６２５（＝１２／１９２）である。また、ＳＦ＝４の場合に、１ＰＲＢ当たり最大４個のユーザー機器を多重化することができる。
【０１２７】
図２６は、ＳＦ＝５の直交コード（Ｏｒｔｈｏｇｏｎａｌ  Ｃｏｄｅ、ＯＣ）を用いたＰＵＣＣＨフォーマット３の構造を例示する。
【０１２８】
基本的な信号処理過程は、図２５を参照して説明した通りである。ただし、図２６において、ＵＣＩＳＣ−ＦＤＭＡシンボルとＲＳ ＳＣ−ＦＤＭＡシンボルの個数／位置が、図２５のそれと異なっている。このとき、拡散ブロック（ｓｐｒｅａｄｉｎｇ  ｂｌｏｃｋ）がＤＦＴプリコーダの前段であらかじめ適用されてもよい。
【０１２９】
図２６で、ＲＳはＬＴＥシステムの構造を継承することができる。例えば、基本シーケンスにサイクリックシフトを適用することができる。データ部分は、ＳＦ＝５により、多重化容量（ｍｕｌｔｉｐｌｅｘｉｎｇ  ｃａｐａｃｉｔｙ）が５となる。しかし、ＲＳ部分は、サイクリックシフト間隔である△ｓｈｉｆｔＰＵＣＣＨによって多重化容量が決定される。例えば、多重化容量は１２／△ｓｈｉｆｔＰＵＣＣＨで与えられる。この場合、△ｓｈｉｆｔＰＵＣＣＨ＝１、△ｓｈｉｆｔＰＵＣＣＨ＝２、△ｓｈｉｆｔＰＵＣＣＨ＝３の場合における多重化容量はそれぞれ１２、６、４となる。図２６で、データ部分の多重化容量は、ＳＦ＝５から、５となる反面、ＲＳの多重化容量は、△ｓｈｉｆｔＰＵＣＣＨの場合に４となり、全体多重化容量は、両者のうち、小さい値である４に制約されることがある。
【０１３０】
図２７は、スロットレベルで多重化容量が増加しうるＰＵＣＣＨフォーマット３の構造を例示する。
【０１３１】
図２５及び図２６で説明したＳＣ−ＦＤＭＡシンボルレベル拡散をＲＳに適用して全体多重化容量を増加させることができる。図２７を参照すると、スロット内でウォルシュカバー（或いはＤＦＴコードカバー）を適用すると、多重化容量が２倍に増加する。これにより、△ｓｈｉｆｔＰＵＣＣＨの場合にも多重化容量が８になり、データ区間の多重化容量が低下しなくなる。図２７で、［ｙ１ｙ２］＝［１ １］或いは［ｙ１ ｙ２］＝［１ −１］であるが、その線形変換形態（例えば、［ｊ ｊ］［ｊ −ｊ］、［１ ｊ］［１ −ｊ］など）もＲＳのための直交カバーコードとして用いることができる。
【０１３２】
図２８は、サブフレームレベルで多重化容量が増加しうるＰＵＣＣＨフォーマット３の構造を例示する。
【０１３３】
スロット−レベルで周波数ホッピングを適用しないと、スロット単位にウォルシュカバーを適用することによって、多重化容量をさらに２倍に増加させることができる。ここで、上述した通り、直交カバーコードには［ｘ１ｘ２］＝［１ １］又は［１ −１］を用いることができ、その変形形態を用いることもできる。
【０１３４】
参考として、ＰＵＣＣＨフォーマット３の処理過程は、図２５乃至図２８に示した順序に拘わらない。
【０１３５】
搬送波アグリゲーションにおいて多重搬送波をＰＣｅｌｌとＳＣｅｌｌとに区別することができる。ＵＥは、ＰＣｅｌｌ及び／又はＳＣｅｌｌの下りリンクから受信された一つ以上のＰＤＣＣＨ或いはＰＤＣＣＨのないＰＤＳＣＨに対する応答を束ねて、ＰＣｅｌｌの上りリンクを用いてＰＵＣＣＨ上で伝送する。このように、該当する応答が一つの上りリンクＰＵＣＣＨを通じて伝送される、複数のＰＵＣＣＨを含むサブフレーム及び／又はＣＣをバンドリングウィンドウと称する。本発明の説明においていう時間ドメイン或いはＣＣドメインバンドリングは、論理ＡＮＤ演算を意味するが、定義によっては論理ＯＲ演算などの他の方法を用いてもよい。すなわち、以下でいう時間ドメイン或いはＣＣドメインバンドリングとは、単一ＰＵＣＣＨフォーマットを用いたＡＣＫ／ＮＡＣＫ応答において複数のサブフレーム或いは複数のＣＣに渡る複数のＡＣＫ／ＮＡＣＫを少ないビット数で表現するための方法を総称する。すなわち、Ｘ−ビットのＡＣＫ／ＮＡＣＫ情報を、Ｘ≧ＹのＹ−ビットで表現するための任意の方法を総称する。
【０１３６】
ＣＡ ＴＤＤにおいて各ＣＣに対する多重ＡＣＫ／ＮＡＣＫ応答は、ＰＵＣＣＨフォーマット１ａ／１ｂを使用するチャネル選択、ＰＵＣＣＨフォーマット３、ＰＵＣＣＨフォーマット３を使用するチャネル選択などにより伝送されることが可能である。これらのＰＵＣＣＨフォーマットに対するＰＵＣＣＨリソースインデックスについては、暗黙的（ｉｍｐｌｉｃｉｔ）マッピングが用いられてもよく、明示的（ｅｘｐｌｉｃｉｔ）マッピングが用いられてもよく、暗黙的マッピングと明示的マッピングとが複合的に用いられてもよい。暗黙的マッピングには、例えば、該当のＰＤＣＣＨの最低ＣＣＥインデックスに基づいてＰＵＣＣＨリソースインデックスを誘導する方法がある。明示的マッピングには、例えば、該当のＰＤＣＣＨ内のＡＲＩ（ＡＣＫ／ＮＡＣＫ  Ｒｅｓｏｕｒｃｅ  Ｉｎｄｉｃａｔｏｒ）値によって該当のＰＵＣＣＨリソースインデックスを、ＲＲＣ構成などによりあらかじめ定められたセットの中から指示したり誘導する方法がある。
【０１３７】
ＤＬに対するＡＣＫ／ＮＡＣＫフィードバックがサブフレームｎで必要な場合は、下記の３通りに区別することができる。
【０１３８】
●ケース１：サブフレームｎ−ｋで検出されたＰＤＣＣＨにより指示されるＰＤＳＣＨに対してＡＣＫ／ＮＡＣＫフィードバックが必要である。ここで、ｋ∈Ｋであり、Ｋは、サブフレームインデックス（ｎ）及びＵＬ−ＤＬ構成によって変わり、且つＭ個の元素（ｅｌｅｍｅｎｔ）からなる（｛ｋ０，ｋ１，…ｋＭ−１｝）。表４に、Ｋ：｛ｋ０，ｋ１，…ｋＭ−１｝を例示する。ケース１は、一般的なＡＣＫ／ＮＡＣＫフィードバックが必要なＰＤＳＣＨに関する。以下の説明では、ケース１を「ＰＤＳＣＨｗｉｔｈ ＰＤＣＣＨに対するＡＣＫ／ＮＡＣＫ」と称する。
【０１３９】
●ケース２：サブフレームｎ−ｋ内の下りリンクＳＰＳ（Ｓｅｍｉ-Ｐｅｒｓｉｓｔｅｎｔ  Ｓｃｈｅｄｕｌｉｎｇ）解除（ｒｅｌｅａｓｅ）を指示するＰＤＣＣＨに対するＡＣＫ／ＮＡＣＫフィードバックが必要である。ここで、ｋ∈Ｋであり、Ｋは、ケース１で説明した通りである。ケース２のＡＣＫ／ＮＡＣＫは、ＳＰＳ解除のためのＰＤＣＣＨに対するＡＣＫ／ＮＡＣＫフィードバックを意味する。一方、ＤＬＳＰＳ解除に対するＡＣＫ／ＮＡＣＫフィードバックは行われるが、ＳＰＳ活性化（ａｃｔｉｖａｔｉｏｎ）を指示するＰＤＣＣＨに対するＡＣＫ／ＮＡＣＫフィードバックは行われない。以下の説明では、ケース２を「ＤＬＳＰＳ解除に対するＡＣＫ／ＮＡＣＫ」と称する。
【０１４０】
●ケース３：サブフレームｎ−ｋで検出された対応ＰＤＣＣＨのないＰＤＳＣＨ伝送に対するＡＣＫ／ＮＡＣＫフィードバックが必要である。ここで、ｋ∈Ｋであり、Ｋはケース１で説明した通りである。ケース３は、ＰＤＣＣＨのないＰＤＳＣＨに関するもので、ＳＰＳＰＤＳＣＨに対するＡＣＫ／ＮＡＣＫフィードバックを意味する。以下の説明では、ケース３を「ＤＬ ＳＰＳに対するＡＣＫ／ＮＡＣＫ」と称する。
【０１４１】
以下では、上記のようなＡＣＫ／ＮＡＣＫフィードバックを必要とする、対応するＰＤＣＣＨを有するＰＤＳＣＨ（ＰＤＳＣＨｗｉｔｈ ＰＤＣＣＨ）、ＤＬ ＳＰＳ解除のためのＰＤＳＣＨ、対応するＰＤＣＣＨのないＰＤＳＣＨを、ＤＬ割当或いはＤＬ伝送と総称する。
【０１４２】
【表４】
0005955857.tif 000010
ＦＤＤの場合、Ｍは常に１であり、Ｋは常に｛ｋ０｝=｛４｝である。
【０１４３】
図２９は、ＴＤＤ ＵＬ−ＤＬ構成を例示する。特に、図２９は、４個のＤＬ伝送に対して１個のＵＬＡＣＫ／ＮＡＣＫフィードバックを行う４ＤＬ：１ＵＬ構成を説明するための図である。
【０１４４】
ＴＤＤ ＵＬ−ＤＬ構成２の場合に、図２９（ａ）を参照すると、サブフレームｎ−８、ｎ−７、ｎ−４、ｎ−６でのＤＬ伝送に対するＡＣＫ／ＮＡＣＫ（／ＤＴＸ）応答が、サブフレームナンバーが２であるサブフレームｎで、一つのＡＣＫ／ＮＡＣＫフィードバックとしてＢＳに伝送されている。
【０１４５】
ＴＤＤ ＵＬ−ＤＬ構成４の場合に、図２９（ｂ）を参照すると、サブフレームｎ−６、ｎ−５、ｎ−４、ｎ−７でのＤＬ伝送に対するＡＣＫ／ＮＡＣＫ（／ＤＴＸ）応答が、サブフレームナンバーが３であるサブフレームｎで、一つのＡＣＫ／ＮＡＣＫフィードバックとしてＢＳに伝送されている。
【０１４６】
図３０及び図３１は、チャネル選択によるＡＣＫ／ＮＡＣＫ伝送を例示する。
【０１４７】
図３０を参照すると、例えば、２ビットＡＣＫ／ＮＡＣＫフィードバックのためのＰＵＣＣＨフォーマット１ｂに対して、２個のＰＵＣＣＨリソース（ＰＵＣＣＨリソース＃０及び＃１）を設定することができる。もし、３ビットのＡＣＫ／ＮＡＣＫ情報を伝送する場合、３ビットのＡＣＫ／ＮＡＣＫ情報のうち２ビットは、ＰＵＣＣＨフォーマット１ｂを通じて表現でき、残り１ビットは２個のＰＵＣＣＨリソースのうちいずれかを選択するかによって表現できる。例えば、ＰＵＣＣＨリソース＃０を用いてＵＣＩが伝送される場合には「０」を意味し、ＰＵＣＣＨリソース＃１を用いてＵＣＩが伝送される場合には「１」を意味する、とあらかじめ定義することができる。これにより、２個のＰＵＣＣＨリソースのうち一つを選択することによって１ビット（０又は１）を表現することができるので、ＰＵＣＣＨフォーマット１ｂを通じて表現される２ビットのＡＣＫ／ＮＡＣＫ情報と共に、追加的な１ビットのＡＣＫ／ＮＡＣＫ情報を表現することが可能になる。
【０１４８】
図３０を参照すると、例えば、２−ビットＡＣＫ／ＮＡＣＫフィードバックのためのＰＵＣＣＨフォーマット１ｂに対して、４個のＰＵＣＣＨリソース（ＰＵＣＣＨリソース＃０乃至＃４）を設定することができる。４−ビットのＡＣＫ／ＮＡＣＫ情報を伝送する場合に、４−ビットのＡＣＫ／ＮＡＣＫ情報のうち、２−ビットは、ＰＵＣＣＨフォーマット１ｂが運ぶ２−ビット情報を用いて表現することができ、残りの２−ビットは、４個のＰＵＣＣＨリソースからいずれのＰＵＣＣＨリソースを選択するかによって表現することができる。例えば、ＰＵＣＣＨリソース＃０を用いてＵＣＩを伝送する場合は、情報「００」を意味し、ＰＵＣＣＨリソース＃１を用いてＵＣＩを伝送する場合は、情報「０１」を意味する、とあらかじめ定義することができる。このようにして、４個のＰＵＣＣＨリソースの中から一つを選択することによって２−ビット（００、０１、１０又は１１）を表現することができるため、ＰＵＣＣＨフォーマット１ｂを通じて表現される２−ビットのＡＣＫ／ＮＡＣＫ情報に加えて、２−ビットのＡＣＫ／ＮＡＣＫ情報をさらに表現することができる。
【０１４９】
言い換えると、一つのＰＵＣＣＨリソースが明示的に運ぶｎビットは、そもそも、最大２ｎ個のＡＣＫ／ＮＡＣＫ状態を表現することができる。これに対し、チャネル選択に使われるｍ個（ｍ＞１）のＰＵＣＣＨリソースのうちｘ個（ｍ≧ｌ≧ｘ）のＰＵＣＣＨリソースがＡＣＫ／ＮＡＣＫ情報伝送のために選択される場合、表現可能なＡＣＫ／ＮＡＣＫ状態の個数が最大（２ｎ）*（ｍＣｘ）個と増加する。例えば、図３０を参照すると、最大（２１）*（２Ｃ１）＝４個のＡＣＫ／ＮＡＣＫ状態、すなわち、４−ビットのＡＣＫ／ＮＡＣＫ情報を、２−ビットの伝送ビットを運ぶＰＵＣＣＨフォーマット１ｂを用いたチャネル選択によって表現することができる。他の例として、図３１を参照すると、最大（２２）*（４Ｃ１）＝１６個のＡＣＫ／ＮＡＣＫ状態、すなわち、１６−ビットのＡＣＫ／ＮＡＣＫ情報を、２−ビットの伝送ビットを運ぶＰＵＣＣＨフォーマット１ｂを用いたチャネル選択によって表現することができる。
【０１５０】
どのようなＡＣＫ／ＮＡＣＫ状態の時にどのＰＵＣＣＨリソース上でどのビットが伝送されるべきがあらかじめ定められてもよい。すなわち、ＡＣＫ／ＮＡＣＫ状態対ＰＵＣＣＨリソース対伝送ビット（或いは、複素変調シンボル）のマッピング関係があらかじめ定義され、ＢＳ及びＵＥにあらかじめ保存されていてもよい。表５乃至表１０に、チャネル選択のためのマッピングテーブルを例示する。特に、表５乃至表７は、多重ＣＣに対するＡＣＫ／ＮＡＣＫ情報の伝送のためのマッピングテーブルであり、表８乃至表１０は、多重サブフレームに対するＡＣＫ／ＮＡＣＫ情報の伝送のためのマッピングテーブルである。
【０１５１】
【表５】
0005955857.tif 000011
【０１５２】
【表６】
0005955857.tif 000012
【０１５３】
【表７】
0005955857.tif 000013
表５乃至表７で、Ａは、チャネル選択に使用可能なＰＵＣＣＨリソースの個数を意味し、ｎ(１)ＰＵＣＣＨ，ｉ（ｉ＝０，…，Ａ−１）は、チャネル選択に使用されるＡ個のＰＵＣＣＨリソースのうち、ｉ番目のＰＵＣＣＨリソースのインデックスを意味する。ＵＥのために構成されたＡ個のＣＣのうち、ＨＡＲＱ−ＡＣＫ(ｊ)は、ｊ番目のＣＣ（ｉ＝０，…，Ａ−１）に対するＡＣＫ／ＮＡＣＫ応答を意味する。ｂ(０)，ｂ(１)は、該当のＰＵＣＣＨリソース上で実際に伝送されるビット情報を意味する。
【０１５４】
【表８】
0005955857.tif 000014
【０１５５】
【表９】
0005955857.tif 000015
【０１５６】
【表１０】
0005955857.tif 000016
表８乃至表１０で、Ｍは、チャネル選択に使用可能なＰＵＣＣＨリソースの個数を意味し、ｎ(１)ＰＵＣＣＨ，ｉ（ｉ＝０，…，Ｍ−１）は、チャネル選択に使用されるＡ個のＰＵＣＣＨリソースのうち、ｉ番目のＰＵＣＣＨリソースのインデックスを意味する。ＵＥの一つのＡＣＫ／ＮＡＣＫフィードバックの対象となるＭ個のサブフレームにおけるＤＬ伝送のうち、ＨＡＲＱ−ＡＣＫ（ｊ）は、ｊ番目のＤＬ伝送（ｉ＝０，…，Ｍ−１）に対するＡＣＫ／ＮＡＣＫ応答を意味する。ｂ(０)，ｂ(１)は、該当のＰＵＣＣＨリソース上で実際に伝送されるビット情報を意味する。
【０１５７】
表５乃至表１０のマッピングテーブルは例示に過ぎないもので、表５乃至表１０とは異なる形態のマッピングテーブルが定義され、ＢＳ及びＵＥに保存されていてもよい。
【０１５８】
このように、複数サブフレームに対する多重ＡＣＫ／ＮＡＣＫ応答を表すＡＣＫ／ＮＡＣＫ情報が、及び／又は複数ＣＣに対する多重ＡＣＫ／ＮＡＣＫ応答を表すＡＣＫ／ＮＡＣＫ情報が、ＰＵＣＣＨフォーマット１ｂ及びチャネル選択、ＰＵＣＣＨフォーマット３、或いはＰＵＣＣＨフォーマット３及びチャネル選択を用いて、一つのＡＣＫ／ＮＡＣＫフィードバック段階（ｉｎｓｔａｎｃｅ）でＢＳにフィードバックされることが可能である。
【０１５９】
以下では、説明の便宜のために、次のような仮定を前提として、本発明の実施例を説明する。ただし、本発明の実施例が必ずしも次の仮定下に実施されるとは限らない。
【０１６０】
（１）一つのＰＣｅｌｌ及び一つ以上のＳＣｅｌｌが存在可能である。
【０１６１】
（２）該当するＰＤＣＣＨを有するＰＤＳＣＨ（ＰＤＳＣＨｗｉｔｈ ｃｏｒｒｅｓｐｏｎｄｉｎｇ ＰＤＣＣＨ）は、ＰＣｅｌｌ及びＳＣｅｌｌに存在可能である。
【０１６２】
（３）ＤＬ ＳＰＳ解除を指示するＰＤＣＣＨはＰＣｅｌｌにのみ存在可能である。
【０１６３】
（４）ＰＤＣＣＨのないＰＤＳＣＨ（＝ＳＰＳ ＰＤＳＣＨ）はＰＣｅｌｌにのみ存在可能である。
【０１６４】
（５）ＰＣｅｌｌからＳＣｅｌｌへのクロス−スケジューリングは支援される。
【０１６５】
（６）ＳＣｅｌｌからＰＣｅｌｌへのクロス−スケジューリングは支援されない。
【０１６６】
（７）ＳＣｅｌｌから他のＳＣｅｌｌへのクロス−スケジューリングは支援される。
【０１６７】
ＬＴＥ−ＡシステムにおいてＰＵＣＣＨフォーマット１／１ａ／１ｂ、２、及び３はいずれも独立してＳＯＲＴＤ（Ｓｐａｔｉａｌ  Ｏｒｔｈｏｇｏｎａｌ−Ｒｅｓｏｕｒｃｅ  Ｔｒａｎｓｍｉｔ  Ｄｉｖｅｒｓｉｔｙ）を支援可能であり、各ＰＵＣＣＨフォーマットが支援するＳＯＲＴＤは、各ＵＥにＲＲＣ（Ｒａｄｉｏ  Ｒｅｓｏｕｒｃｅ  Ｃｏｎｔｒｏｌ）シグナリングを通じて各ＵＥ別に構成されるとよい。ＳＯＲＴＤとは、同じ情報を、複数個の物理リソース（コード及び／又は時間／周波数領域（ｒｅｇｉｏｎ）など）を用いて伝送する伝送技法を意味する。ＵＥが１個の伝送アンテナポートのみを支援するＬＴＥシステムと違い、ＬＴＥ−Ａシステムでは、ＵＥが複数の伝送アンテナポートも支援可能である。そのため、ＬＴＥ−Ａシステムでは、ＰＵＣＣＨ伝送のために、複数の伝送アンテナポートまで支援するＳＯＲＴＤが用いられてもよい。
【０１６８】
既存のＬＴＥシステム（例えば、ＬＴＥ Ｒｅｌｅａｓｅ８システム）では、ＵＥが１個の伝送アンテナポートのみを支援することから、２個以上の伝送アンテナポートを通じてＰＵＣＣＨを伝送する方法を定義していない。１個の伝送アンテナポートのみを前提にしてＰＵＣＣＨ伝送を定義しているため、今まで作業されたＬＴＥ標準では、複数のアンテナポートに対してはＳＯＲＴＤを用いることができなくなるという不具合がある。一方、既存のＬＴＥシステム（ＬＴＥＲｅｌｅａｓｅ ８システム）は、ＰＵＣＣＨが他のチャネル（例えば、ＰＲＡＣＨなど）と同一カバレッジを支援するようにするべく、一つのＡＣＫ／ＮＡＣＫフィードバックを複数のサブフレームに亘って反復して伝送する技法を支援している。これを、ＡＣＫ／ＮＡＣＫ反復（以下、Ａ／Ｎ反復）と呼ぶ。既存のＬＴＥシステムでは、ＵＥが１個の伝送アンテナポートのみを支援することから、２個以上の伝送アンテナポートを通じてＰＵＣＣＨを伝送する方法を定義していない。Ａ／Ｎ反復伝送についても、２個以上のアンテナポート上でどのようにＡＣＫ／ＮＡＣＫ情報を反復して伝送すべきかが定義されていない実情である。また、ＳＯＲＴＤ及び／又はＡ／Ｎ反復を支援しながら、ＰＵＣＣＨフォーマット１ａ／１ｂを用いたチャネル選択によりＡＣＫ／ＮＡＣＫフィードバックを行う方法、及びＰＵＣＣＨフォーマット３によりＡＣＫ／ＮＡＣＫフィードバックを行う方法についても具体的に定められていない。そこで、以下では、ＳＯＲＴＤとＡ／Ｎ反復伝送とを関連付けて運営する技法を提示する。
【０１６９】
本発明は、一つ以上の搬送波を束ねて通信サービスを提供する搬送波アグリゲーション（Ｃａｒｒｉｅｒ  Ａｇｇｒｅｇａｔｉｏｎ、ＣＡ）環境において、ＳＯＲＴＤとＡ／Ｎ反復とを関連付けて運営／実行する技法に関する。以下では、ＳＯＲＴＤが構成された状態でＡ／Ｎ反復が構成されたり、ＳＯＲＴＤとＡ／Ｎ反復が同時に構成される状況で、ＳＯＲＴＤとＡ／Ｎ反復を支援できる本発明の実施例を説明する。大きく、次のような方法に対して本発明の実施例が具体的に提案される。
【０１７０】
●ＰＵＣＣＨフォーマット１／１ａ／１ｂを用いたＳＯＲＴＤが構成された状態で（或いは同時に）Ａ／Ｎ反復が構成される場合、
１．ＰＤＣＣＨを有するＰＤＳＣＨ（ＰＤＳＣＨ ｗｉｔｈＰＤＣＣＨ）或いはＳＰＳ解除に対するＡＣＫ／ＮＡＣＫフィードバックの場合、すなわち、ＡＣＫ／ＮＡＣＫフィードバックの対象となる少なくとも一つのＰＤＣＣＨが検出された場合に、
ＭＥＴＨＯＤ １：Ａ／Ｎ反復の時、ＳＯＲＴＤを毎Ａ／Ｎ伝送に使用する方法
ＭＥＴＨＯＤ ２：Ａ／Ｎ反復の時、ＳＯＲＴＤをいかなる伝送にも使用しない方法
ＭＥＴＨＯＤ ３：Ａ／Ｎ反復の時、最初の伝送時にのみＳＯＲＴＤを使用する方法
２．ＤＬ ＳＰＳのみに対するＡＣＫ／ＮＡＣＫフィードバックの場合、すなわち、検出されたＰＤＣＣＨはないが、ＡＣＫ／ＮＡＣＫフィードバックの対象であるＤＬＳＰＳが検出された場合に、
ＭＥＴＨＯＤ １：Ａ／Ｎ反復の時、ＳＯＲＴＤを毎伝送に使用する方法
ＭＥＴＨＯＤ ２：Ａ／Ｎ反復の時、ＳＯＲＴＤをいかなる伝送にも使用しない方法
ＭＥＴＨＯＤ ３：Ａ／Ｎ反復の時、最初伝送時にのみＳＯＲＴＤを使用する方法
●ＰＵＣＣＨフォーマット３を用いたＳＯＲＴＤが構成された状態で（或いは同時に）Ａ／Ｎ反復が構成される場合、
１．ＰＤＣＣＨを有するＰＤＳＣＨ（ＰＤＳＣＨ ｗｉｔｈＰＤＣＣＨ）或いはＳＰＳ解除に対するＡＣＫ／ＮＡＣＫフィードバックの場合、すなわち、ＡＣＫ／ＮＡＣＫフィードバックの対象となる少なくとも一つのＰＤＣＣＨが検出された場合に、
ＭＥＴＨＯＤ １：Ａ／Ｎ反復の時、ＳＯＲＴＤを毎伝送に使用する方法
ＭＥＴＨＯＤ ２：Ａ／Ｎ反復の時、ＳＯＲＴＤをいかなる伝送にも使用しない方法
ＭＥＴＨＯＤ ３：Ａ／Ｎ反復の時、最初伝送時にのみＳＯＲＴＤを使用する方法
●ＳＯＲＴＤでチャネル選択（ｃｈａｎｎｅｌ ｓｅｌｅｃｔｉｏｎｗｉｔｈ ＳＯＲＴＤ）が構成された状態で（或いは同時に）Ａ／Ｎ反復が構成される場合、
１．ＰＤＣＣＨを有するＰＤＳＣＨ（ＰＤＳＣＨ ｗｉｔｈＰＤＣＣＨ）或いはＳＰＳ解除に対するＡＣＫ／ＮＡＣＫフィードバックの場合、すなわち、ＡＣＫ／ＮＡＣＫフィードバックの対象となる少なくとも一つのＰＤＣＣＨが検出された場合に、
ＭＥＴＨＯＤ １：Ａ／Ｎ反復の時、ＳＯＲＴＤを毎伝送に使用する方法
ＭＥＴＨＯＤ ２：Ａ／Ｎ反復の時、ＳＯＲＴＤをいかなる伝送にも使用しない方法
ＭＥＴＨＯＤ ３：Ａ／Ｎ反復の時、最初伝送時にのみＳＯＲＴＤを使用する方法
ＭＥＴＨＯＤ４：Ａ／Ｎ反復の時、ＳＯＲＴＤを毎伝送に使用する方法及び最初伝送でのみチャネル選択を使用する方法
ＭＥＴＨＯＤ ５：Ａ／Ｎ反復の時、ＳＯＲＴＤをいかなる伝送にも使用しない方法及び最初伝送でのみチャネル選択を使用する方法
ＭＥＴＨＯＤ ６：Ａ／Ｎ反復の時、最初伝送時にのみＳＯＲＴＤを使用する方法及び最初伝送でのみチャネル選択を使用する方法
●ＳＯＲＴＤとＡ／Ｎ反復の同時使用を禁止する方法
以下、各場合別に本発明の実施例を具体的に説明する。以下では、本発明の実施例を説明するために参照する図面において、「ＳＯＲＴＤ」の表示されたＡ／Ｎは、２個のアンテナポートを通じてＡＣＫ／ＮＡＣＫ情報を伝送することによってＳＯＲＴＤを使用する場合を意味し、「ＳＯＲＴＤ」の表示されていないＡ／Ｎは、ＳＯＲＴＤを使用しない単一アンテナポートを用いるＡＣＫ／ＮＡＣＫ情報の伝送を意味する。
【０１７１】
本発明の実施例において、ＰＤＣＣＨを有するＰＤＳＣＨ及び／又はＤＬＳＰＳ解除に対するＡＣＫ／ＮＡＣＫフィードバックのためのＰＵＣＣＨリソース割当には、別途のシグナリングなしで暗黙的マッピングを用いることができる。例えば、ＡＣＫ／ＮＡＣＫフィードバックの対象となる、最初に受信或いは検出されたＰＤＣＣＨの最低ＣＣＥの番号、すなわち、最低ＣＣＥインデックスｎＣＣＥの関数によりＰＵＣＣＨリソースインデックスを計算することができる。例えば、ＳＯＲＴＤが構成される場合、つまり、ＳＯＲＴＤが活性化（ａｃｔｉｖａｔｅ）される場合に、第１アンテナポート（以下、ｐ０）のためのＰＵＣＣＨリソースインデックスｎ（１，ｐ０）ＰＵＣＣＨと第２アンテナポート（以下、ｐ１）のためのＰＵＣＣＨリソースインデックスｎ（１，ｐ１）ＰＵＣＣＨを式６と式７によりそれぞれ決定することができる。
【０１７２】
【数６】
0005955857.tif 000017
【０１７３】
【数７】
0005955857.tif 000018
ｎ（１，ｐ）ＰＵＣＣＨ値が変わるとＰＵＣＣＨリソースが変わる。すなわち、ＰＲＢインデックス（ｎＰＲＢ）、直交シーケンスインデックス（ｎ(ｐ)ＯＣ(ｎｓ)）、サイクリックシフト（ｎ(ｐ)ＯＣ(ｎｓ，l)）値など、ＰＵＣＣＨリソースを構成する値のうち少なくとも一つが変わるようになる。ここで、ｎｓは、無線フレーム内のスロットインデックスであり、ｌは、副搬送波インデックスである。参考として、表１１及び表１２は、ＰＵＣＣＨフォーマット１／１ａ／１ｂのための直交シーケンスを例示するもので、特に、表１１は、ＮＰＵＣＣＨＳＦ＝４のための直交シーケンスを例示し、表１２は、ＮＰＵＣＣＨＳＦ＝３のための直交シーケンスを例示する。
【０１７４】
【表１１】
0005955857.tif 000019
【０１７５】
【表１２】
0005955857.tif 000020
以下では、このように、ＰＤＣＣＨを有するＰＤＳＣＨ及び／又はＤＬＳＰＳ解除に対するＡＣＫ／ＮＡＣＫフィードバックに関する実施例においては、ＰＤＣＣＨリソースインデックスが最低ＣＣＥインデックスを用いて誘導されるリソース割当方法が適用されるという前提の下に本発明を説明する。
【０１７６】
一方、本発明の実施例において、Ａ／Ｎ反復はＲＲＣにより構成（ｃｏｎｆｉｇｕｒｅ）し、ＲＲＣメッセージにより、ＵＥに構成されたＡ／Ｎ反復の設定或いは解除を通知すればよい。該ＲＲＣメッセージは、反復回数ＮＡＮＲｅｐを指示する情報を含むことができる。すなわち、ＢＳは、ＵＥでのＡ／Ｎ反復を構成或いは解除することができ、且つＡＣＫ／ＮＡＣＫが繰り返し伝送されるべき回数ＮＡＮＲｅｐを表す情報をＵＥに伝送することができる。以下の実施例ではＮＡＮＲｅｐ＝４の場合を挙げて説明するが、他の回数のＮＡＮＲｅｐにも本発明の実施例が同様に適用されうるということは明らかである。また、Ａ／Ｎ反復の構成及び／又はＳＯＲＴＤの活性化、チャネル選択の構成は、上位レイヤー、例えば、ＲＲＣメッセージを通じてＢＳからＵＥに伝送されるとよい。
【０１７７】
●ＰＵＣＣＨ ｆｏｒｍａｔ １／１ａ／１ｂ ｗｉｔｈＳＯＲＴＤ ｖｓ． ＡＣＫ／ＮＡＣＫ ｒｅｐｅｔｉｔｉｏｎ
ＰＵＣＣＨフォーマット１／１ａ／１ｂを用いたＳＯＲＴＤが活性化された状態で（或いは同時に）Ａ／Ｎ反復が構成される場合に関する本発明の実施例を説明する。
【０１７８】
１．ＰＤＣＣＨを有するＰＤＳＣＨ（ＰＤＳＣＨ ｗｉｔｈＰＤＣＣＨ）に対するＡＣＫ／ＮＡＣＫフィードバック、或いはＤＬ ＳＰＳ解除に対するＡＣＫ／ＮＡＣＫフィードバックの場合、すなわち、暗黙的マッピングに使用可能なＰＤＣＣＨが少なくても一つ検出された場合：実施例１）〜実施例３）
実施例１）ＭＥＴＨＯＤ １：Ａ／Ｎ反復の時、毎伝送にＳＯＲＴＤを使用する方法
＿１番目〜ＮＡＮＲｅｐ番目の伝送：ＳＯＲＴＤを用いてＰＵＣＣＨフォーマット１／１ａ／１ｂ伝送（ＰＵＣＣＨｆｏｒｍａｔ １／１ａ／１ｂ ｗｉｔｈ ＳＯＲＴＤ）
Ａ／Ｎ反復は、制限されたカバレッジを有するＵＥのカバレッジを増大させるために用いられるのが一般的である。すなわち、ＰＲＡＣＨなどのような他のチャネルに比べて、ＡＣＫ／ＮＡＣＫチャネルがリンクバジェット（ｌｉｎｋ  ｂｕｄｇｅｔ）上でのＳＮＲ（Ｓｉｇｎａｌ−ｔｏ−Ｎｏｉｓｅ  Ｒａｔｉｏ）マージンが足りない場合に、ＡＣＫ／ＮＡＣＫチャネルが他のチャネルと同じカバレッジを支援できるように、Ａ／Ｎ反復が構成されるとよい。そのため、Ａ／Ｎ反復が構成されたということは、該当のＵＥのカバレッジ、すなわち、該当のＵＥにより伝送された上りリンク信号が成功的に到達できる範囲が小さいと解析すればよい。このような状況に照らし、本発明の実施例１は、Ａ／Ｎ反復の構成時に既にＳＯＲＴＤが構成されていたり、或いはＡ／Ｎ反復がＳＯＲＴＤと同時に構成される場合に、ＵＥの上りリンク信号がＢＳでよく検出されるように、当該ＵＥはＳＯＲＴＤを継続して使用する。ＵＥは、Ａ／Ｎ反復にかかわらず、ＳＯＲＴＤを用いてＡＣＫ／ＮＡＣＫ情報をＢＳに伝送するように構成され、ＢＳは、Ａ／Ｎ反復にかかわらずにＵＥがＳＯＲＴＤを用いてＡＣＫ／ＮＡＣＫ伝送を行うと判断するように構成されてよい。すなわち、Ａ／Ｎ反復時に構成されたＳＯＲＴＤがあると、ＳＯＲＴＤとＡ／Ｎ反復を併せて適用するように通信システムが構成される。
【０１７９】
図３２は、本発明の実施例１に係るＡＣＫ／ＮＡＣＫフィードバックを示す図である。
【０１８０】
２個のアンテナポートを用いてＳＯＲＴＤを行うＵＥは、次のようなリソースを用いてＡＣＫ／ＮＡＣＫ反復を行うことができる。
【０１８１】
（１）１番目の伝送：
最低ＣＣＥインデックスから誘導されるＰＵＣＣＨリソースインデックス、及び最低ＣＣＥインデックス＋１から誘導されるＰＵＣＣＨリソースインデックスが、２個のアンテナポートによるＳＯＲＴＤのために用いられる。すなわち、ＵＥは、ＡＣＫ／ＮＡＣＫ情報の１番目の伝送には、暗黙的マッピングにより決定されたＰＵＣＣＨリソースを用いてＳＯＲＴＤを使用する。このとき、アンテナポートｐ０に対しては、式６によってＡＣＫ／ＮＡＣＫ伝送のためのＰＵＣＣＨリソースインデックスを決定し、アンテナポートｐ１に対しては、式７によってＡＣＫ／ＮＡＣＫ伝送のためのＰＵＣＣＨリソースインデックスを決定することができる。
【０１８２】
（２）２番目の伝送〜ＮＡＮＲｅｐ番目の伝送：
２個アンテナポートのために上位レイヤー（例えば、ＲＲＣ）によりシグナリングされた２個ＰＵＣＣＨリソースインデックスを使用する。すなわち、２番目の伝送からは明示的マッピングにより決定されたＰＵＣＣＨリソースを用いてＳＯＲＴＤを支援する。次のような実施例のいずれかを明示的マッピングのために用いることができる。
【０１８３】
（２−１）ＳＯＲＴＤが構成された場合、すなわち、複数のアンテナポートを用いるＵＣＩ伝送が構成された場合に、ＢＳは、上位レイヤーシグナリングにより、アンテナポート別に用いられるＰＵＣＣＨリソースインデックスをＵＥに知らせる。例えば、２個アンテナポートを用いる上りリンク伝送がＵＥに構成されている場合に、ＢＳは、各アンテナポートが反復伝送に使用する２個のＰＵＣＣＨリソースインデックスを独立してシグナリングすることができる。すなわち、ｐ０が２番目の伝送から使用するＰＵＣＣＨリソースインデックスｎ(１，ｐ０)ＰＵＣＣＨ−ＡＮ−Ｒｅｐ、及びｐ１が２番目の伝送から使用するＰＵＣＣＨリソースインデックスｎ(１，ｐ１)ＰＵＣＣＨ−ＡＮ−Ｒｅｐを、上位レイヤーシグナリングによりＢＳからＵＥに伝送することができる。
【０１８４】
（２−２）明示的マッピング実施例（２−１）のように、ｐ０が使用するＰＵＣＣＨリソースインデックスｎ(１，ｐ０)ＰＵＣＣＨ−ＡＮ−Ｒｅｐ、ｐ１が使用するＰＵＣＣＨリソースインデックスｎ(１，ｐ１)ＰＵＣＣＨ−ＡＮ−Ｒｅｐの両方とも、直接的にＵＥにシグナリングされてもよいが、あらかじめ定められた他のパラメータ、例えば、明示的マッピングに用いられるＣＣＥインデックス或いは明示的マッピングにより決定されたＰＵＣＣＨリソースインデックスに対するオフセット値がｎ(１，ｐ０)ＰＵＣＣＨ−ＡＮ−Ｒｅｐ及びｎ(１，ｐ１)ＰＵＣＣＨ−ＡＮ−Ｒｅｐを指示する値としてＵＥにシグナリングされてもよい。又は、ｎ(１，ｐ０)ＰＵＣＣＨ−ＡＮ−Ｒｅｐのみが直接的にＵＥにシグナリングされ、ｎ(１，ｐ１)ＰＵＣＣＨ−ＡＮ−Ｒｅｐは、ｎ(１，ｐ０)ＰＵＣＣＨ−ＡＮ−Ｒｅｐに対するオフセット形態でシグナリングされたり、ｎ(１，ｐ０)ＰＵＣＣＨ−ＡＮ−Ｒｅｐから明示的マッピングにより決定されてもよい。
【０１８５】
（２−３）ｎ(１，ｐ０)ＰＵＣＣＨ−ＡＮ−Ｒｅｐ及びｎ(１，ｐ１)ＰＵＣＣＨ−ＡＮ−Ｒｅｐになり得る所定個数のＰＵＣＣＨリソースインデックス対があらかじめシグナリングされ、Ａ／Ｎ反復が構成される時に、該所定個数のＰＵＣＣＨリソースインデックスのいずれか一つが指示されることによって、Ａ／Ｎ反復伝送時にｐ０とｐ１により使用されるＰＵＣＣＨリソースインデックスが特定されてもよい。
【０１８６】
実施例１に関する以上の説明によれば、１番目のＡＣＫ／ＮＡＣＫ伝送のためのＰＵＣＣＨリソースインデックスが決定される方法と２番目〜ＮＡＮＲｅｐ番目の伝送のためのＰＵＣＣＨリソースインデックスが決定される方法とが異なっている。すなわち、１番目のＡＣＫ／ＮＡＣＫ伝送では暗黙的マッピングによりＰＵＣＣＨリソースインデックスが決定されるのに対し、２番目の伝送からは、ＡＣＫ／ＮＡＣＫ伝送のためのＰＵＣＣＨリソースが明示的にシグナリングされる明示的マッピングによりＰＵＣＣＨリソースインデックスが決定される。一方、全伝送（１番目〜ＮＡＮＲｅｐ番目の伝送）において暗黙的マッピング又は明示的マッピングのいずれか一方法のみを使用するようにＵＥ及びＢＳが構成されてもよい。
【０１８７】
実施例２）ＭＥＴＨＯＤ ２：Ａ／Ｎ反復の時、ＳＯＲＴＤをいずれの伝送にも使用しない方法
＿１番目〜ＮＡＮＲｅｐ番目の伝送：ＳＯＲＴＤがないＰＵＣＣＨフォーマット１／１ａ／１ｂ伝送（ＰＵＣＣＨｆｏｒｍａｔ １／１ａ／１ｂ ｗｉｔｈｏｕｔ ＳＯＲＴＤ）
ＳＯＲＴＤの具現には追加ＰＵＣＣＨリソースがさらに必要とされる。Ａ／Ｎ反復が適用されると、Ａ／Ｎ反復回数、及びＳＯＲＴＤに参加するアンテナポートの個数に比例して、ＡＣＫ／ＮＡＣＫフィードバックに必要なＰＵＣＣＨリソースの個数が増加することになる。例えば、２個のアンテナポートによるＳＯＲＴＤ及びＮＡＲｅｐ回のＡ／Ｎ反復を支援しなければならない場合、ＵＥは一つのＡＣＫ／ＮＡＣＫフィードバックのために、ＳＯＲＴＤ及びＡ／Ｎ反復が構成されない場合に比べて、最大２*ＮＡＲｅｐ倍のＰＵＣＣＨリソースをさらに必要とすることがある。これは、ＡＣＫ／ＮＡＣＫフィードバックがシステムに大きいオーバーヘッドを招くことにつながることがある。このような大きいリソースオーバーヘッドを減らすために、Ａ／Ｎ反復が構成された場合に、ＵＥは、Ａ／Ｎ反復が解除されるまでＳＯＲＴＤをオフするように構成されるとよい。Ａ／Ｎ反復をＵＥにシグナリングしたＢＳは、該ＵＥが１個のアンテナポートを通してのみＡ／Ｎ反復を行うという前提の下に該ＵＥからＡＣＫ／ＮＡＣＫ情報を受信するように構成されてよい。ＳＯＲＴＤにより拡張されたＰＵＣＣＨのカバレッジは、Ａ／Ｎ反復により類似の範囲に維持されるはずである。そのため、本発明の実施例２は、Ａ／Ｎ反復時にはＳＯＲＴＤをオフしてＡ／ＮフィードバックをＵＥからＢＳに伝送するように通信システムを構成することによって、Ａ／Ｎフィードバックによるリソースオーバーヘッドを減らすことができる。本発明の実施例２によれば、１番目のアンテナポートがＡ／Ｎ反復時に使用するＰＵＣＣＨリソースインデックスのみがＵＥにシグナリングされればいい。すなわち、２番目のアンテナポートのためのＰＵＣＣＨリソースインデックスが別にＵＥにシグナリングされなくてもよい。したがって、本発明の実施例２によれば、上りリンクリソースオーバーヘッドだけでなく、上位レイヤー（例えば、ＲＲＣ）シグナリングオーバーヘッドも減らすことができる。
【０１８８】
図３３は、本発明の実施例２に係るＡＣＫ／ＮＡＣＫフィードバックを示す図である。
【０１８９】
図３３を参照すると、２個以上のアンテナポートを有しているＵＥは、下記のようなリソースを用いてＡＣＫ／ＮＡＣＫ反復を行うことができる。
【０１９０】
（１）１番目の伝送：ＵＥは、ＣＣＥインデックスから誘導されるＰＵＣＣＨリソースインデックスを用いて１個のアンテナポートを通して１番目のＡＣＫ／ＮＡＣＫ伝送を行うことができる。該アンテナポートにより使用されるＰＵＣＣＨリソースインデックスは、式６（又は式１）によって決定すればよい。ＳＯＲＴＤを使用しないから、ＵＥは、他のアンテナポートを通してはＡＣＫ／ＮＡＣＫ情報を伝送しない。
【０１９１】
（２）２番目の伝送〜ＮＡＮＲｅｐ番目の伝送：
２番目の伝送からは、Ａ／Ｎ反復のためにＢＳが上位レイヤー（例えば、ＲＲＣ）シグナリングによりＵＥに通知したパラメータを用いてＡ／Ｎ反復のためのＰＵＣＣＨリソースインデックスを決定することができる。すなわち、２番目の伝送からは、明示的マッピングにより決定されたＰＵＣＣＨリソースがＡ／Ｎ反復に用いられる。ＵＥは、２番目の伝送からは、上記パラメータによって決定されたＰＵＣＣＨリソースインデックスにより指示されるＰＵＣＣＨリソース上で一つのアンテナポートを通してＡ／Ｎ反復を行う。上位レイヤーシグナリングにより、２番目からのＡＣＫ／ＮＡＣＫ伝送のためのＰＵＣＣＨリソースインデックスが、ＢＳからＵＥに直接指示されてもよい。又は、２番目からのＡＣＫ／ＮＡＣＫ伝送のためのＰＵＣＣＨリソースインデックスが、特定の他のパラメータ、例えば、暗黙的マッピングに用いられるＣＣＥインデックス或いは暗黙的マッピングにより決定されたＰＵＣＣＨリソースインデックスに対するオフセットにより間接的に指示されてもよい。
【０１９２】
実施例２に関する以上の説明によれば、１番目のＡＣＫ／ＮＡＣＫ伝送では暗黙的マッピングによりＰＵＣＣＨリソースインデックスが決定されるのに対し、２番目の伝送からは、ＡＣＫ／ＮＡＣＫ伝送のためのＰＵＣＣＨリソースが明示的にＢＳによりＵＥにシグナリングされる明示的マッピングによりＰＵＣＣＨリソースインデックスが決定される。これと違い、全ての伝送（１番目〜ＮＡＮＲｅｐ番目の伝送）において暗黙的マッピングまたは明示的マッピングのいずれか一方法のみを用いるようにＵＥとＢＳが構成されてもよい。
【０１９３】
実施例３）ＭＥＴＨＯＤ ３：Ａ／Ｎ反復の時、１番目の伝送時にのみＳＯＲＴＤを使用する方法
＿１番目の伝送：ＳＯＲＴＤを支援するＰＵＣＣＨフォーマット１／１ａ／１ｂ伝送（ＰＵＣＣＨｆｏｒｍａｔ １／１ａ／１ｂ ｗｉｔｈ ＳＯＲＴＤ）
＿２番目〜ＮＡＮＲｅｐ番目の伝送：ＳＯＲＴＤがないＰＵＣＣＨフォーマット１／１ａ／１ｂ伝送（ＰＵＣＣＨｆｏｒｍａｔ １／１ａ／１ｂ ｗｉｔｈｏｕｔ ＳＯＲＴＤ）
Ａ／Ｎ反復のうち１番目のＡＣＫ／ＮＡＣＫ伝送では、２番目のアンテナポートで使用するＰＵＣＣＨリソースが暗黙的に定められうるから、追加シグナリングなしでＳＯＲＴＤを支援することができる。特に、ＵＥにＳＯＲＴＤが構成された場合に、ＢＳは、該ＳＯＲＴＤのための２番目のアンテナポートのためのｎＣＣＥ＋１の関数により誘導されるＰＵＣＣＨリソースを、他のＵＥに割り当てないで留保しておくことができる。この場合、Ａ／Ｎ反復時に、１番目の伝送でもＳＯＲＴＤが用いられないと、上記留保されたＰＵＣＣＨリソースが使用されずにそのまま浪費される問題につながる。このような問題を補完するために、本発明の実施例３は、ＳＯＲＴＤが既に構成されていたり、或いはＡ／Ｎ反復の構成と同時にＳＯＲＴＤも構成された場合に、当該Ａ／Ｎ反復のうち、１番目の伝送でのみＳＯＲＴＤを支援し、残り伝送（２番目〜ＮＡＮＲｅｐ番目の伝送）ではＳＯＲＴＤをオフする。実施例３によれば、ＳＯＲＴＤが全ての伝送でオフされる代わりに、暗黙的マッピングによりＰＵＣＣＨリソースが決定される１番目の伝送ではＳＯＲＴＤが支援されるので、ｎＣＣＥ−１から誘導されたＰＵＣＣＨリソースが使用されずに捨てられることを防止することができる。また、２番目の伝送からは、ＳＯＲＴＤなしに１個のアンテナポートのみを通してＡ／Ｎ反復が行われるから、ＵＣＩ伝送のためのリソースオーバーヘッドが減るだけでなく、２番目のアンテナポートに使用されるＰＵＣＣＨリソースが別途にシグナリングされる必要がないから、上位レイヤーシグナリングオーバーヘッドも減る。
【０１９４】
図３４は、本発明の実施例３に係るＡＣＫ／ＮＡＣＫフィードバックを示す図である。
【０１９５】
式７及び式８により決定される２個ＰＵＣＣＨリソースインデックスを用いて２個アンテナポートを通してＳＯＲＴＤを支援しいたたＵＥで、Ａ／Ｎ反復が構成された場合、下記のようなＰＵＣＣＨリソースインデックスを用いてＡ／Ｎ反復を行うことができる。
【０１９６】
（１）１番目の伝送：
ＣＣＥインデックスから誘導されるＰＵＣＣＨリソースインデックスと、ＣＣＥインデックス＋１から誘導されるＰＵＣＣＨリソースインデックスが、２個のアンテナポートによるＳＯＲＴＤのために使用される。すなわち、ＵＥは、ＡＣＫ／ＮＡＣＫ情報の１番目の伝送では、暗黙的マッピングにより決定されたＰＵＣＣＨリソースを用いてＳＯＲＴＤを支援する。このとき、アンテナポートｐ０に対しては、式６によってＡＣＫ／ＮＡＣＫ伝送のためのＰＵＣＣＨリソースインデックスが決定され、アンテナポートｐ１に対しては、式７によってＡＣＫ／ＮＡＣＫ伝送のためのＰＵＣＣＨリソースインデックスが決定されればよい。
【０１９７】
（２）２番目の伝送〜ＮＡＮＲｅｐ番目の伝送：
２番目の伝送からは、Ａ／Ｎ反復のためにＢＳが上位レイヤー（例えば、ＲＲＣ）シグナリングによりＵＥに通知したパラメータを用いてＡ／Ｎ反復のための１個のＰＵＣＣＨリソースインデックスが決定されるとよい。すなわち、２番目の伝送からは明示的マッピングにより決定されたＰＵＣＣＨリソースがＡ／Ｎ反復に用いられる。ＵＥは、２番目の伝送からは、上記パラメータにより決定されたＰＵＣＣＨリソースインデックスにより指示されるＰＵＣＣＨリソース上で一つのアンテナポートを通してＡ／Ｎ反復を行う。上位レイヤーシグナリングにより、２番目からのＡＣＫ／ＮＡＣＫ伝送のためのＰＵＣＣＨリソースインデックスが、ＢＳからＵＥに直接指示されてもよい。又は、２番目からのＡＣＫ／ＮＡＣＫ伝送のためのＰＵＣＣＨリソースインデックスが、特定の他のパラメータ、例えば、暗黙的マッピングに用いられるＣＣＥインデックス或いは暗黙的マッピングにより決定されたＰＵＣＣＨリソースインデックスに対するオフセットにより間接的に指示されてもよい。
【０１９８】
実施例３に関する以上の説明によれば、１番目のＡＣＫ／ＮＡＣＫ伝送では暗黙的マッピングによりＰＵＣＣＨリソースインデックスが決定されるのに対し、２番目の伝送からは、ＡＣＫ／ＮＡＣＫ伝送のためのＰＵＣＣＨリソースが明示的にＵＥにシグナリングされる明示的マッピングによりＰＵＣＣＨリソースインデックスが決定される。これと違い、全ての伝送（１番目〜ＮＡＮＲｅｐ番目の伝送）において暗黙的マッピングまたは明示的マッピングのいずれか一方法のみを用いるようにＵＥとＢＳが構成されてもよい。
【０１９９】
２．ＤＬ ＳＰＳのみに対するＡＣＫ／ＮＡＣＫフィードバックの場合、すなわち、ＰＤＣＣＨは検出されなかったが、ＤＬＳＰＳは検出され、ＡＣＫ／ＮＡＣＫフィードバックが必要な場合：実施例４）〜実施例６）
ＰＵＣＣＨフォーマット１／１ａ／１ｂを用いてＤＬ ＳＰＳのみに対するＡＣＫ／ＮＡＣＫフィードバックがＢＳに伝送されるべき場合に、ＡＣＫ／ＮＡＣＫフィードバックのためのＰＵＣＣＨリソースは別途の上位レイヤー（例えば、ＲＲＣ）シグナリングにより割り当てられる。上位レイヤーシグナリングによってＤＬＳＰＳのためのＰＵＣＣＨリソース候補セットがＢＳからＵＥに伝送され、ＳＰＳ活性化（ａｃｔｉｖａｔｉｏｎ）を行うＰＤＣＣＨ内のＴＰＣ(Ｔｒａｎｓｍｉｔｔｅｒ  Ｐｏｗｅｒ  Ｃｏｎｔｒｏｌ）コマンド（２−ビット）により、候補セットのうち一つがＤＬ ＳＰＳのためのＡＣＫ／ＮＡＣＫフィードバックに用いられるようにＵＥに指示される。上位レイヤーシグナリングにより指示されるＰＵＣＣＨリソースセットは、ＳＯＲＴＤが使用されない場合には４個のＰＵＣＣＨリソースで構成され、ＳＯＲＴＤが使用される場合には８個（２個を一対とした４個のＰＵＣＣＨリソースインデックス対により８個が構成される）のＰＵＣＣＨリソースを含むことができる。すなわち、ＤＬＳＰＳのみに対するＡＣＫ／ＮＡＣＫフィードバックに対するＰＵＣＣＨリソース割当はいずれも、明示的マッピングによりなされる。
【０２００】
実施例４）ＭＥＴＨＯＤ １：Ａ／Ｎ反復の時、ＳＯＲＴＤを毎伝送で使用する方法
＿１番目〜ＮＡＮＲｅｐ番目の伝送：ＳＯＲＴＤを支援するＰＵＣＣＨフォーマット１／１ａ／１ｂ伝送（ＰＵＣＣＨｆｏｒｍａｔ １／１ａ／１ｂ ｗｉｔｈ ＳＯＲＴＤ）
Ａ／Ｎ反復は、制限されたカバレッジを有するＵＥのカバレッジを増大させるために用いられるのが一般的である。すなわち、ＰＲＡＣＨなどのような他のチャネルに比べて、ＡＣＫ／ＮＡＣＫチャネルがリンクバジェット（ｌｉｎｋ  ｂｕｄｇｅｔ）上でのＳＮＲ（Ｓｉｇｎａｌ−ｔｏ−Ｎｏｉｓｅ  Ｒａｔｉｏ）マージンが足りない場合に、ＡＣＫ／ＮＡＣＫチャネルが他のチャネルと同じカバレッジを支援できるように、Ａ／Ｎ反復が構成されるとよい。そのため、Ａ／Ｎ反復が構成されたということは、該当のＵＥのカバレッジ、すなわち、該当のＵＥにより伝送された上りリンク信号が成功的に到達できる範囲が小さいと解析すればよい。このような状況に照らし、本発明の実施例４は、Ａ／Ｎ反復の構成時に既にＳＯＲＴＤが構成されていたり、或いはＡ／Ｎ反復がＳＯＲＴＤと同時に構成される場合に、ＵＥの上りリンク信号がＢＳでよく検出されるように、当該ＵＥはＳＯＲＴＤを継続して使用する。ＵＥは、Ａ／Ｎ反復にかかわらず、ＳＯＲＴＤを用いてＡＣＫ／ＮＡＣＫ情報をＢＳに伝送するように構成され、ＢＳは、Ａ／Ｎ反復にかかわらずにＵＥがＳＯＲＴＤを用いてＡＣＫ／ＮＡＣＫ伝送を行うと判断するように構成されてよい。すなわち、Ａ／Ｎ反復時に構成されたＳＯＲＴＤがあると、ＳＯＲＴＤとＡ／Ｎ反復を併せて適用するように通信システムが構成される。
【０２０１】
図３５は、本発明の実施例４に係るＡＣＫ／ＮＡＣＫフィードバックを示す図である。
【０２０２】
２個のアンテナポートを用いてＳＯＲＴＤを行うＵＥは、下記のようなリソースを用いてＡＣＫ／ＮＡＣＫ反復を行うことができる。
【０２０３】
（１）１番目の伝送〜ＮＡＮＲｅｐ番目の伝送：
２個アンテナポートによるＳＯＲＴＤのためにシグナリングされたＰＵＣＣＨリソース候補セットのうち、該当のＵＥにＳＯＲＴＤのために明示的に割り当てられた１組のＰＵＣＣＨリソースインデックスを用いて、２個アンテナポートを通してＡＣＫ／ＮＡＣＫ情報をＮＡＮＲｅｐ回繰り返し伝送する。すなわち、１番目の伝送からＮＡＮＲｅｐ番目の伝送において、各アンテナポートが使用するＰＵＣＣＨリソースインデックスが明示的マッピングにより決定される。ＵＥは、アンテナポートｐ０では、割り当てられたＰＵＣＣＨリソースインデックス対のうち一つを用いてＡＣＫ／ＮＡＣＫ情報を伝送し、アンテナポートｐ１では、割り当てられたＰＵＣＣＨリソースインデックス対のうち残り一つを用いてＡＣＫ／ＮＡＣＫ情報を伝送すればよい。
【０２０４】
実施例５）ＭＥＴＨＯＤ ２：Ａ／Ｎ反復の時、ＳＯＲＴＤをいずれの伝送にも使用しない方法
＿１番目〜ＮＡＮＲｅｐ番目の伝送：ＳＯＲＴＤがないＰＵＣＣＨフォーマット１／１ａ／１ｂ伝送（ＰＵＣＣＨｆｏｒｍａｔ １／１ａ／１ｂ ｗｉｔｈｏｕｔ ＳＯＲＴＤ）
実施例４のように、ＳＯＲＴＤの具現には追加のＰＵＣＣＨリソースがさらに必要とされる。Ａ／Ｎ反復が適用されると、Ａ／Ｎ反復回数、及びＳＯＲＴＤに参加するアンテナポートの個数に比例して、ＡＣＫ／ＮＡＣＫフィードバックに必要なＰＵＣＣＨリソースの個数が増加することになる。例えば、２個のアンテナポートによるＳＯＲＴＤ、及びＮＡＲｅｐ回のＡ／Ｎ反復を支援しなければならない場合、ＵＥは一つのＡＣＫ／ＮＡＣＫフィードバックのために、ＳＯＲＴＤ及びＡ／Ｎ反復が構成されない場合に比べて、最大２*ＮＡＲｅｐ倍のＰＵＣＣＨリソースをさらに必要とすることがある。これは、ＡＣＫ／ＮＡＣＫフィードバックがシステムに大きいオーバーヘッドを招くことにつながることがある。このような大きいリソースオーバーヘッドを減らすために、Ａ／Ｎ反復が構成された場合に、ＵＥは、Ａ／Ｎ反復が解除されるまでＳＯＲＴＤをオフするように構成されるとよい。Ａ／Ｎ反復を行うことをＵＥに指示したＢＳは、該ＵＥが１個のアンテナポートを通してのみＡ／Ｎ反復を行うという前提の下に該ＵＥからＡＣＫ／ＮＡＣＫ情報を受信するように構成されるとよい。ＳＯＲＴＤにより拡張されたＰＵＣＣＨのカバレッジは、Ａ／Ｎ反復により類似の範囲に維持されるはずである。そのため、本発明の実施例５は、Ａ／Ｎ反復時にはＳＯＲＴＤをオフしてＡ／ＮフィードバックをＵＥからＢＳに伝送するように通信システムを構成することによって、Ａ／Ｎフィードバックによるリソースオーバーヘッドを減らすことができる。本発明の実施例５によれば、１番目のアンテナポートがＡ／Ｎ反復時に使用するＰＵＣＣＨリソースインデックスのみがＵＥにシグナリングされればいい。すなわち、２番目のアンテナポートのためのＰＵＣＣＨリソースインデックスが別にＵＥにシグナリングされなくてもよい。したがって、本発明の実施例５によれば、上りリンクリソースオーバーヘッドだけでなく、上位レイヤー（例えば、ＲＲＣ）シグナリングオーバーヘッドも減らすことができる。
【０２０５】
図３６は、本発明の実施例５に係るＡＣＫ／ＮＡＣＫフィードバックを示す図である。
【０２０６】
２個以上のアンテナポートを有しているＵＥは、下記のようなリソースを用いてＡＣＫ／ＮＡＣＫ反復を行うことができる。
【０２０７】
（１）１番目の伝送〜ＮＡＮＲｅｐ番目の伝送：
２個アンテナポートによるＳＯＲＴＤのためにシグナリングされたＰＵＣＣＨリソース候補セットのうち、該当のＵＥにＳＯＲＴＤのために明示的に割り当てられた１対のＰＵＣＣＨリソースインデックスのうち、あらかじめ定められた規則（例えば、「小さいＰＵＣＣＨリソースインデックスを使用」など）によって決定される１個のＰＵＣＣＨリソースインデックスがＡＣＫ／ＮＡＣＫフィードバックに用いられる。すなわち、ＳＯＲＴＤのために割り当てられた２個のＰＵＣＣＨリソースインデックスのうち、あらかじめ定められた規則によって決定された１個のＰＵＣＣＨリソースを使用して、ＵＥは一つのアンテナポートを通してＡＣＫ／ＮＡＣＫ情報をＮＡＮＲｅｐ回繰り返し伝送する。すなわち、１番目の伝送からＮＡＮＲｅｐ番目の伝送まで明示的マッピングにより決定された一つのＰＵＣＣＨリソースがＡＣＫ／ＮＡＣＫフィードバックに用いられる。
【０２０８】
実施例６）ＭＥＴＨＯＤ ３：Ａ／Ｎ反復の時、１番目の伝送時にのみＳＯＲＴＤを使用する方法
＿１番目の伝送：ＳＯＲＴＤを支援するＰＵＣＣＨフォーマット１／１ａ／１ｂ伝送（ＰＵＣＣＨｆｏｒｍａｔ １／１ａ／１ｂ ｗｉｔｈ ＳＯＲＴＤ）
＿２番目〜ＮＡＮＲｅｐ番目の伝送：ＳＯＲＴＤがないＰＵＣＣＨフォーマット１／１ａ／１ｂ伝送（ＰＵＣＣＨｆｏｒｍａｔ １／１ａ／１ｂ ｗｉｔｈｏｕｔ ＳＯＲＴＤ）
実施例５によれば、Ａ／Ｎ反復が構成される前にＳＯＲＴＤが既に構成されていたり、Ａ／Ｎ反復と共にＳＯＲＴＤが構成された場合に、ＢＳは、ＳＯＲＴＤのために一対のＰＵＣＣＨリソースを該当のＵＥのために留保しておくことができる。この場合、Ａ／Ｎ反復時に、１番目の伝送でもＳＯＲＴＤが使用されないと、上記留保されたＰＵＣＣＨリソースが使用されずにそのまま浪費される問題につながる。このような問題点を補完するために、本発明の実施例６は、ＳＯＲＴＤが既に構成されていたり、或いはＡ／Ｎ反復の構成と同時にＳＯＲＴＤも構成された場合に、当該Ａ／Ｎ反復のうち１番目の伝送でのみＳＯＲＴＤを支援し、残り伝送（２番目〜ＮＡＮＲｅｐ番目の伝送）ではＳＯＲＴＤをオフする。実施例６によれば、ＳＯＲＴＤが全ての伝送でオフされる代わりに、暗黙的マッピングによりＰＵＣＣＨリソースが決定される１番目の伝送ではＳＯＲＴＤが支援されるので、既に留保されたリソースが使用されずに捨てられることを防止することができる。また、２番目の伝送からはＳＯＲＴＤなしに１個のアンテナポートを通してのみＡ／Ｎ反復が行われるから、ＵＣＩ伝送のためのリソースオーバーヘッドが減るだけでなく、２番目のアンテナポートに用いられるＰＵＣＣＨリソースが別途にシグナリングされる必要がないから、上位レイヤーシグナリングオーバーヘッドも減る。
【０２０９】
図３７は、本発明の実施例６に係るＡＣＫ／ＮＡＣＫフィードバックを示す図である。
【０２１０】
２個以上のアンテナポートを有しているＵＥは、下記のようなリソースを用いてＡＣＫ／ＮＡＣＫ反復を行うことができる。
【０２１１】
（１）１番目の伝送：
ＳＯＲＴＤのために明示的に割り当てられた２個のＰＵＣＣＨリソースインデックスを用いて、２個アンテナポートのそれぞれにおいてＡＣＫ／ＮＡＣＫ情報の伝送に使用するＰＵＣＣＨリソースが決定される。すなわち、明示的マッピングにより決定されたＰＵＣＣＨリソースを用いてＳＯＲＴＤを支援する。このとき、アンテナポートｐ０に対しては、上記２個のＰＵＣＣＨリソースインデックスのうち一つによりＡＣＫ／ＮＡＣＫＰＵＣＣＨリソースを決定し、アンテナポートｐ１に対しては、残り一つによりＡＣＫ／ＮＡＣＫ ＰＵＣＣＨリソースを決定すればよい。
【０２１２】
（２）２番目の伝送〜ＮＡＮＲｅｐ番目の伝送：
２番目の伝送からは、該当のＵＥにＳＯＲＴＤのために明示的に割り当てられた１対のＰＵＣＣＨリソースインデックスのうち、あらかじめ定められた規則（例えば、「小さいＰＵＣＣＨリソースインデックスを使用」など）によって決定される１個のＰＵＣＣＨリソースインデックスがＡＣＫ／ＮＡＣＫフィードバックに用いられる。すなわち、ＵＥは、２番目の伝送からＮＡＮＲｅｐ番目の伝送までは、ＳＯＲＴＤのために割り当てられた２個のＰＵＣＣＨリソースインデックスのうち、あらかじめ定められた規則によって決定された１個のＰＵＣＣＨリソースを使用してＡＣＫ／ＮＡＣＫ情報を伝送する。すなわち、２番目の伝送からＮＡＮＲｅｐ番目の伝送まで明示的マッピングにより決定された一つのＰＵＣＣＨリソースがＡＣＫ／ＮＡＣＫフィードバックに用いられる。
【０２１３】
図３７で、１番目の伝送で表示された２個のＰＵＣＣＨリソースインデックス、２番目の伝送からＮＡＮＲｅｐ番目の伝送までにおいて表示された２個のＰＵＣＣＨリソースインデックスは両方とも、ＳＰＳ活性化時にＰＤＣＣＨのＴＰＣコマンドフィールドにより指示されるＰＵＣＣＨリソースと同じリソースを指示する。
【０２１４】
上述した本発明の実施例１〜実施例６において、ＰＤＣＣＨを有するＰＤＳＣＨに対するＡＣＫ／ＮＡＣＫフィードバック、ＤＬＳＰＳ解除のためのＰＤＣＣＨに対するＡＣＫ／ＮＡＣＫフィードバックの両方に、「ＳＯＲＴＤを毎伝送で使用する方法」（ＭＥＴＨＯＤ １）が適用されてもよく、「いずれの伝送にもＳＯＲＴＤを使用しない方法」（ＭＥＴＨＯＤ２）が適用されてもよく、或いは、「１番目の伝送時にのみＳＯＲＴＤを使用する方法」（ＭＥＴＨＯＤ ３）が適用されてもよい。または、ＭＥＴＨＯＤ １、ＭＥＴＨＯＤ２、ＭＥＴＨＯＤ ３のうち異なった方法が、ＰＤＣＣＨを有するＰＤＳＣＨに対するＡＣＫ／ＮＡＣＫフィードバック及びＤＬ ＳＰＳ解除のためのＰＤＣＣＨに対するＡＣＫ／ＮＡＣＫフィードバックに適用されてもよい。
【０２１５】
●ＰＵＣＣＨ ｆｏｒｍａｔ ３ ｗｉｔｈ ＳＯＲＴＤｖｓ． ＡＣＫ／ＮＡＣＫ ｒｅｐｅｔｉｔｉｏｎ
１．ＰＤＣＣＨを有するＰＤＳＣＨ（ＰＤＳＣＨ ｗｉｔｈＰＤＣＣＨ）に対するＡＣＫ／ＮＡＣＫフィードバック、或いはＤＬ ＳＰＳ解除に対するＡＣＫ／ＮＡＣＫフィードバックの場合、すなわち、ＰＤＣＣＨが少なくても一つ検出された場合：実施例７）〜実施例９）
ＰＤＣＣＨを有するＰＤＳＣＨ及び／又はＤＬ ＳＰＳ解除に対するＡＣＫ／ＮＡＣＫフィードバックのためにＰＵＣＣＨフォーマット３が用いられる場合に、ＰＵＣＣＨフォーマット３の使用法及びリソース割当は、ＵＥのために構成されたＣＣの個数及び／又は状況によって異なることがある。ＰＵＣＣＨフォーマット３を用いてＡＣＫ／ＮＡＣＫフィードバックを行うように構成されたＵＥにおいて発生可能な状況を整理すると、下記の通りである。
【０２１６】
（１）ＵＥに対して構成されたＤＬ ＣＣの個数が１個である場合
（２）ＵＥで検出された、ＰＤＣＣＨを有する全てのＰＤＳＣＨ或いはＤＬＳＰＳ解除がＰＣｅｌｌでのみ存在する場合、すなわち、ＰＣｅｌｌでのみＰＤＣＣＨを有するＰＤＳＣＨ或いはＤＬ ＳＰＳ解除が受信される場合
（３）ＵＥで検出された、ＰＤＣＣＨを有するＰＤＳＣＨ或いはＤＬＳＰＳ解除がなく、ＤＬ ＳＰＳに対するＡＣＫ／ＮＡＣＫのみが必要な場合
（４）ＵＥで検出された、ＰＤＣＣＨを有する全てのＰＤＳＣＨ及び／又はＤＬＳＰＳ解除のうち一つ以上がＳＣｅｌｌで存在する場合
上記のように、ＰＵＣＣＨフォーマット３を用いてＡＣＫ／ＮＡＣＫフィードバックを行うように構成されたＵＥに発生可能な状況のうち、（１）〜（３）の場合に対しては、ＵＥが単一搬送波を用いてＢＳと通信する単一搬送波状況にあると見なすことができる。このような単一搬送波状況下では、上位レイヤーシグナリングによりＰＵＣＣＨフォーマット３を使用するように構成されたとしても、ＰＵＣＣＨフォーマット１／１ａ／１ｂを用いて（ＳＯＲＴＤと共に或いは無しに）ＡＣＫ／ＮＡＣＫ反復を行う前述の実施例１乃至実施例６を、当該ＵＥに同一に適用することができる。
【０２１７】
一方、ＵＥに発生可能な状況のうち、（４）の場合は、多重搬送波状況であって、ＳＯＲＴＤ及び／又はＡＣＫ／ＮＡＣＫ反復に明示的マッピングが用いられてよい。このような多重搬送波状況では、上位レイヤーシグナリングによりＰＵＣＣＨフォーマット３を使用してＡＣＫ／ＮＡＣＫフィードバックを行うように構成された場合に、ＵＥはＰＵＣＣＨフォーマット３を用いてＳＯＲＴＤ及び／又はＡ／Ｎ反復を行うことができる。
【０２１８】
このように、上位レイヤーシグナリングを通じてＰＵＣＣＨフォーマット３がＵＥで用いられるように構成されたとしても、実際にはＰＵＣＣＨフォーマット３が用いられないこともある。すなわち、（１）ＵＥに対して構成されたＤＬＣＣの個数が１個である場合、（２）ＵＥで検出された、ＰＤＣＣＨを有する全てのＰＤＳＣＨ或いはＤＬ ＳＰＳ解除がＰＣｅｌｌでのみ存在する場合、或いは（３）ＵＥで検出された、ＰＤＣＣＨを有するＰＤＳＣＨ或いはＤＬＳＰＳ解除がなく、ＤＬ ＳＰＳに対するＡＣＫ／ＮＡＣＫのみが必要な場合には、ＰＵＣＣＨフォーマット３の代わりに、前述した実施例１乃至実施例６のようにＰＵＣＣＨフォーマット１／１ａ／１ｂを用いてＡＣＫ／ＮＡＣＫフィードバックが行われてもよい。以下では、ＵＥが、ＢＳからの上位レイヤーシグナリングを通じてＰＵＣＣＨフォーマット３を用いてＡＣＫ／ＮＡＣＫフィードバックを行うように構成され、ＰＵＣＣＨフォーマット３が実際に用いられる場合に、ＳＯＲＴＤ及び／又はＡ／Ｎ反復を行う方法に関する本発明の実施例を説明する。
【０２１９】
ＰＵＣＣＨフォーマット３を用いる場合に、別途のシグナリング（例えば、ＴＰＣコマンドフィールド）による明示的マッピングが、ＡＣＫ／ＮＡＣＫフィードバックのためのＰＵＣＣＨリソース決定に用いられる。すなわち、ＰＵＣＣＨフォーマット３のためのＰＵＣＣＨリソースは別途の上位レイヤー（例えば、ＲＲＣ）シグナリングにより割り当てられる。例えば、ＢＳは、ＰＵＣＣＨフォーマット３のためのＰＵＣＣＨリソース候補セットを、上位レイヤーシグナリングを通じてＵＥに伝送する。ＢＳは、ＳＣｅｌｌ上のＡＲＩ（ＡＣＫ／ＮＡＣＫ  Ｒｅｓｏｕｒｃｅ  Ｉｎｄｉｃａｔｏｒ）を用いて、ＰＵＣＣＨリソース候補セットに属したＰＵＣＣＨリソースの一つをＡＣＫ／ＮＡＣＫフィードバックに使用するようにＵＥに指示することができる。ＰＤＣＣＨ中のＴＰＣコマンドフィールドがＡＲＩとして再使用されるとよい。すなわち、ＵＥは、該ＵＥのために伝送されたＰＤＣＣＨを検出し、該検出されたＰＤＣＣＨ中のＴＰＣコマンドフィールドに基づいて、ＡＣＫ／ＮＡＣＫフィードバックに使用するＰＵＣＣＨリソースを決定することができる。例えば、ＳＯＲＴＤが使用されない場合、ＰＵＣＣＨリソース候補セットは４個のリソースインデックスで構成され、ＳＯＲＴＤが用いられる場合、４個のリソースインデックス対で構成されて総８個のリソースインデックスを含むことができる。
【０２２０】
ＰＵＣＣＨフォーマット３のリソース割当に関する上記の説明では、ＰＵＣＣＨフォーマット３のリソース割当がいずれも明示的マッピングにより行われるとしたが、これは便宜上の理由に過ぎず、暗黙的マッピングがＰＵＣＣＨフォーマット３のリソース割当に用いられてもよい。例えば、ＦＤＤでは明示的マッピングによりＰＵＣＣＨリソースが決定され、ＴＤＤでは暗黙的マッピングが全部或いは一部（例えば、ＰＣｅｌｌでのみＰＤＣＣＨが受信される場合）に用いられるように通信システムが構成されてもよい。
【０２２１】
実施例７）ＭＥＴＨＯＤ １：Ａ／Ｎ反復の時、ＳＯＲＴＤを毎伝送で使用する方法
＿１番目〜ＮＡＮＲｅｐ番目の伝送：ＳＯＲＴＤを支援するＰＵＣＣＨフォーマット３（ＰＵＣＣＨｆｏｒｍａｔ ３ ｗｉｔｈ ＳＯＲＴＤ）
Ａ／Ｎ反復は、制限されたカバレッジを有するＵＥのカバレッジを増大させるために用いられるのが一般的である。すなわち、ＰＲＡＣＨなどのような他のチャネルに比べて、ＡＣＫ／ＮＡＣＫチャネルがリンクバジェット（ｌｉｎｋ  ｂｕｄｇｅｔ）上でのＳＮＲ（Ｓｉｇｎａｌ−ｔｏ−Ｎｏｉｓｅ  Ｒａｔｉｏ）マージンが足りない場合に、ＡＣＫ／ＮＡＣＫチャネルが他のチャネルと同じカバレッジを支援できるように、Ａ／Ｎ反復が構成されるとよい。そのため、Ａ／Ｎ反復が構成されたということは、該当のＵＥのカバレッジ、すなわち、該当のＵＥにより伝送された上りリンク信号が成功的に到達できる範囲が小さいと解析すればよい。このような状況に照らし、本発明の実施例７は、Ａ／Ｎ反復の構成時に既にＳＯＲＴＤが構成されていたり、或いはＡ／Ｎ反復がＳＯＲＴＤと同時に構成される場合に、ＵＥの上りリンク信号がＢＳでよく検出されるように、当該ＵＥはＳＯＲＴＤを継続して使用する。ＵＥは、Ａ／Ｎ反復にかかわらず、ＳＯＲＴＤを用いてＡＣＫ／ＮＡＣＫ情報をＢＳに伝送するように構成され、ＢＳは、Ａ／Ｎ反復にかかわらずにＵＥがＳＯＲＴＤを使用してＡＣＫ／ＮＡＣＫ伝送を行うと判断するように構成されてよい。すなわち、Ａ／Ｎ反復時に構成されたＳＯＲＴＤがあると、ＳＯＲＴＤとＡ／Ｎ反復を併せて適用するように通信システムが構成される。
【０２２２】
図３８は、本発明の実施例７に係るＡＣＫ／ＮＡＣＫフィードバックを示す図である。
【０２２３】
２個アンテナポートを用いてＳＯＲＴＤを行うように構成されたＵＥは、それら２個アンテナポートのための２個ＰＵＣＣＨリソースインデックスが、ＢＳからのＰＤＣＣＨを通じて明示的に割り当てられる。これら２個のＰＤＣＣＨリソースインデックスは対を成してＡＲＩによりＵＥに割り当てられてもよく、２個のＰＵＣＣＨリソースインデックスのうち一つのみがＡＲＩによりＵＥに割り当てられ、残りは、ＡＲＩにより割り当てられたＰＵＣＣＨリソースインデックスに対するオフセット値の形態で、他の方法、例えば、上位レイヤーシグナリングによりＵＥに割り当てられてもよい。２個アンテナポートのために明示的に割り当てられた２個のＰＵＣＣＨリソースインデックスを用いてＳＯＲＴＤを行っていたＵＥに対してＡ／Ｎ反復が構成された場合に、該ＵＥは下記のような方法でＡＣＫ／ＮＡＣＫフィードバックを行うことができる。
【０２２４】
（１）１番目の伝送〜ＮＡＮＲｅｐ番目の伝送：
ＵＥに、２個アンテナポートを用いるＳＯＲＴＤのために明示的に割り当てられた２個のＰＵＣＣＨリソースインデックスを用いて、２個アンテナポートのそれぞれにおいて用いられるＰＵＣＣＨリソースが決定される。すなわち、１番目の伝送からＮＡＮＲｅｐ番目の伝送において各アンテナポートが使用するＰＵＣＣＨリソースインデックスが明示的マッピングにより決定される。ＵＥは、アンテナポートｐ０では、割り当てられた２個のＰＵＣＣＨリソースインデックスのうち一つを用いてＡＣＫ／ＮＡＣＫ情報を伝送し、アンテナポートｐ１では、割り当てられた２個のＰＵＣＣＨリソースインデックスのうち残り一つを用いてＡＣＫ／ＮＡＣＫ情報を伝送することができる。この場合、図３８で、１番目の伝送に表示された２ＰＵＣＣＨリソースインデックス、及び２番目の伝送からＮＡＮＲｅｐ番目の伝送に表示された２ ＰＵＣＣＨリソースインデックスはいずれも、ＰＤＣＣＨのＴＰＣコマンドフィールドを通じて伝送されるＡＲＩにより指示されてもよく、該ＡＲＩから誘導されたＰＵＣＣＨリソースと同じＰＵＣＣＨリソースを意味してもよい。
【０２２５】
一方、１番目の伝送でのみ、ＳＯＲＴＤのためにＰＤＣＣＨを通じて指示された２個ＰＵＣＣＨリソースインデックスがＰＵＣＣＨリソースの決定に使用され、反復伝送（２番目〜ＮＡＮＲｅｐ番目の伝送）に用いられるＰＵＣＣＨリソースは、ＰＤＣＣＨではなく上位レイヤーシグナリングによって別途に指定されてもよい。この場合、図３８で、１番目の伝送に表示された２ＰＵＣＣＨリソースインデックスはＰＤＣＣＨのＴＰＣコマンドフィールドを通じて伝送されるＡＲＩにより指示されたり、ＡＲＩから誘導されたＰＵＣＣＨリソースを意味し、２番目の伝送からＮＡＮＲｅｐ番目の伝送に表示された２ＰＵＣＣＨリソースインデックスは、Ａ／Ｎ反復が構成される時、ＢＳがＵＥに指示するＰＵＣＣＨリソースを意味することができる。
【０２２６】
実施例８）ＭＥＴＨＯＤ ２：Ａ／Ｎ反復の時、ＳＯＲＴＤをいずれの伝送にも使用しない方法
＿１番目〜ＮＡＮＲｅｐ番目の伝送：ＳＯＲＴＤがないＰＵＣＣＨフォーマット３伝送（ＰＵＣＣＨｆｏｒｍａｔ ３ ｗｉｔｈｏｕｔ ＳＯＲＴＤ）
実施例７のように、ＳＯＲＴＤの具現には追加のＰＵＣＣＨリソースがさらに必要とされる。Ａ／Ｎ反復が適用されると、Ａ／Ｎ反復回数、及びＳＯＲＴＤに参加するアンテナポートの個数に比例して、ＡＣＫ／ＮＡＣＫフィードバックに必要なＰＵＣＣＨリソースの個数が増加することになる。例えば、２個のアンテナポートによるＳＯＲＴＤ及びＮＡＲｅｐ回のＡ／Ｎ反復を支援しなければならない場合、ＵＥは、一つのＡＣＫ／ＮＡＣＫフィードバックのために、ＳＯＲＴＤ及びＡ／Ｎ反復が構成されない場合に比べて、最大２*ＮＡＲｅｐ倍のＰＵＣＣＨリソースをさらに必要とすることがある。これは、ＡＣＫ／ＮＡＣＫフィードバックがシステムに大きいオーバーヘッドを招くことにつながることがある。このような大きいリソースオーバーヘッドを減らすために、Ａ／Ｎ反復が構成された場合に、ＵＥは、Ａ／Ｎ反復が解除されるまでＳＯＲＴＤをオフするように構成されるとよい。Ａ／Ｎ反復をＵＥにシグナリングしたＢＳは、該ＵＥが１個のアンテナポートを通してのみＡ／Ｎ反復を行うという前提の下に該ＵＥからＡＣＫ／ＮＡＣＫ情報を受信するように構成されるとよい。ＳＯＲＴＤにより拡張されたＰＵＣＣＨのカバレッジは、Ａ／Ｎ反復により類似の範囲に維持されるはずである。そのため、本発明の実施例８は、Ａ／Ｎ反復時にはＳＯＲＴＤをオフしてＡ／ＮフィードバックをＵＥからＢＳに伝送するように通信システムを構成することによって、Ａ／Ｎフィードバックによるリソースオーバーヘッドを減らすことができる。本発明の実施例８によれば、１番目のアンテナポートがＡ／Ｎ反復時に使用するＰＵＣＣＨリソースインデックスのみがＵＥにシグナリングされればいい。すなわち、２番目のアンテナポートのためのＰＵＣＣＨリソースインデックスが別にＵＥにシグナリングされなくてもよい。したがって、本発明の実施例８によれば、上りリンクリソースオーバーヘッドだけでなく、上位レイヤー（例えば、ＲＲＣ）シグナリングオーバーヘッドも減らすことができる。
【０２２７】
図３９は、本発明の実施例８に係るＡＣＫ／ＮＡＣＫフィードバックを示す図である。
【０２２８】
２個アンテナポートを用いてＳＯＲＴＤを行うように構成されたＵＥは、それら２個アンテナポートのための２個ＰＵＣＣＨリソースインデックスが、ＢＳからのＰＤＣＣＨを通じて明示的に割り当てられる。２個のＰＤＣＣＨリソースインデックスが対を成してＡＲＩによりＵＥに割り当てられてもよく、２個のＰＵＣＣＨリソースインデックスのうち１個のみがＡＲＩによりＵＥに割り当てられ、残りは、ＡＲＩにより割り当てられたＰＵＣＣＨリソースインデックスに対するオフセット値の形態で、他の方法、例えば、上位レイヤーシグナリングによってＵＥに割り当てられてもよい。２個アンテナポートのために明示的に割り当てられた２個のＰＵＣＣＨリソースインデックスを用いてＳＯＲＴＤを行っていたＵＥに対してＡ／Ｎ反復が構成された場合に、該ＵＥは、次のような方法でＡＣＫ／ＮＡＣＫフィードバックを行うことができる。
【０２２９】
（１）１番目の伝送〜ＮＡＮＲｅｐ番目の伝送：
ＵＥにＳＯＲＴＤのために明示的に割り当てられた２個のＰＵＣＣＨリソースインデックスのうち、あらかじめ定められた規則（例えば、「小さいＰＵＣＣＨリソースインデックスを使用」など）によって決定される１個のＰＵＣＣＨリソースインデックスがＡＣＫ／ＮＡＣＫフィードバックに用いられる。すなわち、ＵＥは、一つのアンテナポート上で、ＳＯＲＴＤのために割り当てられた２個のＰＵＣＣＨリソースインデックスのうち、あらかじめ定められた規則によって決定された１個のＰＵＣＣＨリソースを使用して、ＡＣＫ／ＮＡＣＫ情報をＮＡＮＲｅｐ回繰り返し伝送する。すなわち、１番目の伝送からＮＡＮＲｅｐ番目の伝送まで明示的マッピングにより決定された一つのＰＵＣＣＨリソースがＡＣＫ／ＮＡＣＫフィードバックに用いられる。例えば、ＵＥは、アンテナポートｐ０上で、割り当てられた２個のＰＵＣＣＨリソースインデックスのうち、あらかじめ定められた規則によって決定されたＰＵＣＣＨリソースインデックスを用いてＡＣＫ／ＮＡＣＫ情報をＮＡＮＲｅｐ回繰り返し伝送することができる。この場合、図３９で、１番目の伝送に表示された１個のＰＵＣＣＨリソースインデックス、及び２番目の伝送からＮＡＮＲｅｐ番目の伝送に表示された１個のＰＵＣＣＨリソースインデックスは両方とも、ＰＤＣＣＨのＴＰＣコマンドフィールドを通じて伝送されるＡＲＩにより指示されたり、該ＡＲＩから誘導されたＰＵＣＣＨリソースと同じＰＵＣＣＨリソースを意味することができる。
【０２３０】
一方、１番目の伝送でのみ、ＳＯＲＴＤのためにＰＤＣＣＨを通じて指示された２個ＰＵＣＣＨリソースインデックスのうち一つを用いてＰＵＣＣＨリソースが決定されてもよい。
【０２３１】
必要に応じて、反復伝送（２番目〜ＮＡＮＲｅｐ番目の伝送）に用いられるＰＵＣＣＨリソースは、ＰＤＣＣＨではなく上位レイヤーシグナリングによって別途に指定されてもよい。この場合、図３９で、１番目の伝送に表示された１個ＰＵＣＣＨリソースインデックスは、ＰＤＣＣＨのＴＰＣコマンドフィールドを通じて伝送されるＡＲＩにより指示されたり、該ＡＲＩから誘導されたＰＵＣＣＨリソースを意味し、２番目の伝送からＮＡＮＲｅｐ番目の伝送に表示された１個のＰＵＣＣＨリソースインデックスは、Ａ／Ｎ反復が構成される時、ＢＳがＵＥに指示するＰＵＣＣＨリソースを意味することができる。
【０２３２】
実施例９）ＭＥＴＨＯＤ ３：Ａ／Ｎ反復の時、１番目の伝送時にのみＳＯＲＴＤを使用する方法
＿１番目の伝送：ＳＯＲＴＤを支援するＰＵＣＣＨフォーマット３伝送（ＰＵＣＣＨｆｏｒｍａｔ ３ ｗｉｔｈ ＳＯＲＴＤ）
＿２番目〜ＮＡＮＲｅｐ番目の伝送：ＳＯＲＴＤがないＰＵＣＣＨフォーマット３伝送（ＰＵＣＣＨｆｏｒｍａｔ ３ ｗｉｔｈｏｕｔ ＳＯＲＴＤ）
実施例８によれば、Ａ／Ｎ反復が構成される前にＳＯＲＴＤが既に構成されていたり、Ａ／Ｎ反復と共にＳＯＲＴＤが構成された場合に、ＢＳは、ＳＯＲＴＤのために一対のＰＵＣＣＨリソースを該当のＵＥのために留保しておくことができる。この場合、Ａ／Ｎ反復時に、１番目の伝送でもＳＯＲＴＤが使用されないと、上記留保されたＰＵＣＣＨリソースが使用されずにそのまま浪費される問題につながる。このような問題点を補完するために、本発明の実施例９は、ＳＯＲＴＤが既に構成されていたり、或いはＡ／Ｎ反復の構成と同時にＳＯＲＴＤも構成された場合に、当該Ａ／Ｎ反復のうち１番目の伝送でのみＳＯＲＴＤを支援し、残り伝送（２番目〜ＮＡＮＲｅｐ番目の伝送）ではＳＯＲＴＤをオフする。実施例９によれば、ＳＯＲＴＤが全ての伝送でオフされる代わりに、ＰＤＣＣＨのＴＰＣコマンドによりＰＵＣＣＨリソース候補セットを構成するＰＵＣＣＨリソースのうち、該当のＵＥのためのＰＵＣＣＨリソースが割り当てられる１番目の伝送ではＳＯＲＴＤが支援されるので、既に留保されたリソースが使用されずに捨てられることを防止することができる。また、２番目の伝送からはＳＯＲＴＤなしに１個のアンテナポートを通してのみＡ／Ｎ反復が行われるから、ＵＣＩ伝送のためのリソースオーバーヘッドが減る。また、２番目のアンテナポートに用いられるＰＵＣＣＨリソースが別途にシグナリングされる必要がないから、上位レイヤーシグナリングオーバーヘッドも減る。
【０２３３】
図４０は、本発明の実施例６に係るＡＣＫ／ＮＡＣＫフィードバックを示す図である。
【０２３４】
図４０を参照すると、２個アンテナポートを用いてＳＯＲＴＤを行うように構成されたＵＥは、それら２個アンテナポートのための２個ＰＵＣＣＨリソースインデックスが、ＢＳからのＰＤＣＣＨを通じて明示的に割り当てられる。２個のＰＤＣＣＨリソースインデックスが対を成し、該ＰＤＣＣＨリソースインデックス対がＡＲＩによりＵＥに割り当てられてもよく、２個のＰＵＣＣＨリソースインデックスのうち１個のみがＡＲＩによりＵＥに割り当てられ、残りは、該ＡＲＩにより割り当てられたＰＵＣＣＨリソースインデックスに対するオフセット値として他の方法、例えば、上位レイヤーシグナリングによりＵＥに割り当てられてもよい。２個アンテナポートのために明示的に割り当てられた２個のＰＵＣＣＨリソースインデックスを用いてＳＯＲＴＤを行っていたＵＥに対してＡ／Ｎ反復が構成された場合に、該ＵＥは次のような方法でＡＣＫ／ＮＡＣＫフィードバックを行うことができる。
【０２３５】
（１）１番目の伝送：
ＳＯＲＴＤのために明示的に割り当てられた２個のＰＵＣＣＨリソースインデックスを用いて、２個アンテナポートのそれぞれにおいてＡＣＫ／ＮＡＣＫ情報の１番目の伝送に使用するＰＵＣＣＨリソースが決定される。すなわち、明示的マッピングにより決定されたＰＵＣＣＨリソースを用いてＳＯＲＴＤを支援する。このとき、アンテナポートｐ０に対しては、２個のＰＵＣＣＨリソースインデックスのうち一つによりＡＣＫ／ＮＡＣＫＰＵＣＣＨリソースを決定し、アンテナポートｐ１に対しては残り一つによりＡＣＫ／ＮＡＣＫ ＰＵＣＣＨリソースを決定することができる。
【０２３６】
（２）２番目の伝送〜ＮＡＮＲｅｐ番目の伝送：
２番目の伝送からは、該当のＵＥにＳＯＲＴＤのために明示的に割り当てられた２個ＰＵＣＣＨリソースインデックスのうち、あらかじめ定められた規則（例えば、「小さいＰＵＣＣＨリソースインデックスを使用」など）によって決定される１個のＰＵＣＣＨリソースインデックスがＡＣＫ／ＮＡＣＫフィードバックに用いられる。すなわち、２番目の伝送からＮＡＮＲｅｐ番目の伝送まで、明示的マッピングにより決定された一つのＰＵＣＣＨリソースがＡＣＫ／ＮＡＣＫフィードバックに用いられる。ＵＥは、２番目の伝送からＮＡＮＲｅｐ番目の伝送までは、ＳＯＲＴＤのために割り当てられた２個のＰＵＣＣＨリソースインデックスのうち、あらかじめ定められた規則によって決定された１個のＰＵＣＣＨリソースを使用してＡＣＫ／ＮＡＣＫ情報を伝送する。この場合、図４０で、１番目の伝送に表示された２個ＰＵＣＣＨリソースインデックス、２番目の伝送からＮＡＮＲｅｐ番目の伝送に表示された１個ＰＵＣＣＨリソースインデックスは両方とも、ＰＤＣＣＨのＴＰＣコマンドフィールドを通じて伝送されるＡＲＩにより指示されたり、該ＡＲＩから誘導されたＰＵＣＣＨリソースと同じＰＵＣＣＨリソースを意味することができる。
【０２３７】
一方、１番目の伝送でのみ、ＳＯＲＴＤのためにＰＤＣＣＨを通じて指示された２個ＰＵＣＣＨリソースインデックスのうち一つを用いてＰＵＣＣＨリソースが決定され、反復伝送（２番目〜ＮＡＮＲｅｐ番目の伝送）に用いられるＰＵＣＣＨリソースは、ＰＤＣＣＨではなく上位レイヤーシグナリングによって別途に指定されてもよい。この場合、図４０で、１番目の伝送に表示された２個のＰＵＣＣＨリソースインデックスはＰＤＣＣＨのＴＰＣコマンドフィールドを通じて伝送されるＡＲＩにより指示されたり、該ＡＲＩから誘導されたＰＵＣＣＨリソースを意味し、２番目の伝送からＮＡＮＲｅｐ番目の伝送に表示された１個ＰＵＣＣＨリソースインデックスは、Ａ／Ｎ反復が構成される時、ＢＳがＵＥに指示するＰＵＣＣＨリソースを意味することができる。
【０２３８】
●Ｃｈａｎｎｅｌ ｓｅｌｅｃｔｉｏｎ ｗｉｔｈ ＳＯＲＴＤｖｓ． ＡＣＫ／ＮＡＣＫ ｒｅｐｅｔｉｔｉｏｎ
以下では、チャネル選択及びＳＯＲＴＤが構成された状態で或いは同時にＡ／Ｎ反復が構成される場合に、Ａ／Ｎ反復を行う方法に関する本発明の実施例を説明する。以下の実施例はチャネル選択及びＳＯＲＴＤの相関関係を考慮して提案されるもので、本発明の実施例がチャネル選択の具体的な方法に制限されることはない。すなわち、具体的なチャネル選択方法が違っても、本発明の実施例をＵＥによるＡＣＫ／ＮＡＣＫフィードバックに適用することができる。
【０２３９】
１．ＰＤＣＣＨを有するＰＤＳＣＨ（ＰＤＳＣＨ ｗｉｔｈＰＤＣＣＨ）に対するＡＣＫ／ＮＡＣＫフィードバック、或いはＤＬ ＳＰＳ解除に対するＡＣＫ／ＮＡＣＫフィードバックの場合、すなわち、ＰＤＣＣＨが少なくても一つ検出された場合：実施例１０）〜実施例１５）
ＰＤＣＣＨを有するＰＤＳＣＨ及び／又はＤＬ ＳＰＳ解除に対する２−ビット、３−ビット或いは４−ビットのＡＣＫ／ＮＡＣＫ情報が、ＰＵＣＣＨフォーマット１／１ａ／１ｂを利用するチャネル選択により、ＵＥからＢＳに伝送されてもよい。このとき、２−ビット、３−ビット、４−ビットのＡＣＫ／ＮＡＣＫ情報がＰＵＣＣＨフォーマット１／１ａ／１ｂにより伝送されるには、チャネル選択のためにそれぞれ２個、３個、４個のＰＵＣＣＨリソースが必要である。チャネル選択のための複数のＰＵＣＣＨリソースインデックスは、次のような方法のうち少なくとも一つにより割り当てられるとよい。また、ＴＤＤとＦＤＤにおいて、相互に異なったマッピングテーブル及び／又は異なったリソース割当方法が用いられてもよい。ＳＯＲＴＤが活性化された場合に、チャネル選択のために各アンテナポートこどに複数のリソースがあらかじめ割り当てられなければならない。チャネル選択及びＳＯＲＴＤを用いてＡＣＫ／ＮＡＣＫフィードバックを行うように構成されたＵＥで発生可能な状況を整理すると、下記の通りである。
【０２４０】
（１）ＵＥに対して構成されたＤＬ ＣＣの個数が１個である場合
（２）ＵＥで検出された、ＰＤＣＣＨを有するＰＤＳＣＨ或いはＤＬＳＰＳ解除がなく、ＤＬ ＳＰＳに対するＡＣＫ／ＮＡＣＫのみが必要な場合
（３）ＵＥで検出された、ＰＤＣＣＨを有する全てのＰＤＳＣＨ或いはＤＬＳＰＳ解除がＰＣｅｌｌでのみ存在する場合、すなわち、ＰＣｅｌｌでのみＰＤＣＣＨを有するＰＤＳＣＨ或いはＤＬ ＳＰＳ解除が受信される場合
（４）ＵＥで検出された、ＰＤＣＣＨを有する全てのＰＤＳＣＨ及び／又はＤＬＳＰＳ解除のうち一つ以上がＳＣｅｌｌで存在する場合
上記のように、ＳＯＲＴＤ及びチャネル選択を用いてＰＵＣＣＨフォーマット２によりＡＣＫ／ＮＡＣＫフィードバックを行うように構成されたＵＥに発生可能な状況のうち、（１）或いは（２）の場合に対しては、該ＵＥが単一搬送波を用いてＢＳと通信する単一搬送波状況にあると見なすことができる。このような単一搬送波状況の下では、ＵＥがＢＳからＡＣＫ／ＮＡＣＫフィードバックにチャネル選択を使用するように指示されたとしても、チャネル選択なしにＰＵＣＣＨフォーマット１／１ａ／１ｂを用いて（ＳＯＲＴＤと共に或いは無しに）ＡＣＫ／ＮＡＣＫ反復を行う上述の実施例１乃至実施例６を、当該ＵＥに同一に適用することができる。
【０２４１】
一方、上記の状況のうち、（３）或いは（４）の状況にあるＵＥのためには、チャネル選択、ＳＯＲＴＤ、ＡＣＫ／ＮＡＣＫ反復が行われる方法が定義されなければならない。参考として、（３）の場合には、ＡＣＫ／ＮＡＣＫフィードバックに用いられるＰＵＣＣＨリソースインデックスは、最初に検出されたＰＤＣＣＨのＣＣＥインデックスの関数により決定されるとよい。これと違い、ＢＳからＵＥに上位レイヤー（例えば、ＲＲＣ）シグナリングを通じてＰＵＣＣＨリソース候補セットがあらかじめ提供され、一つ以上のＰＤＣＣＨ中のＡＲＩ値により、当該ＰＵＣＣＨリソース候補セットのいずれのリソースがＡＣＫ／ＮＡＣＫフィードバックに用いられうるかが指示されてもよい。このＢＳはＰＤＣＣＨ中のＴＰＣコマンドフィールド或いはＤＡＩフィールドなどを再使用してＡＲＩ値をＵＥに伝送することができる。ＵＥは、該ＵＥのために伝送されたＰＤＣＣＨを検出し、該検出されたＰＤＣＣＨ中のＡＲＩ値に基づいて、ＡＣＫ／ＮＡＣＫフィードバックに使用するＰＵＣＣＨリソースを決定することができる。例えば、ＳＯＲＴＤが使用されない場合は、ＰＵＣＣＨリソース候補セットは４個のリソースインデックスで構成され、ＳＯＲＴＤが用いられる場合は、４個のリソースインデックス対で構成され、総８個のリソースインデックスを含むことができる。一方、（４）の場合には、ＢＳからＵＥに上位レイヤー（例えば、ＲＲＣ）シグナリングを通じてＰＵＣＣＨリソース候補セットがあらかじめ提供され、一つ以上のＰＤＣＣＨ中のＡＲＩ値により、該ＰＵＣＣＨリソース候補セットのいずれのリソースがＡＣＫ／ＮＡＣＫフィードバックに用いられうるかが指示されてよい。このＢＳはＰＤＣＣＨ中のＴＰＣコマンドフィールド或いはＤＡＩフィールドなどを再使用してＡＲＩ値をＵＥに伝送することができる。ＵＥは、該ＵＥのために伝送されたＰＤＣＣＨを検出し、該検出されたＰＤＣＣＨ中のＡＲＩ値に基づいて、ＡＣＫ／ＮＡＣＫフィードバックに使用するＰＵＣＣＨリソースを決定することができる。例えば、ＳＯＲＴＤが使用されない場合は、ＰＵＣＣＨリソース候補セットは４個のリソースインデックスで構成され、ＳＯＲＴＤが用いられる場合は、４個のリソースインデックス対で構成され、総８個のリソースインデックスを含むことができる。
【０２４２】
このように、上位レイヤーより、ＵＥがＡＣＫ／ＮＡＣＫフィードバックにチャネル選択を利用するようにシグナリングされても、実際にはＵＥからＢＳへのＡＣＫ／ＮＡＣＫフィードバックにチャネル選択が使用されないこともある。すなわち、（１）ＵＥに対して構成されたＤＬＣＣの個数が１個である場合、或いは（２）ＵＥで検出された、ＰＤＣＣＨを有するＰＤＳＣＨ或いはＤＬ ＳＰＳ解除がなく、ＤＬ ＳＰＳに対するＡＣＫ／ＮＡＣＫのみが必要な場合には、上述した実施例１乃至実施例６のように、チャネル選択なしにＰＵＣＣＨフォーマット１／１ａ／１ｂを用いてＡＣＫ／ＮＡＣＫフィードバックが行われてもよい。以下では、ＵＥがＢＳからの上位レイヤーシグナリングにより、チャネル選択を用いてＡＣＫ／ＮＡＣＫフィードバックを行うように構成され、チャネル選択が実際に用いられる場合に、ＳＯＲＴＤ及び／又はＡ／Ｎ反復を行う方法に関する本発明の実施例を説明する。
【０２４３】
実施例１０）ＭＥＴＨＯＤ １：Ａ／Ｎ反復の時、ＳＯＲＴＤを毎伝送に使用する方法
＿１番目〜ＮＡＮＲｅｐ番目の伝送：ＳＯＲＴＤを支援するチャネル選択（ｃｈａｎｎｅｌｓｅｌｅｃｔｉｏｎ ｗｉｔｈ ＳＯＲＴＤ）
Ａ／Ｎ反復は、制限されたカバレッジを有するＵＥのカバレッジを増大させるために用いられるのが一般的である。すなわち、ＰＲＡＣＨなどのような他のチャネルに比べて、ＡＣＫ／ＮＡＣＫチャネルがリンクバジェット（ｌｉｎｋ  ｂｕｄｇｅｔ）上でのＳＮＲ（Ｓｉｇｎａｌ−ｔｏ−Ｎｏｉｓｅ  Ｒａｔｉｏ）マージンが足りない場合に、ＡＣＫ／ＮＡＣＫチャネルが他のチャネルと同じカバレッジを支援できるように、Ａ／Ｎ反復が構成されるとよい。そのため、Ａ／Ｎ反復が構成されたということは、該当のＵＥのカバレッジ、すなわち、該当のＵＥにより伝送された上りリンク信号が成功的に到達できる範囲が小さいと解析すればよい。このような状況に照らし、本発明の実施例１０は、Ａ／Ｎ反復の構成時に既にＳＯＲＴＤが構成されていたり、或いはＡ／Ｎ反復がＳＯＲＴＤと同時に構成される場合に、ＵＥの上りリンク信号がＢＳでよく検出されるように、当該ＵＥはＳＯＲＴＤを継続して使用する。ＵＥは、Ａ／Ｎ反復にかかわらず、ＳＯＲＴＤを用いてＡＣＫ／ＮＡＣＫ情報をＢＳに伝送するように構成され、ＢＳは、Ａ／Ｎ反復にかかわらずにＵＥがＳＯＲＴＤを使用してＡＣＫ／ＮＡＣＫ伝送を行うと判断するように構成されてよい。すなわち、Ａ／Ｎ反復時に構成されたＳＯＲＴＤがあると、ＳＯＲＴＤとＡ／Ｎ反復を併せて適用するように通信システムが構成される。
【０２４４】
図４１は、本発明の実施例１０に係るＡＣＫ／ＮＡＣＫフィードバックを示す図である。
【０２４５】
２個アンテナポートを用いてＳＯＲＴＤ及びチャネル選択を行うように構成されたＵＥは、それら２個アンテナポートのための４〜８個ＰＵＣＣＨリソースインデックス（アンテナポート当たり２〜４個ＰＵＣＣＨリソースインデックス）のうち、伝送すべきＡＣＫ／ＮＡＣＫ情報に基づいて、チャネル選択用マッピングテーブルにより決定される２個ＰＵＣＣＨリソースを用いて２個アンテナポート上でＡＣＫ／ＮＡＣＫフィードバックを伝送することができる。このように、ＳＯＲＴＤを行っていたＵＥが、Ａ／Ｎ反復が構成されたことを指示するメッセージをＢＳから受信する場合に、すなわち、ＵＥに対してＡ／Ｎ反復が構成された場合に、該ＵＥは、下記のような方法でＡＣＫ／ＮＡＣＫフィードバックを行うことができる。
【０２４６】
（１）１番目の伝送：
ＵＥは、Ａ／Ｎ反復が構成されていない状態において、２個アンテナポートのそれぞれにおけるチャネル選択のために暗黙的及び／又は明示的に定義された４〜８個のＰＵＣＣＨリソースインデックス（アンテナポート当たり２〜４個のリソースインデックス）のうち、フィードバックされるＡＣＫ／ＮＡＣＫ情報に基づいて選択された２個のＰＵＣＣＨリソースインデックスを用いて、２個アンテナポート上でＡＣＫ／ＮＡＣＫ伝送を行うことによってＳＯＲＴＤを行うことができる。例えば、伝送すべきＡＣＫ／ＮＡＣＫ情報に基づいて、各アンテナポートで使用されるべきＰＵＣＣＨリソースインデックス及び各ＰＵＣＣＨリソース上で伝送されるべき伝送ビット（複素変調シンボル）があらかじめマッピングテーブルの形態で定義されるとよい。ＵＥは、ＡＣＫ／ＮＡＣＫ応答を検出し、該当のＡＣＫ／ＮＡＣＫ応答とマッピングされた２個のＰＵＣＣＨリソースインデックスを用いて、２個アンテナポートのそれぞれで１−ビット或いは２−ビットの該当の伝送ビット（或いは複素変調シンボル）を伝送することができる。
【０２４７】
（２）２番目〜ＮＡＮＲｅｐ番目の伝送：
ＢＳはＡ／Ｎ反復を構成しながら、上位レイヤー（例えば、ＲＲＣ）メッセージを通じてＡ／Ｎ反復に使用可能な２個アンテナポートのための４〜８個のＰＵＣＣＨリソースインデックスをＵＥにシグナリングすることができる。例えば、ＳＯＲＴＤが活性化された状態でＡ／Ｎが構成された場合に、ＢＳは、上位レイヤーシグナリングにより４〜８個（或いは、非−ＳＯＲＴＤ（ｎｏｎ−ＳＯＲＴＤ）時には常に４個、ＳＯＲＴＤ時には常に８個）のＰＵＣＣＨリソースインデックスをＵＥに伝送することができる。ここで、ＰＵＣＣＨリソースインデックスは上位レイヤーメッセージで直接指示されてもよく、特定の他のあらかじめ定められたパラメータ（例えば、明示的マッピングで用いられるＣＣＥインデックス或いはＰＵＣＣＨリソースインデックスなど）に対するオフセットの形態で間接的に指示されてもよい。
【０２４８】
実施例１０に関する以上の説明によれば、１番目のＡＣＫ／ＮＡＣＫ伝送、及び２番目のＡＣＫ／ＮＡＣＫ伝送からＮＡＮＲｅｐ番目の伝送においてチャネル選択に用いられるＰＵＣＣＨリソースインデックスが異なる。すなわち、１番目のＡＣＫ／ＮＡＣＫ伝送では、ＳＯＲＴＤのために暗黙的及び／又は明示的にシグナリングされたＰＵＣＣＨリソースインデックスのうち、ＡＣＫ／ＮＡＣＫ伝送のための２個ＰＵＣＣＨリソースインデックスが選択されるのに対し、２番目の伝送からは、Ａ／Ｎ反復のために上位レイヤーシグナリングにより新しく指示されたＰＵＣＣＨリソースインデックスのうち、ＡＣＫ／ＮＡＣＫ伝送のための２個ＰＵＣＣＨリソースインデックスが選択される。これと違い、全ての伝送（１番目〜ＮＡＮＲｅｐ番目の伝送）で前者或いは後者のいずれか一方法のみを使用するようにＵＥとＢＳが構成されてもよい。
【０２４９】
実施例１１）ＭＥＴＨＯＤ ２：Ａ／Ｎ反復の時、いずれの伝送にもＳＯＲＴＤを使用しない方法
＿１番目〜ＮＡＮＲｅｐ番目の伝送：ＳＯＲＴＤがないチャネル選択（ｃｈａｎｎｅｌｓｅｌｅｃｔｉｏｎ ｗｉｔｈｏｕｔ ＳＯＲＴＤ）
実施例１０のように、チャネル選択とＳＯＲＴＤの具現には追加のＰＵＣＣＨリソースがさらに必要とされる。Ａ／Ｎ反復が適用されると、Ａ／Ｎ反復回数、及びＳＯＲＴＤに参加するアンテナポートの個数に比例して、ＡＣＫ／ＮＡＣＫフィードバックに必要なＰＵＣＣＨリソースの個数が増加することになる。例えば、２個のアンテナポートによるＳＯＲＴＤ及びＮＡＲｅｐ回のＡ／Ｎ反復を支援しなければならない場合に、ＵＥは、一つのＡＣＫ／ＮＡＣＫフィードバックのために、ＳＯＲＴＤ及びＡ／Ｎ反復が構成されない場合に比べて、最大２*ＮＡＲｅｐ倍のＰＵＣＣＨリソースをさらに必要とすることがある。また、チャネル選択のために各アンテナポート当たり２個、３個或いは４個のＰＵＣＣＨリソースが該当のＵＥのために留保されなければならない。これは、ＡＣＫ／ＮＡＣＫフィードバックがシステムに大きいオーバーヘッドを招くことにつながることがある。このような大きいリソースオーバーヘッドを減らすために、Ａ／Ｎ反復が構成された場合に、ＵＥは、Ａ／Ｎ反復が解除されるまでＳＯＲＴＤをオフするように構成されるとよい。Ａ／Ｎ反復をＵＥにシグナリングしたＢＳは、該ＵＥが１個のアンテナポートを通してのみＡ／Ｎ反復を行うという前提の下に該ＵＥからＡＣＫ／ＮＡＣＫ情報を受信するように構成されるとよい。ＳＯＲＴＤにより拡張されたＰＵＣＣＨのカバレッジは、Ａ／Ｎ反復により類似の範囲に維持されるはずである。そのため、本発明の実施例１１は、Ａ／Ｎ反復時にはＳＯＲＴＤをオフしてＡ／ＮフィードバックをＵＥからＢＳに伝送するように通信システムを構成することによって、Ａ／Ｎフィードバックによるリソースオーバーヘッドを減らすことができる。本発明の実施例１１によれば、１番目のアンテナポートがＡ／Ｎ反復時に使用するＰＵＣＣＨリソースインデックスのみがＵＥにシグナリングされればいい。すなわち、２番目のアンテナポートのためのＰＵＣＣＨリソースインデックスが別にＵＥにシグナリングされなくてもよい。したがって、本発明の実施例１１によれば、上りリンクリソースオーバーヘッドだけでなく、上位レイヤー（例えば、ＲＲＣ）シグナリングオーバーヘッドも減らすことができる。
【０２５０】
図４２は、本発明の実施例１１に係るＡＣＫ／ＮＡＣＫフィードバックを示す図である。
【０２５１】
２個アンテナポートを用いてＳＯＲＴＤ及びチャネル選択を行うように構成されたＵＥは、それら２個アンテナポートのための４〜８個ＰＵＣＣＨリソースインデックス（アンテナポート当たり２〜４個ＰＵＣＣＨリソースインデックス）のうち、伝送すべきＡＣＫ／ＮＡＣＫ情報に基づいてチャネル選択用マッピングテーブルにより決定される２個ＰＵＣＣＨリソースを用いて、上記２個アンテナポート上でＡＣＫ／ＮＡＣＫフィードバックを伝送することができる。このように、ＳＯＲＴＤを行っていたＵＥが、Ａ／Ｎ反復が構成されたことを指示するメッセージをＢＳから受信する場合に、すなわち、ＵＥに対してＡ／Ｎ反復が構成された場合に、該ＵＥは、下記のような方法でＡＣＫ／ＮＡＣＫフィードバックを行うことができる。
【０２５２】
（１）１番目の伝送：Ａ／Ｎ反復にかかわらず、２個アンテナポート上でのチャネル選択のために暗黙的及び／又は明示的に定義された４〜８個のＰＵＣＣＨリソースインデックスのうち一部（例えば、１番目のアンテナポートのためのＰＵＣＣＨリソースインデックス）を使用して、ＵＥでＡＣＫ／ＮＡＣＫフィードバックを行うことができる。すなわち、ＵＥは、１番目の伝送でＳＯＲＴＤを行わず、該ＵＥが備えたアンテナポートのうち一つのアンテナポート上でのみＡＣＫ／ＮＡＣＫ伝送を行う。
【０２５３】
（２）２番目〜ＮＡＮＲｅｐ番目の伝送：
ＢＳは、Ａ／Ｎ反復を構成しながら、上位レイヤー（例えば、ＲＲＣ）メッセージを通じて、１個アンテナポート上でのチャネル選択のための２〜４個のＰＵＣＣＨリソースインデックスを当該Ａ／Ｎ反復のためにＵＥにシグナリングすることができる。例えば、ＳＯＲＴＤが活性化された状態でＡ／Ｎが構成された場合に、ＢＳは、上位レイヤーシグナリングにより２〜４個（或いは常に４個）のＰＵＣＣＨリソースインデックス、すなわち、ＰＵＣＣＨリソース候補セットをＵＥに伝送することができる。このとき、ＰＵＣＣＨリソース候補セットに含まれたＰＵＣＣＨリソースインデックスの個数は、ＳＯＲＴＤが構成されているか否かにかかわらずに決定されてもよい。実施例１１によれば、Ａ／Ｎ反復時にＳＯＲＴＤが行われないからである。ここで、ＰＵＣＣＨリソースインデックスは、上位レイヤーメッセージで直接指示されてもよく、特定の他のあらかじめ定められたパラメータ（例えば、明示的マッピングで用いられるＣＣＥインデックス或いはＰＵＣＣＨリソースインデックスなど）に対するオフセットの形態で間接的に指示されてもよい。
【０２５４】
実施例１１に関する以上の説明によれば、１番目のＡＣＫ／ＮＡＣＫ伝送、及び２番目のＡＣＫ／ＮＡＣＫ伝送からＮＡＮＲｅｐ番目の伝送において、チャネル選択に用いられるＰＵＣＣＨリソースインデックスが異なる。すなわち、１番目のＡＣＫ／ＮＡＣＫ伝送では、ＳＯＲＴＤのために暗黙的及び／又は明示的にシグナリングされたＰＵＣＣＨリソースインデックスのうち、特定アンテナポートのためのＰＵＣＣＨリソースインデックスの中から、ＡＣＫ／ＮＡＣＫ伝送のための１個のＰＵＣＣＨリソースインデックスが選択されるのに対し、２番目の伝送からは、Ａ／Ｎ反復のために上位レイヤーシグナリングにより指示されたＰＵＣＣＨリソースインデックスの中から、ＡＣＫ／ＮＡＣＫ伝送のための１個のＰＵＣＣＨリソースインデックスが選択される。これと違い、全ての伝送（１番目〜ＮＡＮＲｅｐ番目の伝送）で前者或いは後者のいずれか一方法のみを使用するようにＵＥとＢＳが構成されてもよい。
【０２５５】
実施例１２）ＭＥＴＨＯＤ ３：Ａ／Ｎ反復の時、１番目の伝送時にのみＳＯＲＴＤを使用する方法
＿１番目の伝送：ＳＯＲＴＤを支援するチャネル選択（ｃｈａｎｎｅｌｓｅｌｅｃｔｉｏｎ ｗｉｔｈ ＳＯＲＴＤ）
＿２番目〜ＮＡＮＲｅｐ番目の伝送：ＳＯＲＴＤがないチャネル選択（ｃｈａｎｎｅｌｓｅｌｅｃｔｉｏｎ ｗｉｔｈｏｕｔ ＳＯＲＴＤ）
実施例１１によれば、Ａ／Ｎ反復が構成される前にＳＯＲＴＤが既に構成されていたり、Ａ／Ｎ反復と共にＳＯＲＴＤが構成された場合に、ＢＳは、ＳＯＲＴＤのために一対のＰＵＣＣＨリソースを該当のＵＥのために留保しておくことができる。この場合、Ａ／Ｎ反復時に、１番目の伝送でもＳＯＲＴＤが使用されないと、上記留保されたＰＵＣＣＨリソースが使用されずにそのまま浪費される問題につながる。このような問題点を補完するために、本発明の実施例１２は、ＳＯＲＴＤが既に構成されていたり、或いはＡ／Ｎ反復の構成と同時にＳＯＲＴＤも構成された場合に、当該Ａ／Ｎ反復のうち１番目の伝送でのみＳＯＲＴＤを支援し、残り伝送（２番目〜ＮＡＮＲｅｐ番目の伝送）ではＳＯＲＴＤをオフする。実施例１２によれば、ＳＯＲＴＤが全ての伝送でオフされる代わりに、ＰＤＣＣＨのＴＰＣコマンドによりＰＵＣＣＨリソース候補セットを構成するＰＵＣＣＨリソースのうち、該当のＵＥのためのＰＵＣＣＨリソースが割り当てられる１番目の伝送ではＳＯＲＴＤが支援されるので、既に留保されたリソースが使用されずに捨てられることを防止することができる。また、２番目の伝送からは、ＳＯＲＴＤなしに１個のアンテナポートを通してのみＡ／Ｎ反復が行われるから、ＵＣＩ伝送のためのリソースオーバーヘッドが減る。また、２番目のアンテナポートに用いられるＰＵＣＣＨリソースが別途にシグナリングされる必要がないから、上位レイヤーシグナリングオーバーヘッドも減る。
【０２５６】
図４３は、本発明の実施例１２に係るＡＣＫ／ＮＡＣＫフィードバックを示す図である。
【０２５７】
２個アンテナポートを用いてＳＯＲＴＤ及びチャネル選択を行うように構成されたＵＥは、それら２個アンテナポートのための４〜８個ＰＵＣＣＨリソースインデックス（アンテナポート当たり２〜４個ＰＵＣＣＨリソースインデックス）のうち、伝送すべきＡＣＫ／ＮＡＣＫ情報に基づいてチャネル選択用マッピングテーブルにより決定される２個ＰＵＣＣＨリソースを用いて、上記２個アンテナポート上でＡＣＫ／ＮＡＣＫフィードバックを伝送することができる。このように、ＳＯＲＴＤを行っていたＵＥが、Ａ／Ｎ反復が構成されたことを指示するメッセージをＢＳから受信する場合に、すなわち、ＵＥに対してＡ／Ｎ反復が構成された場合に、該ＵＥは、下記のような方法でＡＣＫ／ＮＡＣＫフィードバックを行うことができる。
【０２５８】
（１）１番目の伝送：ＵＥは、Ａ／Ｎ反復が構成されていない状態において、２個アンテナポートのそれぞれにおけるチャネル選択のために暗黙的及び／又は明示的に定義された４〜８個のＰＵＣＣＨリソースインデックス（アンテナポート当たり２〜４個のリソースインデックス）の中から、フィードバックされるＡＣＫ／ＮＡＣＫ情報に基づいて選択された２個のＰＵＣＣＨリソースインデックスを用いて、上記２個アンテナポート上でＡＣＫ／ＮＡＣＫ伝送を行うことによってＳＯＲＴＤを行うことができる。例えば、伝送すべきＡＣＫ／ＮＡＣＫ情報に基づいて、各アンテナポートで使用されるべきＰＵＣＣＨリソースインデックス及び各ＰＵＣＣＨリソース上で伝送されるべき伝送ビット（複素変調シンボル）があらかじめマッピングテーブルの形態で定義されてよい。ＵＥはＡＣＫ／ＮＡＣＫ応答を検出し、該当のＡＣＫ／ＮＡＣＫ応答とマッピングされた２個のＰＵＣＣＨリソースインデックスを用いて２個アンテナポートのそれぞれで１−ビット或いは２−ビットの該当の伝送ビット（或いは複素変調シンボル）を伝送することができる。
【０２５９】
（２）２番目の伝送〜ＮＡＮＲｅｐ番目の伝送：
ＢＳは、Ａ／Ｎ反復を構成しながら、上位レイヤー（例えば、ＲＲＣ）メッセージを通じて１個アンテナポート上でのチャネル選択のための２〜４個のＰＵＣＣＨリソースインデックスを、当該Ａ／Ｎ反復のためにＵＥにシグナリングすることができる。例えば、ＳＯＲＴＤが活性化された状態でＡ／Ｎが構成された場合に、ＢＳは、上位レイヤーシグナリングにより２〜４個（或いは常に４個）のＰＵＣＣＨリソースインデックス、すなわち、ＰＵＣＣＨリソース候補セットをＵＥに伝送することができる。このとき、ＰＵＣＣＨリソース候補セットに含まれたＰＵＣＣＨリソースインデックスの個数は、ＳＯＲＴＤが構成されているか否かにかかわらずに決定されてもよい。実施例１２によれば、２番目のＡＣＫ／ＮＡＣＫ伝送からはＳＯＲＴＤが行われないからである。ここで、ＰＵＣＣＨリソースインデックスは、上位レイヤーメッセージで直接指示されてもよく、特定の他のあらかじめ定められたパラメータ（例えば、明示的マッピングで用いられるＣＣＥインデックス或いはＰＵＣＣＨリソースインデックスなど）に対するオフセットの形態で間接的に指示されてもよい。
【０２６０】
実施例１２に関する以上の説明によれば、１番目のＡＣＫ／ＮＡＣＫ伝送、及び２番目のＡＣＫ／ＮＡＣＫ伝送からＮＡＮＲｅｐ番目の伝送において、チャネル選択に用いられるＰＵＣＣＨリソースインデックスが異なる。すなわち、１番目のＡＣＫ／ＮＡＣＫ伝送では、ＳＯＲＴＤ時に２個アンテナポートでのチャネル選択のために暗黙的及び／又は明示的にシグナリングされたＰＵＣＣＨリソースインデックスの中から、ＡＣＫ／ＮＡＣＫ伝送のための２個のＰＵＣＣＨリソースが選択されるのに対し、２番目の伝送からは、Ａ／Ｎ反復時にチャネル選択のために上位レイヤーシグナリングにより指示されたＰＵＣＣＨリソースインデックスの中から、ＡＣＫ／ＮＡＣＫ伝送のための１個のＰＵＣＣＨリソースインデックスが選択される。これと違い、全ての伝送（１番目〜ＮＡＮＲｅｐ番目の伝送）で前者或いは後者のいずれか一方法のみを使用するようにＵＥとＢＳが構成されてもよい。
【０２６１】
前述した実施例１０乃至実施例１２は、Ａ／Ｎ反復時に継続してチャネル選択を行う方法に関する。しかし、このように、Ａ／Ｎ反復が行われる時に、チャネル選択も共に行われると、チャネル選択のために複数のＰＵＣＣＨリソースが継続して留保されなければならず、ＰＵＣＣＨリソースのオーバーヘッドが発生することになる。例えば、毎Ａ／Ｎ伝送の度にＵＥのために２〜４個（ＳＯＲＴＤの非支援時）或いは４〜８個（ＳＯＲＴＤの支援時）のＰＵＣＣＨリソースが留保されなければならない。したがって、以下では、Ａ／Ｎ反復が行われる時に、１番目の伝送でのみ実際チャネル選択を適用し、以降の反復された伝送ではチャネル選択を行わないまま、１番目の伝送により選択されたＰＵＣＣＨリソースで伝送されたＡＣＫ／ＮＡＣＫ伝送ビット（すなわち、コンステレーションシンボル（ｃｏｎｓｔｅｌｌａｔｉｏｎ））を、Ａ／Ｎ反復のために割り当てられたＰＵＣＣＨリソース上で単純反復して伝送する方法に関する実施例１３乃至実施例１５を提案する。実施例１３乃至実施例１５によれば、Ａ／Ｎ反復が行われても、全てのＡＣＫ／ＮＡＣＫ伝送（１番目〜ＮＡＮＲｅｐ番目の伝送）で実際に伝送される伝送ビット値は相互に同一となる。
【０２６２】
実施例１３）ＭＥＴＨＯＤ４：Ａ／Ｎ反復の時、全ての伝送でＳＯＲＴＤを行うものの、１番目の伝送でのみチャネル選択を使用する方法
＿１番目の伝送：ＳＯＲＴＤを支援するチャネル選択（ｃｈａｎｎｅｌｓｅｌｅｃｔｉｏｎ ｗｉｔｈ ＳＯＲＴＤ）
＿２番目〜ＮＡＮＲｅｐ番目の伝送：チャネル選択のないＳＯＲＴＤ（ｎｏｃｈａｎｎｅｌ ｓｅｌｅｃｔｉｏｎ ｗｉｔｈ ＳＯＲＴＤ）
Ａ／Ｎ反復は、制限されたカバレッジを有するＵＥのカバレッジを増大させるために用いられるのが一般的である。すなわち、ＰＲＡＣＨなどのような他のチャネルに比べて、ＡＣＫ／ＮＡＣＫチャネルがリンクバジェット（ｌｉｎｋ  ｂｕｄｇｅｔ）上でのＳＮＲ（Ｓｉｇｎａｌ−ｔｏ−Ｎｏｉｓｅ  Ｒａｔｉｏ）マージンが足りない場合に、ＡＣＫ／ＮＡＣＫチャネルが他のチャネルと同じカバレッジを支援できるように、Ａ／Ｎ反復が構成されるとよい。そのため、Ａ／Ｎ反復が構成されたということは、該当のＵＥのカバレッジ、すなわち、該当のＵＥにより伝送された上りリンク信号が成功的に到達できる範囲が小さいと解析すればよい。このような状況に照らし、本発明の実施例１３は、Ａ／Ｎ反復の構成時に既にＳＯＲＴＤが構成されていたり、或いはＡ／Ｎ反復がＳＯＲＴＤと同時に構成される場合に、ＵＥの上りリンク信号がＢＳでよく検出されるように、当該ＵＥはＳＯＲＴＤを継続して使用する。ＵＥは、Ａ／Ｎ反復にかかわらず、ＳＯＲＴＤを用いてＡＣＫ／ＮＡＣＫ情報をＢＳに伝送するように構成され、ＢＳは、Ａ／Ｎ反復にかかわらずにＵＥがＳＯＲＴＤを使用してＡＣＫ／ＮＡＣＫ伝送を行うと判断するように構成されてよい。すなわち、Ａ／Ｎ反復時に既に或いは同時に構成されたＳＯＲＴＤがあると、ＳＯＲＴＤとＡ／Ｎ反復を併せて適用するように通信システムが構成される。
【０２６３】
図４４は、本発明の実施例１３に係るＡＣＫ／ＮＡＣＫフィードバックを示す図である。
【０２６４】
２個アンテナポートを用いてＳＯＲＴＤ及びチャネル選択を行うように構成されたＵＥは、それら２個アンテナポートのための４〜８個ＰＵＣＣＨリソースインデックス（アンテナポート当たり２〜４個ＰＵＣＣＨリソースインデックス）のうち、伝送すべきＡＣＫ／ＮＡＣＫ情報に基づいてチャネル選択用マッピングテーブルにより決定される２個ＰＵＣＣＨリソースを用いて、上記２個アンテナポート上でＡＣＫ／ＮＡＣＫフィードバックを伝送することができる。このように、ＳＯＲＴＤを行っていたＵＥが、Ａ／Ｎ反復が構成されたことを指示するメッセージをＢＳから受信する場合に、すなわち、ＵＥに対してＡ／Ｎ反復が構成された場合に、該ＵＥは、下記のような方法でＡＣＫ／ＮＡＣＫフィードバックを行うことができる。
【０２６５】
（１）１番目の伝送：ＵＥは、２個アンテナポートのそれぞれにおけるチャネル選択のために、Ａ／Ｎ反復が構成される前に、暗黙的及び／又は明示的に定義された４〜８個のＰＵＣＣＨリソースインデックス（アンテナポート当たり２〜４個のリソースインデックス）の中から、ＡＣＫ／ＮＡＣＫ情報を伝送する２個のＰＵＣＣＨリソースインデックスを選択する。該ＵＥは、上記選択された２個ＰＵＣＣＨリソースインデックスに該当するＰＵＣＣＨリソース上で、上記ＡＣＫ／ＮＡＣＫ情報にマッピングされた複素変調シンボルを上記２個のアンテナポートを通してＢＳに伝送することによってＳＯＲＴＤを行うことができる。例えば、伝送すべきＡＣＫ／ＮＡＣＫ情報に基づいて、各アンテナポートで使用されるべきＰＵＣＣＨリソースインデックス及び各ＰＵＣＣＨリソース上で伝送されるべき伝送ビット（複素変調シンボル）があらかじめマッピングテーブルの形態で定義されてよい。ＵＥはＡＣＫ／ＮＡＣＫ応答を検出し、該当のＡＣＫ／ＮＡＣＫ応答とマッピングされた２個のＰＵＣＣＨリソースインデックスを用いて２個アンテナポートのそれぞれで１−ビット或いは２−ビットの該当の伝送ビット（或いは複素変調シンボル）を伝送することができる。すなわち、１番目の伝送ではＳＯＲＴＤもチャネル選択も行われる。
【０２６６】
（２）２番目〜ＮＡＮＲｅｐ番目の伝送：
ＢＳは、Ａ／Ｎ反復を構成しながら、２個アンテナポートがＡ／Ｎ反復時に使用する２個ＰＵＣＣＨリソースインデックスを上位レイヤー（例えば、ＲＲＣ）シグナリングによりＵＥに伝送することができる。ここで、ＢＳは、ＳＯＲＴＤが活性化された場合には、上位レイヤーシグナリングにより２個のＰＵＣＣＨリソースインデックスを２個のアンテナポートのためにＵＥに伝送し、ＳＯＲＴＤが活性化されていない場合には、上位レイヤーシグナリングにより１個のＰＵＣＣＨリソースインデックスを一つのアンテナポートのためにＵＥに伝送することができる。これらのＰＵＣＣＨリソースインデックスは、上位レイヤーメッセージで直接指示されてもよく、特定の他のあらかじめ定められたパラメータ（例えば、明示的マッピングで用いられるＣＣＥインデックス或いはＰＵＣＣＨリソースインデックスなど）に対するオフセットの形態で間接的に指示されてもよい。ＵＥは、２番目の伝送からは、１番目の伝送で各アンテナポートが伝送した伝送ビット（或いは複素変調シンボル）を該当のアンテナポートでそのまま伝送することができる。すなわち、２番目〜ＮＡＮＲｅｐ番目の伝送ではチャネル選択は行われないが、ＳＯＲＴＤは行われる。
【０２６７】
一方、２番目〜ＮＡＮＲｅｐ番目の伝送でも、１番目の伝送で選択されたＰＵＣＣＨリソースと各ＰＵＣＣＨリソース上で伝送された伝送ビット（複素変調シンボル）がそのまま用いられてもよい。例えば、１番目の伝送でアンテナポートｐ０のためのＰＵＣＣＨリソースのうち、ｎ(１，ｐ０)ＰＵＣＣＨ１に該当するＰＵＣＣＨリソースが選択され、アンテナポートｐ１のためのＰＵＣＣＨリソースのうち、ｎ(１，ｐ１)ＰＵＣＣＨ０に該当するＰＵＣＣＨリソースが選択されたとしよう。ＵＥは２番目〜ＮＡＮＲｅｐ番目の伝送においても、１番目の伝送で使われたＰＵＣＣＨリソースｎ(１，ｐ０)ＰＵＣＣＨ１上で該当のＡＣＫ／ＮＡＣＫ情報にマッピングされた伝送ビット（或いは複素変調シンボル）を、ｐ０を通してＢＳに伝送し、ＰＵＣＣＨリソースｎ(１，ｐ１)ＰＵＣＣＨ０上で該当のＡＣＫ／ＮＡＣＫ情報にマッピングされた伝送ビット（或いは複素変調シンボル）を、ｐ１を通してＢＳに伝送することができる。
【０２６８】
実施例１３に関する以上の説明によれば、１番目のＡＣＫ／ＮＡＣＫ伝送、及び２番目のＡＣＫ／ＮＡＣＫ伝送からＮＡＮＲｅｐ番目の伝送において、チャネル選択に用いられるＰＵＣＣＨリソースインデックスが異なる。すなわち、１番目のＡＣＫ／ＮＡＣＫ伝送では、ＳＯＲＴＤのために暗黙的及び／又は明示的にシグナリングされたＰＵＣＣＨリソースインデックスの中から、ＡＣＫ／ＮＡＣＫ伝送のための２個ＰＵＣＣＨリソースインデックスが選択されるのに対し、２番目の伝送からは、Ａ／Ｎ反復のために上位レイヤーシグナリングにより新しく指示されたＰＵＣＣＨリソースインデックスがＡＣＫ／ＮＡＣＫ伝送に用いられる。これと違い、全ての伝送（１番目〜ＮＡＮＲｅｐ番目の伝送）で前者或いは後者のいずれか一方法のみを使用するようにＵＥとＢＳが構成されてもよい。
【０２６９】
実施例１４）ＭＥＴＨＯＤ ５：Ａ／Ｎ反復の時、いずれの伝送でもＳＯＲＴＤを行わず、１番目の伝送でのみチャネル選択を使用する方法
＿１番目の伝送：ＳＯＲＴＤのないチャネル選択（ｃｈａｎｎｅｌｓｅｌｅｃｔｉｏｎ ｗｉｔｈｏｕｔ ＳＯＲＴＤ）
＿２番目〜ＮＡＮＲｅｐ番目の伝送：ＳＯＲＴＤ及びチャネル選択を行わない（ｎｏｃｈａｎｎｅｌ ｓｅｌｅｃｔｉｏｎ ｗｉｔｈｏｕｔ ＳＯＲＴＤ）
実施例１３のように、チャネル選択とＳＯＲＴＤが共に具現されるには、追加のＰＵＣＣＨリソースがさらに必要となる。Ａ／Ｎ反復が適用されると、Ａ／Ｎ反復回数、及びＳＯＲＴＤに参加するアンテナポートの個数に比例して、ＡＣＫ／ＮＡＣＫフィードバックに必要なＰＵＣＣＨリソースの個数が増加することになる。例えば、２個のアンテナポートによるＳＯＲＴＤ及びＮＡＲｅｐ回のＡ／Ｎ反復を支援しなければならない場合に、ＵＥは、一つのＡＣＫ／ＮＡＣＫフィードバックのために、ＳＯＲＴＤ及びＡ／Ｎ反復が構成されない場合に比べて、最大２*ＮＡＲｅｐ倍のＰＵＣＣＨリソースをさらに必要とすることがある。また、チャネル選択のために各アンテナポート当たり２個、３個或いは４個のＰＵＣＣＨリソースが該当のＵＥのために留保されなければならない。これは、ＡＣＫ／ＮＡＣＫフィードバックがシステムに大きいオーバーヘッドを招くことにつながることがある。このような大きいリソースオーバーヘッドを減らすために、Ａ／Ｎ反復が構成された場合に、ＵＥは、Ａ／Ｎ反復が解除されるまでＳＯＲＴＤをオフするように構成されるとよい。Ａ／Ｎ反復をＵＥにシグナリングしたＢＳは、該ＵＥが１個のアンテナポートを通してのみＡ／Ｎ反復を行うという前提の下に該ＵＥからＡＣＫ／ＮＡＣＫ情報を受信するように構成されるとよい。ＳＯＲＴＤにより拡張されたＰＵＣＣＨのカバレッジは、Ａ／Ｎ反復により類似の範囲に維持されるはずである。そのため、本発明の実施例１４は、Ａ／Ｎ反復時にはＳＯＲＴＤをオフしてＡ／ＮフィードバックをＵＥからＢＳに伝送するように通信システムを構成することによって、Ａ／Ｎフィードバックによるリソースオーバーヘッドを減らすことができる。本発明の実施例１４によれば、１番目のアンテナポートがＡ／Ｎ反復時に使用するＰＵＣＣＨリソースインデックスのみがＵＥにシグナリングされればいい。すなわち、２番目のアンテナポートのためのＰＵＣＣＨリソースインデックスが別にＵＥにシグナリングされなくてもよい。したがって、本発明の実施例１４によれば、上りリンクリソースオーバーヘッドだけでなく、上位レイヤー（例えば、ＲＲＣ）シグナリングオーバーヘッドも減らすことができる。
【０２７０】
図４５は、本発明の実施例１４に係るＡＣＫ／ＮＡＣＫフィードバックを示す図である。
【０２７１】
２個アンテナポートを用いてＳＯＲＴＤを行うように構成されたＵＥは、それら２個アンテナポートのための４〜８個ＰＵＣＣＨリソースインデックス（アンテナポート当たり２〜４個ＰＵＣＣＨリソースインデックス）のうち、伝送すべきＡＣＫ／ＮＡＣＫ情報に基づいてチャネル選択用マッピングテーブルにより決定される２個ＰＵＣＣＨリソースを用いて、上記２個アンテナポート上でＡＣＫ／ＮＡＣＫフィードバックを伝送することができる。このように、ＳＯＲＴＤを行っていたＵＥが、Ａ／Ｎ反復が構成されたことを指示するメッセージをＢＳから受信する場合に、すなわち、ＵＥに対してＡ／Ｎ反復が構成された場合に、該ＵＥは、下記のような方法でＡＣＫ／ＮＡＣＫフィードバックを行うことができる。
【０２７２】
（１）１番目の伝送：
２個アンテナポート上でのチャネル選択のために、Ａ／Ｎ反復が構成される前に、暗黙的及び／又は明示的に定義された４〜８個のＰＵＣＣＨリソースインデックスのうち一部（例えば、１番目のアンテナポートのためのＰＵＣＣＨリソースインデックス）のみが、Ａ／Ｎ反復の１番目の伝送に用いられる。例えば、ＵＥは、該４〜８個のＰＵＣＣＨリソースインデックスのうち、あらかじめ定められた規則に基づく一部ＰＵＣＣＨリソースインデックス（例えば、２〜４個）の中から、チャネル選択用マッピングテーブルによって、該当のＡＣＫ／ＮＡＣＫ伝送にマッピングされた２個のＰＵＣＣＨリソースインデックスを選択することができる。該選択された２個のＰＵＣＣＨリソースインデックスは、ＳＯＲＴＤのための２個のアンテナポートに一対一で対応される。ＵＥは、２個のアンテナポートを通して、２個のＰＵＣＣＨリソースインデックスにより指示された２個のＰＵＣＣＨリソース上で伝送ビットを伝送することができる。すなわち、１番目の伝送ではＳＯＲＴＤは行われないが、チャネル選択は行われる。
【０２７３】
（２）２番目〜ＮＡＮＲｅｐ番目の伝送：
ＢＳは、Ａ／Ｎ反復を構成しながら１個アンテナポートがＡ／Ｎ反復時に使用する１個ＰＵＣＣＨリソースインデックスを上位レイヤー（例えば、ＲＲＣ）シグナリングによりＵＥに伝送することができる。ここで、ＢＳは、ＳＯＲＴＤが活性化されたか否かにかからわず、常に１個のＰＵＣＣＨリソースインデックスを２番目〜ＮＡＮＲｅｐ番目の伝送のためにＵＥにシグナリングすることができる。上位レイヤーシグナリングにより指示される該１個のＰＵＣＣＨリソースインデックスは、上位レイヤーメッセージで直接指示されてもよく、特定の他のあらかじめ定められたパラメータ（例えば、明示的マッピングで用いられるＣＣＥインデックス或いはＰＵＣＣＨリソースインデックスなど）に対するオフセットの形態で間接的に指示されてもよい。２番目〜ＮＡＮＲｅｐ番目の伝送ではＳＯＲＴＤもチャネル選択も行われない。
【０２７４】
実施例１４に関する以上の説明によれば、１番目のＡＣＫ／ＮＡＣＫ伝送、及び２番目のＡＣＫ／ＮＡＣＫ伝送からＮＡＮＲｅｐ番目の伝送において、チャネル選択に用いられるＰＵＣＣＨリソースインデックスが異なる。すなわち、１番目のＡＣＫ／ＮＡＣＫ伝送では、ＳＯＲＴＤのために暗黙的及び／又は明示的にシグナリングされたＰＵＣＣＨリソースインデックスの中から、ＡＣＫ／ＮＡＣＫ伝送のためのＰＵＣＣＨリソースインデックスが選択されるのに対し、２番目の伝送からは、Ａ／Ｎ反復のために上位レイヤーシグナリングにより新しく指示されたＰＵＣＣＨリソースインデックスがＡＣＫ／ＮＡＣＫ伝送に用いられる。これと違い、全ての伝送（１番目〜ＮＡＮＲｅｐ番目の伝送）で前者或いは後者のいずれか一方法のみを使用するようにＵＥとＢＳが構成されてもよい。
【０２７５】
実施例１５）ＭＥＴＨＯＤ ６：Ａ／Ｎ反復の時、１番目の伝送時にのみＳＯＲＴＤ及びチャネル選択を使用する方法
＿１番目の伝送：ＳＯＲＴＤを支援するチャネル選択（ｃｈａｎｎｅｌｓｅｌｅｃｔｉｏｎ ｗｉｔｈ ＳＯＲＴＤ）
＿２番目〜ＮＡＮＲｅｐ番目の伝送：ＳＯＲＴＤ及びチャネル選択を行わない（ｎｏｃｈａｎｎｅｌ ｓｅｌｅｃｔｉｏｎ ｗｉｔｈｏｕｔ ＳＯＲＴＤ）
実施例１４によれば、Ａ／Ｎ反復が構成される前にＳＯＲＴＤが既に構成されていたり、Ａ／Ｎ反復と共にＳＯＲＴＤが構成された場合に、ＢＳは、ＳＯＲＴＤのために一対のＰＵＣＣＨリソースを該当のＵＥのために留保しておくことができる。この場合、Ａ／Ｎ反復時に、１番目の伝送でもＳＯＲＴＤが使用されないと、上記留保されたＰＵＣＣＨリソースが使用されずにそのまま浪費される問題につながる。このような問題点を補完するために、本発明の実施例１５はＳＯＲＴＤが既に構成されていたり、或いはＡ／Ｎ反復の構成と同時にＳＯＲＴＤも構成された場合に、当該Ａ／Ｎ反復のうち１番目の伝送でのみＳＯＲＴＤを支援し、残り伝送（２番目〜ＮＡＮＲｅｐ番目の伝送）ではＳＯＲＴＤをオフする。実施例１５によれば、ＳＯＲＴＤが全ての伝送でオフされる代わりに、ＰＤＣＣＨのＴＰＣコマンドによりＰＵＣＣＨリソース候補セットを構成するＰＵＣＣＨリソースのうち、該当のＵＥのためのＰＵＣＣＨリソースが割り当てられる１番目の伝送ではＳＯＲＴＤが支援されるので、既に留保されたリソースが使用されずに捨てられることを防止することができる。また、２番目の伝送からは、ＳＯＲＴＤなしに１個のアンテナポートを通してのみＡ／Ｎ反復が行われるから、ＵＣＩ伝送のためのリソースオーバーヘッドが減る。また、２番目のアンテナポートに用いられるＰＵＣＣＨリソースが別途にシグナリングされる必要がないから、上位レイヤーシグナリングオーバーヘッドも減る。
【０２７６】
図４６は、本発明の実施例１５に係るＡＣＫ／ＮＡＣＫフィードバックを示す図である。
【０２７７】
２個アンテナポートを用いてＳＯＲＴＤ及びチャネル選択を行うように構成されたＵＥは、それら２個アンテナポートのための４〜８個ＰＵＣＣＨリソースインデックス（アンテナポート当たり２〜４個ＰＵＣＣＨリソースインデックス）のうち、伝送すべきＡＣＫ／ＮＡＣＫ情報に基づいてチャネル選択用マッピングテーブルにより決定される２個ＰＵＣＣＨリソースを用いて、上記２個アンテナポート上でＡＣＫ／ＮＡＣＫフィードバックを伝送することができる。このように、ＳＯＲＴＤ及びチャネル選択を行っていたＵＥがＢＳからＡ／Ｎ反復が構成されたことを指示するメッセージを受信する場合に、すなわち、ＵＥに対してＡ／Ｎ反復が構成された場合に、該ＵＥは、下記のような方法でＡＣＫ／ＮＡＣＫフィードバックを行うことができる。
【０２７８】
（１）１番目の伝送：ＵＥは、２個アンテナポートのそれぞれにおけるチャネル選択のために、Ａ／Ｎ反復が構成される前に、暗黙的及び／又は明示的に定義された４〜８個のＰＵＣＣＨリソースインデックス（アンテナポート当たり２〜４個のリソースインデックス）の中から、ＡＣＫ／ＮＡＣＫ情報を伝送する２個のＰＵＣＣＨリソースインデックスを選択する。ＵＥは、上記選択された２個ＰＵＣＣＨリソース上で当該ＡＣＫ／ＮＡＣＫ情報に該当する複素変調シンボルを上記２個のアンテナポートを通してＢＳに伝送することによってＳＯＲＴＤを行うことができる。例えば、伝送すべきＡＣＫ／ＮＡＣＫ情報に基づいて、各アンテナポートで使用されるべきＰＵＣＣＨリソースインデックス及び各ＰＵＣＣＨリソース上で伝送されるべき伝送ビット（複素変調シンボル）があらかじめマッピングテーブルの形態で定義されてよい。ＵＥは、ＡＣＫ／ＮＡＣＫ応答を検出し、該当のＡＣＫ／ＮＡＣＫ応答とマッピングされた２個のＰＵＣＣＨリソースインデックスを用いて２個アンテナポートのそれぞれで１−ビット或いは２−ビットの該当の伝送ビット（或いは複素変調シンボル）を伝送することができる。すなわち、１番目の伝送ではＳＯＲＴＤもチャネル選択も行われる。
【０２７９】
（２）２番目の伝送〜ＮＡＮＲｅｐ番目の伝送：
ＢＳは、Ａ／Ｎ反復を構成しながら１個アンテナポートがＡ／Ｎ反復時に使用する１個ＰＵＣＣＨリソースインデックスを上位レイヤー（例えば、ＲＲＣ）シグナリングによりＵＥに伝送することができる。ここで、ＢＳは、ＳＯＲＴＤが活性化されたか否かにかからわず、常に１個のＰＵＣＣＨリソースインデックスを２番目〜ＮＡＮＲｅｐ番目の伝送のためにＵＥにシグナリングすることができる。上位レイヤーシグナリングにより指示される該１個のＰＵＣＣＨリソースインデックスは、上位レイヤーメッセージで直接指示されてもよく、特定の他のあらかじめ定められたパラメータ（例えば、明示的マッピングで用いられるＣＣＥインデックス或いはＰＵＣＣＨリソースインデックスなど）に対するオフセットの形態で間接的に指示されてもよい。２番目〜ＮＡＮＲｅｐ番目の伝送ではＳＯＲＴＤもチャネル選択も行われない。
【０２８０】
実施例１５に関する以上の説明によれば、１番目のＡＣＫ／ＮＡＣＫ伝送、及び２番目のＡＣＫ／ＮＡＣＫ伝送からＮＡＮＲｅｐ番目の伝送において、チャネル選択に用いられるＰＵＣＣＨリソースインデックスが異なる。すなわち、１番目のＡＣＫ／ＮＡＣＫ伝送では、ＳＯＲＴＤ時に２個アンテナポートでのチャネル選択のために暗黙的及び／又は明示的にシグナリングされたＰＵＣＣＨリソースインデックスの中から、ＡＣＫ／ＮＡＣＫ伝送のためのＰＵＣＣＨリソースが選択されるのに対し、２番目の伝送からは、Ａ／Ｎ反復時にチャネル選択のために上位レイヤーシグナリングにより指示されたＰＵＣＣＨリソースインデックスの中から、ＡＣＫ／ＮＡＣＫ伝送のためのＰＵＣＣＨリソースインデックスが選択される。これと違い、全ての伝送（１番目〜ＮＡＮＲｅｐ番目の伝送）で前者或いは後者のいずれか一方法のみを使用するようにＵＥとＢＳが構成されてもよい。
【０２８１】
●ＳＯＲＴＤとＡ／Ｎ反復の同時使用を禁止
Ａ／Ｎ反復は、他のチャネル（例えば、ＰＲＡＣＨ）と比較してＡＣＫ／ＮＡＣＫチャネルのカバレッジが制限される状況を克服する目的で導入された方法である。そのため、Ａ／Ｎ反復が行われると、ＳＯＲＴＤが行われなくても、このようなカバレッジ制限が克服されうるという意味として解釈されてよい。したがって、通信システムの構成を単純化するために、ＳＯＲＴＤとＡ／Ｎ反復が同時に用いられることが禁止されることが可能である。具体的に下記のような実施例を提案することができる。
【０２８２】
実施例１６）Ａ／Ｎ反復の時、ＳＯＲＴＤを常にオフ
Ａ／Ｎ反復が上位レイヤーにより構成されると、ＵＥはＳＯＲＴＤを常にオフする。ＳＯＲＴＤがＢＳにより活性化されてオン（ｏｎ）状態にある時、ＵＥが該ＳＯＲＴＤをオフするということは、Ａ／Ｎ反復が構成される時に限って潜在的に適用されうる。この場合、Ａ／Ｎ反復が解除されると、ＳＯＲＴＤは再びオン状態に活性化されることが可能である。又は、Ａ／Ｎ反復が構成される時、ＢＳがＳＯＲＴＤを非活性化（ｄｅａｃｔｉｖａｔｅ）することによって、ＵＥに対するＳＯＲＴＤをオフしてもよい。この場合、ＢＳはＳＯＲＴＤを再び構成してＵＥにシグナリングすることによって該ＵＥでＳＯＲＴＤを再び活性化することができる。
【０２８３】
実施例１７）Ａ／Ｎ反復とＳＯＲＴＤの同時構成を禁止
上位レイヤー（例えば、ＭＡＣレイヤー或いはＲＲＣレイヤー）でＳＯＲＴＤとＡ／Ｎ反復が同時に構成されることが禁止されてもよい。例えば、ＭＡＣレイヤー或いはＲＲＣレイヤーは、ＳＯＲＴＤが活性化されるとＡ／Ｎ反復を必ずオフしたり、Ａ／Ｎ反復が構成されるとＳＯＲＴＤをオフするように構成されてもよい。上述の実施例１乃至実施例１７において、１番目の伝送と残り伝送（２番目〜ＮＡＮＲｅｐ番目の伝送）とを区別したのは便宜上の理由であり、特定の正の整数ｋを基準に、１番目〜ｋ番目の伝送と（ｋ＋１）番目〜ＮＡＮＲｅｐ番目の伝送とに区別してもよい。一方、図３２乃至図３４にはＮＡＮＲｅｐが４の場合を例示したが、回数が異なっても本発明の実施例が同様に適用されうるということは明らかである。
【０２８４】
前述した実施例１乃至実施例１７は、ＰＵＣＣＨフォーマット、ＳＯＲＴＤ実行の有無、チャネル選択の有無などによって分類されたものである。以下では、実施例１乃至実施例１７で説明した暗黙的マッピングと明示的マッピングを、それぞれ、暗黙的リソース割当と明示的リソース割当と称し、本発明で適用可能な暗黙的リソース割当と明示的リソース割当について具体的に説明する。説明の便宜のために、暗黙的リソース割当と明示的リソース割当は、次のような意味として用いられる。
【０２８５】
●暗黙的リソース割当＝暗黙的マッピング
１．ＰＤＣＣＨの（最低）ＣＣＥインデックスと関連付いてＰＵＣＣＨリソースが類推される方法を意味する。暗黙的マッピングは、ＰＵＣＣＨフォーマット１ａ／１ｂ或いはＰＵＣＣＨフォーマット１ｂを用いたチャネル選択に適用可能である。
【０２８６】
２．１個のＰＤＣＣＨから１個或いは２個のＰＵＣＣＨリソースが類推可能である。１個のＰＵＣＣＨリソースが類推される場合、式６（或いは式１）によってＰＵＣＣＨリソースインデックスが決定されるとよい。
【０２８７】
２個のＰＵＣＣＨリソースが類推される場合、式６によって１個のＰＵＣＣＨリソースインデックスが決定され、式７によって残り１個のＰＵＣＣＨリソースインデックスが決定されるとよい。
【０２８８】
●明示的リソース割当＝明示的マッピング
１．上位レイヤー（例えば、ＲＲＣ）からＰＵＣＣＨリソースが割り当てられる方法を意味する。少なくとも一つのＰＵＣＣＨリソースが上位レイヤーから割り当てられうる。ＢＳから上位レイヤーシグナリングによって複数のＰＵＣＣＨリソースがＵＥに割り当てられ、ＡＲＩを用いて、これら複数のＰＵＣＣＨリソースのうち、ＵＥの使用すべきリソースを指示することができる。参考として、ＤＣＩ中のＴＰＣコマンドフィールドがＡＲＩとして再使用されてもよい。
【０２８９】
２．ＰＵＣＣＨフォーマット１ｂを用いたチャネル選択の場合（４−ビットのＡＣＫ／ＮＡＣＫフィードバック、４個のＰＵＣＣＨリソースが必要）
＿Ａｌｔ１：１個のＰＵＣＣＨリソースはＰＣｅｌｌ上のＰＤＣＣＨから暗黙的リソース割当により誘導（すなわち、１個のＰＵＣＣＨリソースはｎＣＣＥにより誘導）され、残り３個のＰＵＣＣＨリソースは明示的リソース割当により割り当てられうる。このとき、１個のＰＵＣＣＨリソース候補セットが３個のＰＵＣＣＨリソースで構成されているとすれば、ＵＥは、総４個のＰＵＣＣＨリソース候補セットを上位レイヤー（例えば、ＲＲＣ）から割り当てられ、ＡＲＩにより指示される値によりＡＣＫ／ＮＡＣＫ反復時に使用可能な１個のＰＵＣＣＨリソース候補セットの割り当てを受けることができる。これら４個ＰＵＣＣＨリソース候補セットはいずれも相互に異なったＰＵＣＣＨリソースで構成されてもよく、他のＰＵＣＣＨリソース候補セットと一部ＰＵＣＣＨリソースを共有してもよい。
【０２９０】
＿Ａｌｔ２：非−クロス−搬送波−スケジューリング（ｎｏｎ−ｃｒｏｓｓ−ｃａｒｒｉｅｒ  ｓｃｈｅｄｕｌｉｎｇ）のために、２個の明示的リソース、及びＰＣｅｌｌのＰＤＣＣＨから類推された２個の暗黙的リソースがＵＥに割り当てられてもよい。クロス−搬送波−スケジューリング（ｃｒｏｓｓ−ｃａｒｒｉｅｒ  ｓｃｈｅｄｕｌｉｎｇ）のために、ＰＣｅｌｌの非−クロス−スケジューリングのためのＰＤＣＣＨ（ＰＣｅｌｌのＰＤＳＣＨ割当のためのＰＤＣＣＨ）から類推される２個の暗黙的リソースとＰＣｅｌｌのクロス−スケジューリングのためのＰＤＣＣＨ（ＳＣｅｌｌのＰＤＳＣＨ割当のためのＰＤＣＣＨ）から類推される２個の暗黙的リソースがＵＥに割り当てられてもよい。このとき、１個のＰＤＣＣＨから２個の暗黙的リソースを類推する場合、式７及び式８をそれぞれ用いることができる。明示的リソースはＡｌｔ１の場合と同じ方法により割り当てられるとよい。
【０２９１】
３．ＰＵＣＣＨフォーマット３の場合
＿ＵＥはＢＳから、上位レイヤー（例えば、ＲＲＣ）シグナリングにより４個のＰＵＣＣＨリソースの割り当てを受け、これら４個のＰＵＣＣＨリソースのうち、ＡＣＫ／ＮＡＣＫ伝送に使用するリソースをＡＲＩによりＢＳから指示されることが可能である。
【０２９２】
＿ＡＲＩは、ＳＣｅｌｌのＴＰＣコマンドフィールドを用いてＢＳからＵＥに伝送され、ＳＣｅｌｌが複数個構成された場合に、これらＳＣｅｌｌは同じＴＰＣ（ＡＲＩ）値を有してもよい。
【０２９３】
＿ＰＵＣＣＨフォーマット３の場合、仮に、ＵＥがＰＣｅｌｌでのみＰＤＳＣＨを受信したりＳＰＳ解除のためのＰＤＣＣＨを受信した場合、ＵＥは、ＳＣｅｌｌで指示されるＡＲＩ値がわからず、ＰＵＣＣＨフォーマット３のリソースを知ることができない。この場合、ＵＥは、ＰＵＣＣＨフォーマット３を利用するように構成されていても、ＰＵＣＣＨフォーマット１ａ／１ｂを用いてＡＣＫ／ＮＡＣＫを伝送すればよい。
【０２９４】
以下では、前述した搬送波アグリゲーション状況下で、Ａ／Ｎ反復が用いられる場合に、利用可能なリソース割当方法及びＡＣＫ／ＮＡＣＫ伝送方法に関する実施例を説明する。
【０２９５】
本発明では、ＮＡＮＲｅｐ回のＡ／Ｎ反復がＵＥで行われる場合に、該ＵＥは１番目の伝送では一般的なＡＣＫ／ＮＡＣＫフィードバックを行う。例えば、ＵＥは、１番目の伝送では、暗黙的リソース割当により決定されたＰＵＣＣＨリソース上でＡＣＫ／ＮＡＣＫ情報を伝送することができる。残り伝送（２番目〜ＮＡＮＲｅｐ番目の伝送）ではＵＥは、１番目の伝送で暗黙的に割り当てられたリソースに代えるために、ＢＳから少なくとも１番目の伝送で使われたリソース分だけのリソースを上位レイヤー（例えば、ＲＲＣ）シグナリングによって明示的に割り当てられ、該上位レイヤーにより明示的に割り当てられたリソースを、暗黙的に割り当てられたリソースに代えることができる。或いは、暗黙的リソースがＰＣｅｌｌからのみ類推される場合、該ＰＣｅｌｌから類推されるリソースを、Ａ／Ｎ反復用に構成されたリソースに代えてもよい。より具体的に、下記３つの実施例Ａ）〜実施例Ｃ）をＡ／Ｎ反復のためのリソース割当方法として提示する。
【０２９６】
実施例Ａ）１番目の伝送で暗黙的リソース割当のみを使用する場合
上記Ａｌｔ２のクロス−搬送波スケジューリングの時に、暗黙的に割り当てられた４個ＰＵＣＣＨリソースを、ＰＵＣＣＨフォーマット１ｂを用いたチャネル選択に使用することができる。２個のリソースは、ＰＣｅｌｌのためのＰＣｅｌｌのＰＤＣＣＨ（非−クロス−搬送波スケジューリング）から、残り２個のリソースは、ＳＣｅｌｌのためのＰＣｅｌｌのＰＤＣＣＨ（クロス−搬送波スケジューリング）から類推することができる。この場合、暗黙的リソースが総４個であるから、Ａ／Ｎ反復が構成されるとき、反復のために少なくとも４個のＰＵＣＣＨリソースが構成されなければならない。したがって、ＵＥは、１番目の伝送では、暗黙的に割り当てられた４個のＰＵＣＣＨリソースを用い、残り２番目〜ＮＡＮＲｅｐ番目の伝送では、Ａ／Ｎ反復用に構成されてＢＳからシグナリングされた４個のＰＵＣＣＨリソースを、チャネル選択用ＰＵＣＣＨリソースとして使用する。
【０２９７】
実施例Ｂ）１番目の伝送で明示的リソース割当のみを使用する場合
ＰＵＣＣＨフォーマット３のリソースを明示的リソース割当のみで決定されてもよい。
【０２９８】
この場合、暗黙的リソース割当はなく、明示的リソース割当のみ存在するので、Ａ／Ｎ反復のためのＰＵＣＣＨリソース（ｎ(３)ＰＵＣＣＨ−ＡＮＲｅｐ）が別に構成される必要がなく、１番目の伝送時にＡＲＩにより指示されたＰＵＣＣＨリソースを用いて残り反復を行えばよい。ＵＥがＰＣｅｌｌでのみＰＤＳＣＨ／ＰＤＣＣＨを受信した場合、ＢＳはＰＵＣＣＨフォーマット３によるＡ／Ｎ反復用には明示的リソースを構成する必要がないが、ＰＵＣＣＨフォーマット１ａ／１ｂによるＡ／Ｎ反復用には明示的リソースを構成し、該明示的リソースをＵＥにシグナリングすることができる。ＰＵＣＣＨフォーマット１ａ／１ｂを用いたＡ／Ｎ反復の場合、ＵＥは、１番目の伝送では、暗黙的リソース割当により決定されたＰＵＣＣＨリソースを使用し、２番目〜ＮＡＮＲｅｐ番目の伝送までは、上記構成されたＰＵＣＣＨリソースを使用してＡ／Ｎ反復を行うことができる。
【０２９９】
実施例Ｃ）１番目の伝送で暗黙的リソース割当と明示的リソース割当の両方を使用する場合
上記Ａｌｔ １のとき、或いはＡｌｔ ２の非−クロス−搬送波スケジューリングのときに、暗黙的リソース割当と明示的リソース割当の両方が、ＰＵＣＣＨフォーマット１ｂを用いたチャネル選択に用いられてもよい。
【０３００】
Ａｌｔ １では、暗黙的リソースの個数が総１個であるから、Ａ／Ｎ反復が構成されると、ＢＳは該Ａ／Ｎ反復のために少なくとも１個のＰＵＣＣＨリソースを構成してＵＥにシグナリングする。しかし、再構成により、留保されなければならないＰＵＣＣＨリソースが変わる場合に備えて１個よりも多い、例えば４個のＰＵＣＣＨリソースがＡ／Ｎ反復のために構成されることがある。この場合、ＵＥは、１番目の伝送では、暗黙的リソース１個と明示的リソース３個を用いて、ＡＣＫ／ＮＡＣＫ情報を伝送し、残り伝送（２番目〜ＮＡＮＲｅｐ番目の伝送）では、暗黙的リソースを、Ａ／Ｎ反復用に明示的に割り当てられたリソースに代え、チャネル選択用マッピングテーブルを適用してチャネル選択を行うことによって、ＡＣＫ／ＮＡＣＫ情報を伝送することができる。
【０３０１】
Ａｌｔ ２の非−クロス−搬送波スケジューリングの場合、暗黙的リソースの個数が総２個であるから、Ａ／Ｎ反復が構成されると、ＢＳは、該Ａ／Ｎ反復のために少なくとも２個のＰＵＣＣＨリソースを構成してＵＥにシグナリングする。ただし、クロス−搬送波スケジューリング時にＡ／Ｎ反復のためにシグナリングされるリソースの個数と非−クロス−搬送波スケジューリング時にＡ／Ｎ反復のためにシグナリングされる個数とが、例えば、２個、４個と相互に異なるので、両者のＲＲＣ再構成ハンドリングのために、両値のうち大きい値である４個が常にＲＲＣで構成されてもよい。クロス−搬送波スケジューリングの場合に、ＵＥは、１番目の伝送では暗黙的リソース２個と明示的リソース２個を用いて、ＡＣＫ／ＮＡＣＫ情報を伝送し、残り伝送（２番目〜ＮＡＮＲｅｐ番目の伝送）では、上記暗黙的リソースを、Ａ／Ｎ反復用に明示的に割り当てられたリソースに代え（すなわち、いずれも明示的リソースを用いて）、チャネル選択用マッピングテーブルを適用してチャネル選択を行うことによってＡＣＫ／ＮＡＣＫ情報を伝送することができる。非−クロス−搬送波スケジューリングの場合に、ＵＥは、暗黙的リソース４個を用いて、チャネル選択用マッピングテーブルを適用してチャネル選択を行うことによってＡＣＫ／ＮＡＣＫ情報を伝送することができる。
【０３０２】
一方、ＢＳは、上位レイヤーシグナリング（例えば、ＲＲＣ（Ｒａｄｉｏ  Ｒｅｓｏｕｒｃｅ  Ｃｏｎｔｒｏｌ）シグナリング）により、所定のサブフレームにＵＥのためのＳＲ用にＰＵＣＣＨリソースを留保する。例えば、上位レイヤーシグナリングにより、特定ＵＥのためにＳＲ用に所定個数のサブフレームごとにＰＵＣＣＨリソースが留保されてもよい。ＵＥは、上位レイヤーシグナリングに基づいて、該ＵＥにＳＲ用に留保されたＰＵＣＣＨリソース、すなわち、ＳＲＰＵＣＣＨリソースを決定することができる。ＵＥは、ＢＳに上りリンクスケジューリングを要請しようとする場合、ＳＲ ＰＵＣＣＨリソースを用いて、ＳＲを表す変調シンボル１を伝送する。ＵＥは、上りリンクスケジューリング要請をしない間には、ＳＲＰＵＣＣＨを通じて情報を伝送しない。基本的に、ＢＳは、ＳＲ ＰＵＣＣＨリソースが留保されたサブフレームでＳＲ ＰＵＣＣＨリソースを通じて受信した信号があると、ＵＥによる上りリンクスケジューリング要請があると判断する。一方、ＳＲＰＵＣＣＨリソースが留保されたサブフレームでＳＲ ＰＵＣＣＨリソースを通じて受信した信号がないと、ＵＥによる上りリンクスケジューリング要請がないと判断する。
【０３０３】
ＰＤＳＣＨリソースにより動的に決定されたＡＣＫ／ＮＡＣＫＰＵＣＣＨリソースがＳＲ ＰＵＣＣＨリソースと同じサブフレームに位置する場合もある。１サブフレームで複数のＵＥが同一のＰＵＣＣＨリソースを用いて上りリンク制御情報を伝送することが可能であるとしても、一つのＵＥにとっては１サブフレームで只１個のＰＵＣＣＨリソースを用いて上りリンク制御情報を伝送することができる。換言すると、現在３ＧＰＰＬＴＥシステムでは、一ＵＥが上りリンク制御情報の伝送のために複数のＰＵＣＣＨリソースを使用することが許容されていない。そのため、１サブフレームでＡＣＫ／ＮＡＣＫ情報と他の制御情報（例えば、ＣＱＩ／ＰＭＩ／ＲＩ、ＳＲなど）が共に伝送されなければならない場合に、ＵＥはＡＣＫ／ＮＡＣＫ情報を他の制御情報にピギーバック（ｐｉｇｇｙｂａｃｋ）して、該他の制御情報の伝送のために割り当てられたＰＵＣＣＨ上で伝送する。すなわち、ＵＥがＡＣＫ／ＮＡＣＫ情報を伝送しなければならないサブフレームに、ＳＲＰＵＣＣＨリソースが割り当てられていると、動的に決定されたＡＣＫ／ＮＡＣＫ ＰＵＣＣＨリソースではなく、ＳＲ ＰＵＣＣＨリソースを用いてＡＣＫ／ＮＡＣＫ情報を伝送する。すなわち、ＵＥは、ポジティブＳＲ伝送とＡＣＫ／ＮＡＣＫ伝送が同時に起きる場合、ＡＣＫ／ＮＡＣＫ情報を変調してＳＲＰＵＣＣＨリソース上でＢＳに伝送する。例えば、図１１を参照すると、ＰＵＣＣＨ（ｍ＝１）が特定ＵＥのＳＲ用に留保されたサブフレームにおいてＰＵＣＣＨ（ｍ＝３）がＡＣＫ／ＮＡＣＫＰＵＣＣＨリソースとして決定される場合もある。この場合、特定ＵＥは、ＡＣＫ／ＮＡＣＫ情報をＰＵＣＣＨ（ｍ＝３）ではなくＰＵＣＣＨ（ｍ＝１）上で伝送する。ＢＳは、特定ＵＥのために留保しておいたＰＵＣＣＨ（ｍ＝１）上で受信した信号があることから、特定ＵＥによる上りリンクスケジューリング要請があると判断する。ＦＤＤの場合、ＰＵＣＣＨフォーマット１ａ／１ｂにおいてＡＣＫ／ＮＡＣＫ情報が伝送されるコンステレーション（ｃｏｎｓｔｅｌｌａｔｉｏｎ）そのままＳＲＰＵＣＣＨリソースを用いて伝送され、ＴＤＤの場合には、ＡＣＫの個数をカウントし、その個数を変調してＳＲ ＰＵＣＣＨリソース上で伝送する。ＰＵＣＣＨフォーマット３の場合、ＵＥは、ＳＲＰＵＣＣＨリソースが留保されたサブフレームでのみ１ビットだけペイロードを増加させ、ＳＲがネガティブ／ポジティブの時にそれぞれ０／１をＡＣＫ／ＮＡＣＫ情報とジョイントコーディングしてＢＳに伝送することができる。以下では、Ａ／Ｎ反復が構成された時、ＳＲ＋ＡＣＫ／ＮＡＣＫ伝送を処理する方法に関する実施例を説明する。
【０３０４】
実施例Ｉ）ＳＲサブフレームでのみＳＲ＋ＡＣＫ／ＮＡＣＫ伝送を支援
ＳＲサブフレームのうち、ポジティブＳＲとＡＣＫ／ＮＡＣＫ伝送が発生するサブフレームでのみＳＲとＡＣＫ／ＮＡＣＫとを共に伝送する。
【０３０５】
ＰＵＣＣＨフォーマット１ａ／１ｂ或いはＰＵＣＣＨフォーマット１ｂを用いたチャネル選択がＡＣＫ／ＮＡＣＫ伝送のために用いられる場合、ＵＥは、ＳＲがネガティブであると、前述した実施例１乃至実施例Ｃのいずれか一つによって決定されたＰＵＣＣＨリソースを用いてＡ／Ｎ反復を行う。ＳＲがポジティブであると、ＵＥは、ＳＲサブフレームでのみＳＲＰＵＣＣＨリソースにＡＣＫ／ＮＡＣＫ情報を含めて伝送する。例えば、サブフレーム＃Ｘ、サブフレーム＃Ｘ＋１、サブフレーム＃Ｘ＋２、サブフレーム＃Ｘ＋３でＡ／Ｎ反復が行われなければならなく、且つサブフレーム＃Ｘ＋１がＳＲサブフレームであるとしよう。もし、ＳＲがポジティブであれば、ＵＥは、サブフレーム＃Ｘ＋１においてのみＳＲＰＵＣＣＨリソース上でＡＣＫ／ＮＡＣＫ情報をＢＳに伝送し、残りサブフレーム＃Ｘ、サブフレーム＃Ｘ＋２、サブフレーム＃Ｘ＋３では、指定されたＡＣＫ／ＮＡＣＫ ＰＵＣＣＨリソース上でＡＣＫ／ＮＡＣＫ情報を伝送することができる。仮に、ＳＲがネガティブであれば、ＵＥは、サブフレーム＃Ｘ、サブフレーム＃Ｘ＋１、サブフレーム＃Ｘ＋２、サブフレーム＃Ｘ＋３のいずれにおいても、ＳＲＰＵＣＣＨリソースではなく、指定されたＡＣＫ／ＮＡＣＫ ＰＵＣＣＨリソース上でＡＣＫ／ＮＡＣＫ情報を伝送すれば良い。
【０３０６】
ＰＵＣＣＨフォーマット３をＡＣＫ／ＮＡＣＫ伝送に使用する場合、ＳＲがネガティブかポジティブかによらず、常に１−ビットが追加されるので、ＵＥは、ＳＲサブフレームごとにＳＲビットを追加してＳＲ及びＡＣＫ／ＮＡＣＫをＢＳに伝送することが可能である。例えば、サブフレーム＃Ｘ、サブフレーム＃Ｘ＋１、サブフレーム＃Ｘ＋２、サブフレーム＃Ｘ＋３でＡ／Ｎ反復が行われなければならなく、且つサブフレーム＃Ｘ＋１がＳＲサブフレームであるとしよう。仮に、ＳＲがポジティブであれば、ＵＥは、サブフレーム＃Ｘ＋１では、ポジティブを表すＳＲビットをＡＣＫ／ＮＡＣＫペイロードの先頭或いは末尾に追加して、ＳＲ及びＡＣＫ／ＮＡＣＫを共に（明示的或いは暗黙的に）指定されたＡＣＫ／ＮＡＣＫＰＵＣＣＨリソース上で伝送する。残りサブフレーム（サブフレーム＃Ｘ、サブフレーム＃Ｘ＋２、サブフレーム＃Ｘ＋３）ではＳＲビットを追加しないで、ＡＣＫ／ＮＡＣＫ情報のみをＡＣＫ／ＮＡＣＫＰＵＣＣＨリソース上で伝送すれば良い。仮に、ＳＲがネガティブであれば、ＵＥは、サブフレーム＃Ｘ＋１では、ネガティブを表すＳＲビットをＡＣＫ／ＮＡＣＫペイロードの先頭或いは末尾に追加して、ＳＲ及びＡＣＫ／ＮＡＣＫを共にＡＣＫ／ＮＡＣＫＰＵＣＣＨリソース上で伝送する。残りサブフレーム（サブフレーム＃Ｘ、サブフレーム＃Ｘ＋２、サブフレーム＃Ｘ＋３）ではＳＲビットを追加しないで、ＡＣＫ／ＮＡＣＫ情報のみをＡＣＫ／ＮＡＣＫＰＵＣＣＨリソース上で伝送すれば良い。
【０３０７】
実施例ＩＩ）全てのＡ／Ｎ反復区間においてＳＲ＋ＡＣＫ／ＮＡＣＫ伝送を支援
ＰＵＣＣＨフォーマット１ａ／１ｂ或いはＰＵＣＣＨフォーマット１ｂを用いたチャネル選択がＡＣＫ／ＮＡＣＫ伝送のために用いられる場合、ＵＥは、全てのＡ／Ｎ反復区間においてＳＲとＡＣＫ／ＮＡＣＫ情報を共に伝送することができる。すなわち、全てのＡ／Ｎ反復区間においてＳＲＰＵＣＣＨリソース上でＡＣＫ／ＮＡＣＫ情報を伝送することができる。例えば、サブフレーム＃Ｘ、サブフレーム＃Ｘ＋１、サブフレーム＃Ｘ＋２、サブフレーム＃Ｘ＋３でＡ／Ｎ反復が行われなければならなく、且つサブフレーム＃Ｘ＋１がＳＲサブフレームであるとしよう。もし、ＳＲがポジティブであれば、ＵＥは、全てのサブフレーム、すなわち、サブフレーム＃Ｘ、サブフレーム＃Ｘ＋１、サブフレーム＃Ｘ＋２、サブフレーム＃Ｘ＋３においてＳＲＰＵＣＣＨリソース上でＡＣＫ／ＮＡＣＫ情報をＢＳに伝送する。仮に、ＳＲがネガティブであれば、ＵＥは、サブフレーム＃Ｘ、サブフレーム＃Ｘ＋１、サブフレーム＃Ｘ＋２、サブフレーム＃Ｘ＋３の全てにおいて、ＳＲＰＵＣＣＨリソースではなく、指定されたＡＣＫ／ＮＡＣＫ ＰＵＣＣＨリソース上でＡＣＫ／ＮＡＣＫ情報を伝送すれば良い。
【０３０８】
ＰＵＣＣＨフォーマット３がＡＣＫ／ＮＡＣＫ伝送に使用され、且つＡ／Ｎ反復が行われるサブフレームのうち少なくとも一つがＳＲサブフレームと重なる場合に、ＵＥは、Ａ／Ｎ反復が行われる全てのサブフレームにおいて１ビットのＳＲビットをＡＣＫ／ＮＡＣＫ情報に追加して伝送することができる。例えば、サブフレーム＃Ｘ、サブフレーム＃Ｘ＋１、サブフレーム＃Ｘ＋２、サブフレーム＃Ｘ＋３でＡ／Ｎ反復が行われなければならなく、且つサブフレーム＃Ｘ＋１がＳＲサブフレームであるとしよう。仮に、ＳＲがポジティブであれば、ＵＥは、全てのサブフレーム、すなわち、サブフレーム＃Ｘ、サブフレーム＃Ｘ＋１、サブフレーム＃Ｘ＋２、サブフレーム＃Ｘ＋３でポジティブを表すＳＲビットをＡＣＫ／ＮＡＣＫペイロードの先頭或いは末尾に追加して、ＳＲ及びＡＣＫ／ＮＡＣＫを共に、（明示的或いは暗黙的に）指定されたＡＣＫ／ＮＡＣＫＰＵＣＣＨリソース上で伝送する。仮に、ＳＲがネガティブであれば、ＵＥは、全てのサブフレーム、すなわち、サブフレーム＃Ｘ、サブフレーム＃Ｘ＋１、サブフレーム＃Ｘ＋２、サブフレーム＃Ｘ＋３でネガティブを表すＳＲビットをＡＣＫ／ＮＡＣＫペイロードの先頭或いは末尾に追加して、ＳＲ及びＡＣＫ／ＮＡＣＫを共にＡＣＫ／ＮＡＣＫＰＵＣＣＨリソース上で伝送すれば良い。
【０３０９】
実施例ＩＩＩ）Ａ／Ｎ反復時にＳＲを落とす（ｄｒｏｐ）
ＰＵＣＣＨフォーマット１ａ／１ｂ或いはＰＵＣＣＨフォーマット１ｂを用いたチャネル選択がＡＣＫ／ＮＡＣＫ伝送のために使用され、且つＳＲがネガティブであれば、ＵＥは、ＡＣＫ／ＮＡＣＫＰＵＣＣＨリソース上でＡＣＫ／ＮＡＣＫ情報のみを伝送する。ＳＲがポジティブであれば、ＵＥは、ＳＲを落とし、ＡＣＫ／ＮＡＣＫ ＰＵＣＣＨリソース上でＡＣＫ／ＮＡＣＫ情報のみを伝送する。
【０３１０】
ＰＵＣＣＨフォーマット３がＡＣＫ／ＮＡＣＫ伝送に用いられる場合に、ＳＲがネガティブであれば、ＵＥは、ＳＲサブフレームにおいてＳＲ用に１−ビットを増加させないで、ＡＣＫ／ＮＡＣＫ情報のみをＡＣＫ／ＮＡＣＫＰＵＣＣＨリソース上で伝送する。ＳＲがポジティブの場合にも、ＵＥはＳＲサブフレームにおいて１−ビットを増加させないで、ＡＣＫ／ＮＡＣＫ情報のみをＡＣＫ／ＮＡＣＫＰＵＣＣＨリソース上で伝送してもよい。
【０３１１】
実施例Ｉ乃至実施例ＩＩＩにおいて、ＳＲ伝送とＡＣＫ／ＮＡＣＫ伝送が同時に発生する状況を考慮して、Ａ／Ｎ反復と（チャネル選択を含む）ＰＵＣＣＨフォーマット１ａ／１ｂのためのＳＯＲＴＤが同時に構成されないような通信システムに制約されてもよい。すなわち、Ａ／Ｎ反復が構成された場合に、ＰＵＣＣＨフォーマット１／１ａ／１ｂに対するＳＯＲＴＤには、デフォルトとして単一アンテナ伝送方式が適用される構成とすることができる。ここで、ＰＵＣＣＨフォーマット１とＰＵＣＣＨフォーマット１ａ／１ｂは相互に異なったＳＯＲＴＤ構成を有するから、Ａ／Ｎ反復及び／又はＳＯＲＴＤが別途に指定されてもよい。或いは、Ａ／Ｎ反復とＳＯＲＴＤが共に構成されている場合、ＵＥはＳＯＲＴＤを無視し、単一アンテナ伝送方式を適用してＡＣＫ／ＮＡＣＫ情報をＢＳに伝送するように構成されてもよい。例えば、Ａ／Ｎ反復とＳＯＲＴＤが同時に構成されている場合、ＳＯＲＴＤは無視される
上述の実施例１乃至実施例Ｃは、実施例Ｉ乃至実施例ＩＩにおいてＡ／Ｎ反復に用いられるＡＣＫ／ＮＡＣＫＰＵＣＣＨリソースの決定に適用可能である。すなわち、実施例Ｉ乃至実施例ＩＩＩは上述の実施例１乃至実施例Ｃと組み合わせられてもよい。
【０３１２】
図４７は、ＡＣＫ／ＮＡＣＫ伝送のタイミングを例示する。
【０３１３】
ＵＥは、サブフレームｎ−ｋ（ここで、ｋは正の整数、例えば、ｋ＝４）で、対応ＰＤＣＣＨを有するＰＤＳＣＨ及び／又はＳＰＳ解除のためのＰＤＣＣＨ及び／又はＰＤＣＣＨのないＰＤＳＣＨに対するＡＣＫ／ＮＡＣＫ応答を検出し、該ＡＣＫ／ＮＡＣＫ応答を表すＡＣＫ／ＮＡＣＫ情報をサブフレームｎで伝送することができる。ＢＳがＵＥに、Ａ／Ｎ反復が構成される旨を表すＡ／Ｎ反復情報を伝送すると、ＵＥは、Ａ／Ｎ反復情報により指示された回数ＮＡＮＲｅｐだけＡＣＫ／ＮＡＣＫ情報を隣接のＵＬサブフレームにわたって反復して伝送することができる。上述した本発明の実施例のいずれかによってＵＥはＡ／Ｎ反復を行ってＡＣＫ／ＮＡＣＫ情報をＢＳに伝送することができる。ＢＳは、ＵＥがそれぞれの伝送においていずれのＰＵＣＣＨリソースを用いてＡＣＫ／ＮＡＣＫ情報を伝送するかを知っている。そのため、ＢＳは、ＡＣＫ／ＮＡＣＫ伝送のために暗黙的及び／又は明示的にＵＥに割り当てられたＰＵＣＣＨリソースを受信或いは検出することによって、ＡＣＫ／ＮＡＣＫ反復に参加するサブフレームにおいてＵＥが伝送したＡＣＫ／ＮＡＣＫ情報を受信することができる。
【０３１４】
例えば、実施例１を参照すると、２個のアンテナポート上でＡＣＫ／ＮＡＣＫ情報を伝送する旨をＢＳから指示されたＵＥ、すなわち、ＳＯＲＴＤが活性化される旨を指示されたＵＥがＡ／Ｎ反復を行うべき場合に、該ＵＥは、１番目の伝送では、ＢＳから受信したＰＤＣＣＨを用いた暗黙的リソース割当により決定された２個のＰＵＣＣＨリソースを用いてＡＣＫ／ＮＡＣＫ伝送を行い、２番目の伝送からは、明示的リソース割当により決定された２個のＰＵＣＣＨリソースを用いてＡＣＫ／ＮＡＣＫ伝送をＮＡＮＲｅｐ−１回反復することができる。ＵＥは、Ａ／Ｎ反復の構成及び／又はＳＯＲＴＤの活性化を上位レイヤー（例えば、ＲＲＣ）メッセージを通じてＢＳから受信することができる。また、ＵＥは、Ａ／Ｎ反復のための反復因子ＮＡＮＲｅｐも上位レイヤーメッセージを通じてＢＳから受信することができる。また、ＵＥは、２番目の伝送からＮＡＮＲｅｐ−１番目の伝送のための２個のＰＵＣＣＨリソースを表すＰＵＣＣＨリソース情報を、上位レイヤーメッセージを通じてＢＳから受信することができる。２個のアンテナポート（ｐ０及びｐ１）によるＳＯＲＴＤが構成された場合に、ＰＵＣＣＨリソース情報は、アンテナポートｐ０のためのＰＵＣＣＨリソースを指示する情報（例えば、ｎ(１，ｐ０)ＰＵＣＣＨ−ＡＮＲｅｐ）とアンテナポートｐ１のためのＰＵＣＣＨリソースを指示する情報（例えば、ｎ(１，ｐ１)ＰＵＣＣＨ−ＡＮＲｅｐ）を別々に含むことができる。
【０３１５】
ＢＳは、ＰＤＣＣＨのｎＣＣＥを知っているので、式７及び式８により、アンテナポートｐ０及びアンテナポートｐ１のそれぞれが１番目の伝送でいずれのＰＵＣＣＨリソースを使用するかを知っている。また、ＢＳは、反復因子ＮＡＮＲｅｐ及びＰＵＣＣＨリソース情報をＵＥに伝送したので、アンテナポートｐ０及びアンテナポートｐ１のそれぞれが２番目の伝送からＮＡＮＲｅｐ−１番目の伝送までいずれのＰＵＣＣＨリソースを使用するかを知っている。そのため、ＢＳは、ＰＤＣＣＨのｎＣＣＥ及びｎＣＣＥ＋１からそれぞれ誘導された２個のＰＵＣＣＨリソースを用いて、アンテナポートｐ０及びアンテナポートｐ１からそれぞれＵＥの１番目のＡＣＫ／ＮＡＣＫ伝送を受信し、ＰＵＣＣＨリソース情報によりそれぞれ指示された２個のＰＵＣＣＨリソースを用いて、アンテナポートｐ０及びアンテナポートｐ１から、ＡＣＫ／ＮＡＣＫ伝送を反復してＮＡＮＲｅｐ−１回さらに受信することができる。
【０３１６】
図４６を参照すると、ＵＥプロセッサ４００ａは、ＵＥ受信器３００ａを制御して、サブフレームｎ−ｋ（ここで、ｋは正の整数、例えば、ｋ＝４）でＰＤＣＣＨ及び／又はＰＤＳＣＨのないＰＤＣＣＨに対するＡＣＫ／ＮＡＣＫ応答を検出することができる。ＵＥプロセッサ４００ａは、ＡＣＫ／ＮＡＣＫ応答を表すＡＣＫ／ＮＡＣＫ情報を生成し、該ＡＣＫ／ＮＡＣＫ情報をサブフレームｎで伝送するようにＵＥ送信器１００ａを制御する。ＵＥ受信器３００ａは、Ａ／Ｎ反復の構成及び／又はＳＯＲＴＤの活性化を指示する情報をＢＳから受信することができる。また、ＵＥ受信器３００ａは、ＢＳからＡ／Ｎ反復の反復因子ＮＡＮＲｅｐを表す情報を受信することができる。ＵＥプロセッサ４００ａは、本発明の一実施例によってＡ／Ｎ反復を行うようにＵＥ送信器を制御することができる。
【０３１７】
例えば、実施例１を参照すると、２個のアンテナポート上でＡＣＫ／ＮＡＣＫ情報を伝送する旨をＢＳから指示されたＵＥが、ＢＳからＡ／Ｎ反復を行うように指示された場合に、ＵＥプロセッサ４００ａは、１番目の伝送ではＢＳから受信したＰＤＣＣＨを用いた暗黙的リソース割当により決定された２個のＰＵＣＣＨリソースを用いてＡＣＫ／ＮＡＣＫ伝送を行うようにＵＥ送信器１００ａを制御し、２番目の伝送からは、明示的リソース割当により決定された２個のＰＵＣＣＨリソースを用いてＡＣＫ／ＮＡＣＫ伝送をＮＡＮＲｅｐ−１回反復するようにＵＥ送信器１００ａを制御することができる。ＵＥ受信器３００ａは、Ａ／Ｎ反復の構成及び／又はＳＯＲＴＤの活性化を上位レイヤー（例えば、ＲＲＣ）メッセージを通じてＢＳから受信することができる。また、ＵＥ受信器３００ａは、Ａ／Ｎ反復のための反復因子ＮＡＮＲｅｐも上位レイヤーメッセージを通じてＢＳから受信することができる。また、ＵＥ受信器３００ａは、２番目の伝送からＮＡＮＲｅｐ−１番目の伝送のための２個のＰＵＣＣＨリソースを表すＰＵＣＣＨリソース情報を、上位レイヤーメッセージを通じてＢＳから受信することができる。２個のアンテナポート（ｐ０及びｐ１）によるＳＯＲＴＤが構成された場合に、ＰＵＣＣＨリソース情報は、アンテナポートｐ０のためのＰＵＣＣＨリソースを指示する情報（例えば、ｎ(１，ｐ０)ＰＵＣＣＨ−ＡＮＲｅｐ）とアンテナポートｐ１のためのＰＵＣＣＨリソースを指示する情報（例えば、ｎ(１，ｐ１)ＰＵＣＣＨ−ＡＮＲｅｐ）を別々に含むことができる。ＵＥプロセッサ４００ａは、ＢＳから受信したＰＤＣＣＨのｎＣＣＥから誘導されたＰＵＣＣＨリソースを用いて、アンテナポートｐ０を通して１番目のＡＣＫ／ＮＡＣＫ伝送を行い、ｎＣＣＥ＋１から誘導されたＰＵＣＣＨリソースを用いて、アンテナポートｐ１を通して１番目のＡＣＫ／ＮＡＣＫ伝送を行うように、ＵＥ送信器１００ａを制御することができる。ＵＥプロセッサ４００ａは、アンテナポートｐ０でＡＣＫ／ＮＡＣＫ伝送のために最初に用いられるＡＣＫ／ＮＡＣＫＰＵＣＣＨリソースを式７を用いて決定し、アンテナポートｐ１でＡＣＫ／ＮＡＣＫ伝送のために最初に用いられるＡＣＫ／ＮＡＣＫ ＰＵＣＣＨリソースを式８を用いて決定する構成でよい。ＵＥプロセッサ４００ａの制御下に、ＵＥ送信器１００ａは、サブフレームｎでアンテナポートｐ０及びアンテナポートｐ１を通して、ｎＣＣＥ及びｎＣＣＥ＋１からそれぞれ誘導された２個ＰＵＣＣＨリソースを用いて該当のＡＣＫ／ＮＡＣＫ情報の初期伝送を行う。該当のＡＣＫ／ＮＡＣＫ情報は、サブフレームｎ−ｋで検出されたＡＣＫ／ＮＡＣＫ応答を表すことができる。また、ＵＥプロセッサ４００ａの制御下に、ＵＥ送信器１００ａは、サブフレームｎ＋１からサブフレームｎ＋ＮＡＮＲｅｐ−１で、アンテナポートｐ０及びアンテナポートｐ１を通して、ＰＵＣＣＨリソース情報により指示された２個のＰＵＣＣＨリソースを用いて２番目の伝送からＮＡＮＲｅｐ番目までの伝送を行うことができる。
【０３１８】
上記ＰＤＣＣＨとＰＵＣＣＨリソース情報は、ＢＳプロセッサ４００ｂの制御下にＢＳ送信器１００ｂがＵＥに伝送したものである。そのため、ＢＳプロセッサ４００ｂはＰＤＣＣＨのｎＣＣＥを知っている。ＢＳプロセッサ４００ｂは、ｎＣＣＥを知っているので、アンテナポートｐ０及びアンテナポートｐ１のそれぞれが１番目の伝送でいずれのＰＵＣＣＨリソースを使用するかも知っている。また、ＢＳ送信器１００ｂは、ＢＳプロセッサ４００ａの制御下に反復因子ＮＡＮＲｅｐ及びＰＵＣＣＨリソース情報をＵＥに伝送したので、ＢＳプロセッサ４００ｂは、アンテナポートｐ０及びアンテナポートｐ１のそれぞれが２番目の伝送からＮＡＮＲｅｐ−１番目の伝送までにおいていずれのＰＵＣＣＨリソースを使用するかを知っている。したがって、ＢＳプロセッサ４００ｂは、ＰＤＣＣＨのｎＣＣＥ及びｎＣＣＥ＋１からそれぞれ誘導された２個のＰＵＣＣＨリソースを用いて、アンテナポートｐ０及びアンテナポートｐ１からそれぞれＵＥの１番目のＡＣＫ／ＮＡＣＫ伝送を受信し、ＰＵＣＣＨリソース情報によりそれぞれ指示された２個のＰＵＣＣＨリソースを用いて、アンテナポートｐ０及びアンテナポートｐ１から、ＡＣＫ／ＮＡＣＫ伝送を反復してＮＡＮＲｅｐ−１回さらに受信するように、ＢＳ受信器３００ｂを制御することができる。
【０３１９】
以上開示された本発明の好ましい実施例についての詳細な説明は、当業者が本発明を具現して実施できるように提供された。以上では本発明の好適な実施例を参照して説明したが、当該技術の分野における熟練した当業者には、本発明の領域から逸脱しない範囲内で本発明を様々に修正及び変更できるということが理解されるであろう。したがって、本発明は、ここに開示されている実施形態に制限されるものではなく、ここに開示されている原理及び新規な特徴と一致する最も広い範囲を与えるためのものである。
【産業上の利用可能性】
【０３２０】
本発明の実施例は、無線通信システムにおいて、基地局又はユーザー機器、その他の装備に使用可能である。
【図１】
0005955857.tif 000021
【図２】
0005955857.tif 000022
【図３】
0005955857.tif 000023
【図４】
0005955857.tif 000024
【図５】
0005955857.tif 000025
【図６】
0005955857.tif 000026
【図７】
0005955857.tif 000027
【図８】
0005955857.tif 000028
【図９】
0005955857.tif 000029
【図１０】
0005955857.tif 000030
【図１１】
0005955857.tif 000031
【図１２】
0005955857.tif 000032
【図１３】
0005955857.tif 000033
【図１４】
0005955857.tif 000034
【図１５】
0005955857.tif 000035
【図１６】
0005955857.tif 000036
【図１７】
0005955857.tif 000037
【図１８】
0005955857.tif 000038
【図１９】
0005955857.tif 000039
【図２０】
0005955857.tif 000040
【図２１】
0005955857.tif 000041
【図２２】
0005955857.tif 000042
【図２３】
0005955857.tif 000043
【図２４】
0005955857.tif 000044
【図２５】
0005955857.tif 000045
【図２６】
0005955857.tif 000046
【図２７】
0005955857.tif 000047
【図２８】
0005955857.tif 000048
【図２９】
0005955857.tif 000049
【図３０】
0005955857.tif 000050
【図３１】
0005955857.tif 000051
【図３２】
0005955857.tif 000052
【図３３】
0005955857.tif 000053
【図３４】
0005955857.tif 000054
【図３５】
0005955857.tif 000055
【図３６】
0005955857.tif 000056
【図３７】
0005955857.tif 000057
【図３８】
0005955857.tif 000058
【図３９】
0005955857.tif 000059
【図４０】
0005955857.tif 000060
【図４１】
0005955857.tif 000061
【図４２】
0005955857.tif 000062
【図４３】
0005955857.tif 000063
【図４４】
0005955857.tif 000064
【図４５】
0005955857.tif 000065
【図４６】
0005955857.tif 000066
【図４７】
0005955857.tif 000067